(57)【要約】  本発明の複数の実施形態は、通信分野に関し、参照信号送信/受信方法及びシステム、並びに装置を提供する。その方法は、送信デバイスによって、Z個のアンテナポートをサポートする参照信号の第1のリソースマップを決定するステップと、第1のリソースマップに基づいて、Z個のアンテナポートをサポートする参照信号を目標時間周波数リソースにマッピングした後に、その参照信号を送信するステップと、を含み、第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、2つの隣接するリソースユニットごとの第2のリソースマップに対応するP個のアンテナポートは、G個の同じアンテナポート及びH個の異なるアンテナポートを含む。複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
2019514265.tif 000002
【特許請求の範囲】
【請求項１】
プロセッサと送信機とを含む送信デバイスであって、
前記プロセッサは、Z個のアンテナポートをサポートする参照信号の第1のリソースマップを決定するように構成され、前記第1のリソースマップは、Z個のアンテナポートをサポートする前記参照信号を時間周波数リソースにマッピングする位置を含み、
前記プロセッサは、さらに、前記第1のリソースマップに基づいて、Z個のアンテナポートをサポートする前記参照信号を目標時間周波数リソースにマッピングした後に、前記送信機を使用することによって、前記参照信号を送信するように構成され、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
送信デバイス。
【請求項２】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項１に記載の送信デバイス。
【請求項３】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項２に記載の送信デバイス。
【請求項４】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項２又は３に記載の送信デバイス。
【請求項５】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２又は３に記載の送信デバイス。
【請求項６】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２又は３に記載の送信デバイス。
【請求項７】
前記K個のリソースユニットは、前記参照信号リソースセットの中の同じ周波数領域リソースを占有し、前記K個のリソースユニットは、前記参照信号リソースセットの時間領域において連続している、請求項１乃至４のうちのいずれか１項に記載の送信デバイス。
【請求項８】
前記K個のリソースユニットは、前記参照信号リソースセットの中の同じ時間領域リソースを占有し、前記K個のリソースユニットは、前記参照信号リソースセットの周波数領域において連続している、請求項１乃至４のうちのいずれか１項に記載の送信デバイス。
【請求項９】
前記リソースユニットは、物理リソースブロックPRBであるか、又は、前記リソースユニットは、物理リソースブロック対PRB  pairである、請求項１乃至８のうちのいずれか１項に記載の送信デバイス。
【請求項１０】
前記参照信号は、復調参照信号DMRS、チャネル状態情報参照信号CSI-RS、又はセル特有参照信号CRSである、請求項１乃至８のうちのいずれか１項に記載の送信デバイス。
【請求項１１】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項２乃至６のうちのいずれか１項に記載の送信デバイス。
【請求項１２】
前記M個のグループの各々の中のアンテナポートの番号のうちの複数の番号は連続しており、m番目のグループの中のアンテナポートの番号P(m)は、
(外8)
2019514265.tif 000011
であり、
0≦m≦M−1であり、αは、あらかじめ定められているオフセットである、請求項２乃至６のうちのいずれか１項に記載の方法。
【請求項１３】
各々のリソースユニットの中の前記N個の第3のリソースマップは、直交周波数分割多重化OFDMシンボルの3つの対、2つの対、又は1つの対を占有する、請求項２乃至６のうちのいずれか１項に記載の送信デバイス。
【請求項１４】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項２乃至６のうちのいずれか１項に記載の送信デバイス。
【請求項１５】
直交カバー符号OCC＝8の拡散符号を使用することによって、各々の第3のリソースマップに対応する8つのチャネル状態情報参照信号CSI-RSに対して、スペクトラム拡散が実行される、請求項１４に記載の送信デバイス。
【請求項１６】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項２乃至６のうちのいずれか１項に記載の送信デバイス。
【請求項１７】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項２乃至６のうちのいずれか１項に記載の送信デバイス。
【請求項１８】
Yは8以下の整数である、請求項２に記載の送信デバイス。
【請求項１９】
プロセッサと受信機とを含む受信デバイスであって、
前記プロセッサは、Z個のアンテナポートをサポートする参照信号の第1のリソースマップを決定するように構成され、前記第1のリソースマップは、Z個のアンテナポートをサポートする前記参照信号を時間周波数リソースにマッピングする位置を含み、
前記プロセッサは、さらに、前記受信機を使用することによって、前記第1のリソースマップに基づいて、目標時間周波数リソースから、Z個のアンテナポートをサポートする前記参照信号を受信するように構成され、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
受信デバイス。
【請求項２０】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項１９に記載の受信デバイス。
【請求項２１】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項２０に記載の受信デバイス。
【請求項２２】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項２０又は２１に記載の受信デバイス。
【請求項２３】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２０又は２１に記載の受信デバイス。
【請求項２４】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２０又は２１に記載の受信デバイス。
【請求項２５】
前記K個のリソースユニットは、前記参照信号リソースセットの中の同じ周波数領域リソースを占有し、前記K個のリソースユニットは、前記参照信号リソースセットの時間領域において連続している、請求項２０乃至２２のうちのいずれか１項に記載の受信デバイス。
【請求項２６】
前記K個のリソースユニットは、前記参照信号リソースセットの中の同じ時間領域リソースを占有し、前記K個のリソースユニットは、前記参照信号リソースセットの周波数領域において連続している、請求項２０乃至２２のうちのいずれか１項に記載の受信デバイス。
【請求項２７】
前記リソースユニットは、物理リソースブロックPRBであるか、又は、前記リソースユニットは、物理リソースブロック対PRB  pairである、請求項２０乃至２６のうちのいずれか１項に記載の受信デバイス。
【請求項２８】
前記参照信号は、復調参照信号DMRS、チャネル状態情報参照信号CSI-RS、又はセル特有参照信号CRSである、請求項２０乃至２６のうちのいずれか１項に記載の受信デバイス。
【請求項２９】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項２１乃至２５のうちのいずれか１項に記載の受信デバイス。
【請求項３０】
前記M個のグループの各々の中のアンテナポートの番号のうちの複数の番号は連続しており、m番目のグループの中のアンテナポートの番号P(m)は、
(外9)
2019514265.tif 000012
であり、
0≦m≦M−1であり、αは、あらかじめ定められているオフセットである、請求項２１乃至２５のうちのいずれか１項に記載の受信デバイス。
【請求項３１】
各々のリソースユニットの中の前記N個の第3のリソースマップは、直交周波数分割多重化OFDMシンボルの3つの対、2つの対、又は1つの対を占有する、請求項２１乃至２５のうちのいずれか１項に記載の受信デバイス。
【請求項３２】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項２１乃至２５のうちのいずれか１項に記載の受信デバイス。
【請求項３３】
直交カバー符号OCC＝8の拡散符号を使用することによって、各々の第3のリソースマップに対応する8つのチャネル状態情報参照信号CSI-RSに対して、スペクトラム拡散が実行される、請求項３２に記載の受信デバイス。
【請求項３４】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項２１乃至２５のうちのいずれか１項に記載の受信デバイス。
【請求項３５】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項２１乃至２５のうちのいずれか１項に記載の受信デバイス。
【請求項３６】
Yは8以下の整数である、請求項２１に記載の受信デバイス。
【請求項３７】
参照信号送信方法であって、
送信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、
前記送信デバイスによって、前記第1のリソースマップに基づいて、Z個のアンテナポートをサポートする前記参照信号を目標時間周波数リソースにマッピングした後に、前記参照信号を送信するステップと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
方法。
【請求項３８】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項３７に記載の方法。
【請求項３９】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項３８に記載の方法。
【請求項４０】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項３８又は３９に記載の方法。
【請求項４１】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項３８又は３９に記載の方法。
【請求項４２】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項３８又は３９に記載の方法。
【請求項４３】
前記K個のリソースユニットは、前記参照信号リソースセットの中の同じ周波数領域リソースを占有し、前記K個のリソースユニットは、前記参照信号リソースセットの時間領域において連続している、請求項３７乃至４０のうちのいずれか１項に記載の方法。
【請求項４４】
前記K個のリソースユニットは、前記参照信号リソースセットの中の同じ時間領域リソースを占有し、前記K個のリソースユニットは、前記参照信号リソースセットの周波数領域において連続している、請求項３７乃至４０のうちのいずれか１項に記載の方法。
【請求項４５】
前記リソースユニットは、物理リソースブロックPRBであるか、又は、前記リソースユニットは、物理リソースブロック対PRB  pairである、請求項３７乃至４４のうちのいずれか１項に記載の方法。
【請求項４６】
前記参照信号は、復調参照信号DMRS、チャネル状態情報参照信号CSI-RS、又はセル特有参照信号CRSである、請求項３７乃至４４のうちのいずれか１項に記載の方法。
【請求項４７】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項３８乃至４２のうちのいずれか１項に記載の方法。
【請求項４８】
前記M個のグループの各々の中のアンテナポートの番号のうちの複数の番号は連続しており、m番目のグループの中のアンテナポートの番号P(m)は、
(外10)
2019514265.tif 000013
であり、
0≦m≦M−1であり、αは、あらかじめ定められているオフセットである、請求項３８乃至４２のうちのいずれか１項に記載の方法。
【請求項４９】
各々のリソースユニットの中の前記N個の第3のリソースマップは、直交周波数分割多重化OFDMシンボルの3つの対、2つの対、又は1つの対を占有する、請求項３８乃至４２のうちのいずれか１項に記載の方法。
【請求項５０】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項３８乃至４２のうちのいずれか１項に記載の方法。
【請求項５１】
直交カバー符号OCC＝8の拡散符号を使用することによって、各々の第3のリソースマップに対応する8つのチャネル状態情報参照信号CSI-RSに対して、スペクトラム拡散が実行される、請求項４０に記載の方法。
【請求項５２】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項３８乃至４２のうちのいずれか１項に記載の方法。
【請求項５３】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項３８乃至４２のうちのいずれか１項に記載の方法。
【請求項５４】
Yは8以下の整数である、請求項３８に記載の方法。
【請求項５５】
参照信号受信方法であって、
受信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、
前記受信デバイスによって、前記第1のリソースマップに基づいて、目標時間周波数リソースから、Z個のアンテナポートをサポートする前記参照信号を受信するステップと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
方法。
【請求項５６】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項５５に記載の方法。
【請求項５７】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項５６に記載の方法。
【請求項５８】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項５６又は５７に記載の方法。
【請求項５９】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項５６又は５７に記載の方法。
【請求項６０】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項５６又は５７に記載の方法。
【請求項６１】
前記K個のリソースユニットは、前記参照信号リソースセットの中の同じ周波数領域リソースを占有し、前記K個のリソースユニットは、前記参照信号リソースセットの時間領域において連続している、請求項５５乃至５７のうちのいずれか１項に記載の方法。
【請求項６２】
前記K個のリソースユニットは、前記参照信号リソースセットの中の同じ周波数領域時間領域リソースを占有し、前記K個のリソースユニットは、前記参照信号リソースセットの時間領域周波数領域において連続している、請求項５５乃至５７のうちのいずれか１項に記載の方法。
【請求項６３】
前記リソースユニットは、物理リソースブロックPRBであるか、又は、前記リソースユニットは、物理リソースブロック対PRB  pairである、請求項５５乃至６２のうちのいずれか１項に記載の方法。
【請求項６４】
前記参照信号は、復調参照信号DMRS、チャネル状態情報参照信号CSI-RS、又はセル特有参照信号CRSである、請求項５５乃至６１のうちのいずれか１項に記載の方法。
【請求項６５】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項５６乃至６０のうちのいずれか１項に記載の方法。
【請求項６６】
前記M個のグループの各々の中のアンテナポートの番号のうちの複数の番号は連続しており、m番目のグループの中のアンテナポートの番号P(m)は、
(外11)
2019514265.tif 000014
であり、
0≦m≦M−1であり、αは、あらかじめ定められているオフセットである、請求項５６乃至６０のうちのいずれか１項に記載の方法。
【請求項６７】
各々のリソースユニットの中の前記N個の第3のリソースマップは、直交周波数分割多重化OFDMシンボルの3つの対、2つの対、又は1つの対を占有する、請求項５６乃至６０のうちのいずれか１項に記載の方法。
【請求項６８】
前記参照信号は、CSI-RSであり、前記リソースユニットは、物理リソースブロック対PRB  pairであり、Y＝8、且つ、N＝3であり、
各々のリソースユニットの中の前記N個の第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項５６乃至６０のうちのいずれか１項に記載の方法。
【請求項６９】
直交カバー符号OCC＝8の拡散符号を使用することによって、各々の第3のリソースマップに対応する8つのチャネル状態情報参照信号CSI-RSに対して、スペクトラム拡散が実行される、請求項５８に記載の方法。
【請求項７０】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項５６乃至６０のうちのいずれか１項に記載の方法。
【請求項７１】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項５６乃至６０のうちのいずれか１項に記載の方法。
【請求項７２】
Yは8以下の整数である、請求項５６に記載の方法。
【請求項７３】
送信装置であって、
Z個のアンテナポートをサポートする参照信号の第1のリソースマップを決定するように構成される決定ユニットであって、前記第1のリソースマップは、Z個のアンテナポートをサポートする前記参照信号を時間周波数リソースにマッピングする位置を含む、決定ユニットと、
前記第1のリソースマップに基づいて、Z個のアンテナポートをサポートする前記参照信号を目標時間周波数リソースにマッピングした後に、前記参照信号を送信するように構成される送信ユニットと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
装置。
【請求項７４】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項７３に記載の装置。
【請求項７５】
前記K個のリソースユニットの中のいずれか2つの第2のリソースマップは、単一のリソースユニットに対応する時間周波数リソースパターンの中の同じ時間領域位置を占有し、
前記K個のリソースユニット中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項７４に記載の装置。
【請求項７６】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項７４又は７５に記載の装置。
【請求項７７】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項７４又は７５に記載の装置。
【請求項７８】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項７４又は７５に記載の装置。
【請求項７９】
前記K個のリソースユニットは、前記参照信号リソースセットの中の同じ周波数領域リソースを占有し、前記K個のリソースユニットは、前記参照信号リソースセットの時間領域において連続している、請求項７３乃至７６のうちのいずれか１項に記載の装置。
【請求項８０】
前記K個のリソースユニットは、前記参照信号リソースセットの中の同じ時間領域リソースを占有し、前記K個のリソースユニットは、前記参照信号リソースセットの周波数領域において連続している、請求項７３乃至７６のうちのいずれか１項に記載の装置。
【請求項８１】
前記リソースユニットは、物理リソースブロックPRBであるか、又は、前記リソースユニットは、物理リソースブロック対PRB  pairである、請求項７３乃至８０のうちのいずれか１項に記載の装置。
【請求項８２】
前記参照信号は、復調参照信号DMRS、チャネル状態情報参照信号CSI-RS、又はセル特有参照信号CRSである、請求項７３乃至８０のうちのいずれか１項に記載の装置。
【請求項８３】
前記M個のグループの各々の中のアンテナポートの番号は連続しており、m番目のグループの中のアンテナポートの番号P(m)は、
＝[m＊Y＋α,  (m＋1)＊Y−1＋α]
であり、
0≦m≦M−1であり、αは、あらかじめ定められているオフセットである、請求項７４乃至７８のうちのいずれか１項に記載の装置。
【請求項８４】
前記M個のグループの各々の中のアンテナポートの番号のうちの複数の番号は連続しており、m番目のグループの中のアンテナポートの番号P(m)は、
(外12)
2019514265.tif 000015
であり、
0≦m≦M−1であり、αは、あらかじめ定められているオフセットである、請求項７４乃至７８のうちのいずれか１項に記載の装置。
【請求項８５】
各々のリソースユニットの中の前記N個の第3のリソースマップは、直交周波数分割多重化OFDMシンボルの3つの対、2つの対、又は1つの対を占有する、請求項７４乃至７８のうちのいずれか１項に記載の装置。
【請求項８６】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項７４乃至７８のうちのいずれか１項に記載の装置。
【請求項８７】
直交カバー符号OCC＝8の拡散符号を使用することによって、各々の第3のリソースマップに対応する8つのチャネル状態情報参照信号CSI-RSに対して、スペクトラム拡散が実行される、請求項７４に記載の装置。
【請求項８８】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項７４乃至７８のうちのいずれか１項に記載の装置。
【請求項８９】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項７４乃至７８のうちのいずれか１項に記載の装置。
【請求項９０】
Yは8以下の整数である、請求項７４に記載の装置。
【請求項９１】
受信装置であって、
Z個のアンテナポートをサポートする参照信号の第1のリソースマップを決定するように構成される決定ユニットであって、前記第1のリソースマップは、Z個のアンテナポートをサポートする前記参照信号を時間周波数リソースにマッピングする位置を含む、決定ユニットと、
前記第1のリソースマップに基づいて、目標時間周波数リソースから、Z個のアンテナポートをサポートする前記参照信号を受信するように構成される受信ユニットと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
装置。
【請求項９２】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項９１に記載の装置。
【請求項９３】
前記K個のリソースユニットの中のいずれか2つの第2のリソースマップは、単一のリソースユニットに対応する時間周波数リソースパターンの中の同じ時間領域位置を占有し、
前記K個のリソースユニット中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項９２に記載の装置。
【請求項９４】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項９２又は９３に記載の装置。
【請求項９５】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項９３又は９４に記載の装置。
【請求項９６】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項９３又は９４に記載の装置。
【請求項９７】
前記K個のリソースユニットは、前記参照信号リソースセットの中の同じ周波数領域リソースを占有し、前記K個のリソースユニットは、前記参照信号リソースセットの時間領域において連続している、請求項９１乃至９４のうちのいずれか１項に記載の装置。
【請求項９８】
前記K個のリソースユニットは、前記参照信号リソースセットの中の同じ周波数領域時間領域リソースを占有し、前記K個のリソースユニットは、前記参照信号リソースセットの時間領域周波数領域において連続している、請求項９１乃至９４のうちのいずれか１項に記載の装置。
【請求項９９】
前記リソースユニットは、物理リソースブロックPRBであるか、又は、前記リソースユニットは、物理リソースブロック対PRB  pairである、請求項９１乃至９８のいずれか１項に記載の装置。
【請求項１００】
前記参照信号は、復調参照信号DMRS、チャネル状態情報参照信号CSI-RS、又はセル特有参照信号CRSである、請求項９１乃至９８のうちのいずれか１項に記載の装置。
【請求項１０１】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項９２乃至９６のうちのいずれか１項に記載の装置。
【請求項１０２】
前記M個のグループの各々の中のアンテナポートの番号のうちの複数の番号は連続しており、m番目のグループの中のアンテナポートの番号P(m)は、
(外13)
2019514265.tif 000016
であり、
0≦m≦M−1であり、P(m)は、あらかじめ定められているオフセットである、請求項９２乃至９６のうちのいずれか１項に記載の装置。
【請求項１０３】
各々のリソースユニットの中の前記N個の第3のリソースマップは、直交周波数分割多重化OFDMシンボルの3つの対、2つの対、又は1つの対を占有する、請求項９２乃至９６のうちのいずれか１項に記載の装置。
【請求項１０４】
前記参照信号は、CSI-RSであり、前記リソースユニットは、物理リソースブロック対PRB  pairであり、Y＝8、且つ、N＝3であり、
各々のリソースユニットの中の前記N個の第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項９２乃至９６のうちのいずれか１項に記載の装置。
【請求項１０５】
直交カバー符号OCC＝8の拡散符号を使用することによって、各々の第3のリソースマップに対応する8つのチャネル状態情報参照信号CSI-RSに対して、スペクトラム拡散が実行される、請求項９４に記載の装置。
【請求項１０６】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項９２乃至９６のうちのいずれか１項に記載の装置。
【請求項１０７】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項９２乃至９６のうちのいずれか１項に記載の装置。
【請求項１０８】
Yは8以下の整数である、請求項９２に記載の装置。
【請求項１０９】
参照信号送信/受信システムであって、当該システムは、請求項１乃至１８のうちのいずれか１項に記載の前記送信デバイスと請求項１９乃至３６のうちのいずれか１項に記載の前記受信デバイスとを含む、システム。
【請求項１１０】
参照信号送信/受信システムであって、当該システムは、請求項７３乃至９０のうちのいずれか１項に記載の前記送信装置と請求項９１乃至１０８のうちのいずれか１項に記載の前記受信装置とを含む、システム。
【発明の詳細な説明】
【技術分野】
【０００１】
本発明の複数の実施形態は、通信分野に関し、特に、参照信号送信方法、参照信号受信方法、装置、及びシステムに関する。
【背景技術】
【０００２】
モバイル通信システムにおいては、例えば、チャネル推定に使用される参照信号及びチャネル状態測定に使用される参照信号等の複数の異なるタイプの参照信号が存在する。
【０００３】
ロングタームエボリューション(Long  Term  Evolution,  LTE)システムのリリース8(Release  8,  R8)において、セル特有参照信号(Cell-specific  Reference  Signal,  CRS)は、チャネル推定に使用される参照信号であり、各々のリソースユニットにおいて最大4個のアンテナポートによる送信をサポートし、そのリソースユニットは、物理リソースブロック(Physical  Resource  Block,  PRB)であってもよい。LTEのR10においては、復調参照信号(Demodulation  Reference  Signal,  DMRS)は、チャネル推定に使用される参照信号であり、各々のリソースユニットにおいて最大8個のアンテナポートによる送信をサポートする。チャネル状態情報参照信号(Channel  state  information  reference,  CSI-RS)は、チャネル状態測定に使用される参照信号であり、各々のリソースユニットにおいて最大8個のアンテナポートによる送信をサポートする。LTEのR12において、CSI-RSは、各々のリソースユニットにおいて最大16個のアンテナポートによる送信をサポートする。
【０００４】
上記の参照信号は、LTEシステムにおいてアンテナポートの複数の異なる最大数をサポートするが、最大で16個のアンテナポートによる送信をサポートする。例えば、R13等のLTEの以降のリリースにおいて、参照信号は、より多くのアンテナポートをサポートして、より良好な他入力多出力(Multiple-Input  Multiple-Output,  MIMO)パフォーマンスを達成する必要がある。一方で、ある参照信号を送信するのに現在の参照信号送信方法を使用するときに、アンテナポートの数が20、24、28、又は32にまで増加する場合には、参照信号は、各々のリソースユニットにおいて大きな数の無線リソースを占有する必要がある。このことは、モバイル通信システムのリソースオーバーヘッドを増加させる。
【発明の概要】
【０００５】
ある参照信号を送信するのに現在の参照信号送信方法を使用するときに、アンテナポートの数が20、24、28、又は32にまで増加する場合に、参照信号が各々のリソースユニットにおいて大きな数の無線リソースを占有する必要があることに起因して、モバイル通信システムのリソースオーバーヘッドが増加するという問題を解決するために、本発明の複数の実施形態は、参照信号送信方法、参照信号受信方法、装置、及びシステムを提供する。それらの技術的解決方法は、以下のようになる。
【０００６】
第1の態様によれば、本発明は、参照信号送信方法であって、送信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、前記送信デバイスによって、前記第1のリソースマップに基づいて、Z個のアンテナポートをサポートする前記参照信号を目標時間周波数リソースにマッピングした後に、前記参照信号を送信するステップと、を含み、前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、参照信号送信方法を提供する。
【０００７】
本発明にしたがって提供される参照信号送信方法によれば、送信デバイスは、Z個のアンテナポートをサポートする参照信号の第1のリソースマップを決定し、そして、第1のリソースマップに基づいて、Z個のアンテナポートをサポートする参照信号を目標時間周波数リソースにマッピングした後に、その参照信号を送信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０００８】
第1の態様の第1の可能な実装において、前記Z個のアンテナポートは、アンテナポートのM個のグループを含み、各々のグループは、Y個のアンテナポートを含み、Z＝M＊Yであり、前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、Yは、2のべき乗である。
【０００９】
第1の態様の第1の可能な実装に関して、第1の態様の第2の可能な実装において、前記K個のリソースユニットの中のいずれか2つの第2のリソースマップは、単一のリソースユニットに対応する時間周波数リソースパターンの中の同じ時間領域位置を占有し、前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する。
【００１０】
第1の態様の第1の可能な実装又は第1の態様の第2の可能な実装に関して、第1の態様の第3の可能な実装において、前記K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、0≦i≦K−1、且つ、0≦j≦N−1である。
【００１１】
第1の態様の第1の可能な実装又は第1の態様の第2の可能な実装に関して、第1の態様の第4の可能な実装において、前記K個のリソースユニットは、前記参照信号リソースセットの中の同じ時間領域リソースを占有し、前記K個のリソースユニットは、前記参照信号リソースセットの周波数領域において連続しており、前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【００１２】
第1の態様の第1の可能な実装又は第1の態様の第2の可能な実装に関して、第1の態様の第5の可能な実装において、前記K個のリソースユニットは、前記参照信号リソースセットの中の同じ周波数領域リソースを占有し、前記K個のリソースユニットは、前記参照信号リソースセットの時間領域において連続しており、前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【００１３】
第1の態様、第1の態様の第1の可能な実装、第1の態様の第2の可能な実装、又は第1の態様の第3の可能な実装のうちのいずれかに関して、第1の態様の第6の可能な実装において、前記K個のリソースユニットは、前記参照信号リソースセットの中の同じ周波数領域リソースを占有し、前記K個のリソースユニットは、前記参照信号リソースセットの時間領域において連続している。
【００１４】
第1の態様、第1の態様の第1の可能な実装、第1の態様の第2の可能な実装、又は第1の態様の第3の可能な実装のうちのいずれか1つに関して、第1の態様の第7の可能な実装において、前記K個のリソースユニットは、前記参照信号リソースセットの中の同じ時間領域リソースを占有し、前記K個のリソースユニットは、前記参照信号リソースセットの周波数領域において連続している。
【００１５】
第1の態様、第1の態様の第1の可能な実装、第1の態様の第2の可能な実装、第1の態様の第3の可能な実装、第1の態様の第4の可能な実装、第1の態様の第5の可能な実装、第1の態様の第6の可能な実装、又は、第1の態様の第7の可能な実装に関して、第1の態様の第8の可能な実装において、前記リソースユニットは、PRBであるか、又は、前記リソースユニットは、PRB  pairである。
【００１６】
第1の態様、第1の態様の第1の可能な実装、第1の態様の第2の可能な実装、第1の態様の第3の可能な実装、第1の態様の第4の可能な実装、第1の態様の第5の可能な実装、第1の態様の第6の可能な実装、又は第1の態様の第7の可能な実装のうちのいずれか1つに関して、第1の態様の第9の可能な実装において、前記参照信号は、DMRS、CSI-RS、又はCRSである。
【００１７】
第1の態様の第2の可能な実装、第1の態様の第3の可能な実装、第3の態様の第4の可能な実装、又は第1の態様の第5の可能な実装のうちのいずれか1つに関して、第1の態様の第10の可能な実装において、前記M個のグループの各々の中のアンテナポートの番号は連続しており、m番目のグループの中のアンテナポートの番号P(m)は、P(m)＝[m＊Y＋α,  (m＋1)＊Y−1＋α]であり、0≦m≦M−1であり、αは、あらかじめ定められているオフセットである。
【００１８】
第1の態様の第2の可能な実装、第1の態様の第3の可能な実装、第1の態様の第4の可能な実装、又は第1の態様の第5の可能な実装のうちのいずれか1つに関して、第1の態様の第11の可能な実装において、前記M個のグループの各々の中のアンテナポートの番号のうちの複数の番号は連続しており、m番目のグループの中のアンテナポートの番号P(m)は、
(外1)
2019514265.tif 000003
であり、
0≦m≦M−1であり、αは、あらかじめ定められているオフセットである。
【００１９】
第1の態様の第2の可能な実装、第1の態様の第3の可能な実装、第1の態様の第4の可能な実装、又は第1の態様の第5の可能な実装のうちのいずれか1つに関して、第1の態様の第12の可能な実装において、各々のリソースユニットの中の前記N個の第3のリソースマップは、OFDMシンボルの3つの対、2つの対、又は1つの対を占有する。
【００２０】
第1の態様の第2の可能な実装、第1の態様の第3の可能な実装、第1の態様の第4の可能な実装、又は第1の態様の第5の可能な実装のうちのいずれか1つに関して、第1の態様の第13の可能な実装において、前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である。
【００２１】
第1の態様の第13の可能な実装に関して、第1の態様の第14の可能な実装において、直交カバー符号OCC＝8の拡散符号を使用することによって、各々の第3のリソースマップに対応する8つのチャネル状態情報参照信号CSI-RSに対して、スペクトラム拡散が実行される。
【００２２】
第1の態様の第2の可能な実装、第1の態様の第3の可能な実装、第1の態様の第4の可能な実装、又は第1の態様の第5の可能な実装のうちのいずれか1つに関して、第1の態様の第15の可能な実装において、k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【００２３】
第1の態様の第2の可能な実装、第1の態様の第3の可能な実装、第1の態様の第4の可能な実装、又は第1の態様の第5の可能な実装のうちのいずれか1つに関して、第1の態様の第16の可能な実装において、
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である。
【００２４】
第2の態様によれば、本発明は、参照信号受信方法であって、受信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、前記受信デバイスによって、前記第1のリソースマップに基づいて、目標時間周波数リソースから、Z個のアンテナポートをサポートする前記参照信号を受信するステップと、を含み、前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、参照信号受信方法を提供する。
【００２５】
本発明にしたがって提供される参照信号送信方法によれば、受信デバイスは、Z個のアンテナポートをサポートする参照信号の第1のリソースマップを決定し、そして、その第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【００２６】
第2の態様のさまざまな可能な実装については、第1の態様のさまざまな可能な実装を参照するべきである。
【００２７】
第3の態様によれば、本発明は、送信装置を提供し、その送信装置は、少なくとも1つのユニットを含み、その少なくとも1つのユニットは、第1の態様又は第1の態様の複数の可能な実装のうちのいずれか1つにしたがった参照信号送信方法を実装するように構成される。
【００２８】
第4の態様によれば、本発明は、受信装置を提供し、その受信装置は、少なくとも1つのユニットを含み、その少なくとも1つのユニットは、第2の態様又は第2の態様の複数の可能な実装のうちのいずれか1つにしたがった参照信号受信方法を実装するように構成される。
【００２９】
第5の態様によれば、本発明は、送信デバイスを提供する。その送信デバイスは、プロセッサと、そのプロセッサに接続されるメモリ及び送信機と、を含む。そのプロセッサは、1つ又は複数の命令を格納するように構成され、それらの命令は、プロセッサによって実行されるように指示され、そのプロセッサは、第1の態様又は第1の態様の複数の可能な実装のうちのいずれか1つにしたがった参照信号送信方法を実装するように構成され、送信機は、参照信号を変調し、復調し、そして送信するように構成される。
【００３０】
第6の態様によれば、本発明は、受信デバイスを提供する。その受信デバイスは、プロセッサと、そのプロセッサに接続されるメモリ及び送信機と、を含む。そのプロセッサは、1つ又は複数の命令を格納するように構成され、それらの複数の命令は、そのプロセッサによって実行されるように指示され、そのプロセッサは、第2の態様又は第2の態様の複数の可能な実装のうちのいずれか1つにしたがった参照信号受信方法を実装するように構成され、送信機は、参照信号を変調し、復調し、そして受信するように構成される。
【図面の簡単な説明】
【００３１】
本発明の複数の実施形態にしたがった複数の技術的解決方法をより明確に説明するために、以下の記載は、それらの複数の実施形態を説明するのに必要となる複数の添付の図面を簡潔に説明する。明らかなことではあるが、以下の説明の中の複数の添付の図面は、本発明の複数の実施形態のうちのいくつかを示すにすぎず、当業者は、さらに、創造的な努力なくして、これらの複数の添付の図面から他の図面を導き出すことが可能である。
【００３２】
【図１】本発明のある1つの実施形態にしたがった参照信号送信/受信システムの概略的な構成図である。
【図２】本発明のある1つの実施形態にしたがった送信デバイスの概略的な構成図である。
【図３】本発明のある1つの実施形態にしたがった受信デバイスの概略的な構成図である。
【図４】本発明のある1つの実施形態にしたがった参照信号送信/受信方法の方法フローチャートである。
【図５】本発明のある1つの実施形態にしたがったK個のリソースユニットの分布の概略図である。
【図６】本発明のある1つの実施形態にしたがった第1のリソースマップの概略的な部分図である。
【図７】本発明にしたがって提供されないある1つの実施形態にしたがった第1のリソースマップの概略的な部分図である。
【図８】本発明にしたがって提供されない他の実施形態にしたがった第1のリソースマップの概略的な部分図である。
【図９】本発明の他の実施形態にしたがったK個のリソースユニットの分布の概略図である。
【図１０】本発明の他の実施形態にしたがった参照信号送信/受信方法の実装の概略図である。
【図１１】本発明の他の実施形態にしたがった参照信号送信/受信方法の実装の概略図である。
【図１２】本発明の他の実施形態にしたがった参照信号送信/受信方法の実装の概略図である。
【図１３】本発明のある1つの実施形態にしたがった複数のアンテナポートの極性形成方向の概略図である。
【図１４】本発明の他の実施形態にしたがった複数のアンテナポートの極性形成方向の概略図である。
【図１５】各々のリソースユニットの中で、ある1つのCSI-RSが占有することが可能であるリソースエレメントの概略図である。
【図１６Ａ】8個のアンテナポートからなる各々のグループのある1つのCSI-RS配置手法の概略図である。
【図１６Ｂ】8個のアンテナポートからなる各々のグループのある1つのCSI-RS配置手法の概略図である。
【図１６Ｃ】8個のアンテナポートからなる各々のグループのある1つのCSI-RS配置手法の概略図である。
【図１６Ｄ】8個のアンテナポートからなる各々のグループのある1つのCSI-RS配置手法の概略図である。
【図１６Ｅ】8個のアンテナポートからなる各々のグループのある1つのCSI-RS配置手法の概略図である。
【図１７】本発明のある1つの実施形態にしたがった参照信号送信/受信方法の実装の概略図である。
【図１８】本発明のある1つの実施形態にしたがった参照信号送信/受信方法の実装の概略図である。
【図１９】本発明のある1つの実施形態にしたがったDMRS送信/受信方法の実装の概略図である。
【図２０】本発明の他の実施形態にしたがったDMRS送信/受信方法の実装の概略図である。
【図２１】本発明のある1つの実施形態にしたがった送信装置の構成ブロック図である。
【図２２】本発明の他の実施形態にしたがった受信装置の構成ブロック図である。
【発明を実施するための形態】
【００３３】
本発明の目的、技術的解決方法、及び利点をより明確にするために、以下の記載は、複数の添付の図面を参照して、本発明の複数の実装をさらに詳細に説明する。
【００３４】
本明細書の中で言及する"モジュール"は、プログラム又は命令であり、そのプログラム又は命令は、メモリの中に格納され、複数の機能を実装することが可能である。本明細書の中で言及する"ユニット"は、論理に基づいて区分される機能的な構成である。ハードウェアのみによってその"ユニット"を実装してもよく、ソフトウェア及びハードウェアの組み合わせによってその"ユニット"を実装してもよい。
【００３５】
本明細書の中の"複数の"は、2つ又は2つよりも多くの数を意味する。"及び/又は"との記載は、複数の関連する対象を説明するための関連性関係を説明し、3つの関係が存在している場合があるということを表す。例えば、A及び/又はBは、Aのみが存在する、A及びBの双方が存在する、そして、Bのみが存在する、の3つの場合を表していてもよい。文字"/"は、一般的に、それらの複数の関連する対象の間の"又は"の関係を示す。
【００３６】
図1を参照すると、図1は、本発明のある1つの例示的な実施形態にしたがった参照信号送信/受信システムの概略的な構成図を示している。その参照信号送信/受信システムは、送信デバイス120及び受信デバイス140を含む。
【００３７】
送信デバイス120は、参照信号を送信する能力を有している。選択的に、送信デバイス120は、モバイル通信システムの中のアクセスネットワークデバイスである。選択的に、そのアクセスネットワークデバイスは、汎欧州ディジタル移動体通信システム(Global  System  for  Mobile  Communication,  GSM)又は符号分割多元接続(Code  Division  Multiple  Access,  CDMA)における基地局(BTS,  Base  Transceiver  Station)である。選択的に、そのアクセスネットワークデバイスは、UMTSにおける基地局(NodeB)である。選択的に、そのアクセスネットワークデバイスは、ロングタームエボリューション(Long  Term  Evolution,  LTE)における進化型NodeB(evolutional  Node  B,  eNB又はe-NodeB)である。
【００３８】
受信デバイス140は、参照信号を受信する能力を有している。選択的に、受信デバイス140は、モバイル通信システムの中の端末デバイスである。選択的に、アクセスデバイス140は、モバイルサイト(Mobile  Station)、モバイル局(Mobile)、ユーザ端末(User  Terminal)、ユーザデバイス(User  Device)、或いは、例えば、携帯電話、タブレットコンピュータ、又はスマート機器等のユーザ機器(User  Equipment,  UE)であってもよい。
【００３９】
選択的に、送信デバイス120及び受信デバイス140は、無線キャリアを使用することによって互いに通信する。
【００４０】
選択的に、図1に示されている参照信号送信/受信システムは、複数の送信デバイス120及び/又は複数の受信デバイス140を含んでもよく、1つの受信デバイス140は、複数の送信デバイス120との間で通信してもよい。図1には、説明のための1つの例として、1つのみの送信デバイス120及び1つのみの受信デバイス140が示されている。上記のことは、この実施形態においては限定されない。
【００４１】
図2を参照すると、図2は、本発明のある1つの例示的な実施形態にしたがった送信デバイスの概略的な構成図を示している。その送信デバイスは、プロセッサ21、メモリ22、及び送信機23を含む。
【００４２】
プロセッサ21は、メモリ22に接続される。
【００４３】
プロセッサ21は、1つ又は複数のプロセッサコアを含み、ソフトウェアプログラム及びモジュールを起動することによって、プロセッサ21は、さまざまな機能的なアプリケーションを実行し、情報を処理する。
【００４４】
メモリ22は、そのソフトウェアプログラム及びそのモジュールを格納するように構成されてもよい。メモリ22は、オペレーティングシステム24及び少なくとも1つの機能が要求するアプリケーションプログラムモジュール25を格納してもよい。
【００４５】
アプリケーションプログラムモジュール25は、決定モジュール及び送信モジュールを含んでもよい。決定モジュールは、Z個のアンテナポートをサポートする参照信号の第1のリソースマップを決定するように構成される。送信モジュールは、第1のリソースマップに基づいて、Z個のアンテナポートをサポートする参照信号を目標時間周波数リソースにマッピングした後に、参照信号を送信するように構成される。
【００４６】
追加的に、静的なランダムアクセスメモリ(SRAM)、電気的に消去可能かつプログラム可能なリードオンリーメモリ(EEPROM)、消去可能かつプログラム可能なリードオンリーメモリ(EPROM)、プログラム可能なリードオンリーメモリ(PROM)、リードオンリーメモリ(ROM)、磁気メモリ、フラッシュメモリ、磁気ディスク、又は光ディスク等のいずれかのタイプの揮発性記憶デバイス又は不揮発性記憶デバイス或いはそれらの組み合わせによって、メモリ22を実装してもよい。
【００４７】
送信機23は、変調及び復調モジュールと多入力多出力(Multiple  Input  Multiple  Output,  MIMO)アンテナとを含む。MIMOアンテナは、複数のアンテナポートにおける送信/受信をサポートするアンテナである。この実施形態においては、MIMOアンテナは、少なくとも2つの送信アンテナを含む。選択的に、送信機23は、参照信号を変調し、復調し、送信するように構成される。
【００４８】
プロセッサ21は、第1のリソースマップに基づいて、Z個のアンテナポートをサポートする参照信号を目標時間周波数リソースにマッピングした後に、送信機23を使用することによって、参照信号を送信する。
【００４９】
Zは、2よりも大きな整数であるということに留意すべきである。
【００５０】
当業者は、図2に示されている送信デバイス120の構成が、送信デバイス120に対するいかなる限定も構成せず、送信デバイス120が、図面に示されている構成要素よりもより多くの又はより少ない構成要素を含んでもよく、複数の構成要素を組み合わせてもよく、或いは、異なる構成要素の配列を有していてもよいということを理解することができる。
【００５１】
図3を参照すると、図3は、本発明のある1つの例示的な実施形態にしたがった受信デバイス140の概略的な構成図を示している。その受信デバイス140は、プロセッサ31、メモリ32、及び受信機33を含む。
【００５２】
プロセッサ31は、メモリ32に接続される。
【００５３】
プロセッサ31は、1つ又は複数のプロセッサコアを含み、ソフトウェアプログラム及びモジュールを起動することによって、プロセッサ31は、さまざまな機能的なアプリケーションを実行し、情報を処理する。
【００５４】
メモリ32は、そのソフトウェアプログラム及びそのモジュールを格納するように構成されてもよい。メモリ32は、さらに、オペレーティングシステム35及び少なくとも1つの機能が要求するアプリケーションプログラムモジュール36を格納してもよい。
【００５５】
そのアプリケーションプログラムモジュール36は、決定モジュール及び受信モジュールを含んでもよい。その決定モジュールは、Z個のアンテナポートをサポートする参照信号の第1のリソースマップを決定するように構成される。その受信モジュールは、第1のリソースマップに基づいて、目標時間周波数リソースから、Z個のアンテナポートをサポートする参照信号を受信するように構成される。
【００５６】
追加的に、静的なランダムアクセスメモリ(SRAM)、電気的に消去可能かつプログラム可能なリードオンリーメモリ(EEPROM)、消去可能かつプログラム可能なリードオンリーメモリ(EPROM)、プログラム可能なリードオンリーメモリ(PROM)、リードオンリーメモリ(ROM)、磁気メモリ、フラッシュメモリ、磁気ディスク、又は光ディスク等のいずれかのタイプの揮発性記憶デバイス又は不揮発性記憶デバイス或いはそれらの組み合わせによって、メモリ32を実装してもよい。
【００５７】
受信機33は、変調及び復調モジュールとMIMOアンテナとを含む。MIMOアンテナは、複数のアンテナポートにおける送信/受信をサポートするアンテナである。この実施形態においては、MIMOアンテナは、少なくとも2つの送信アンテナを含む。選択的に、受信機33は、参照信号を変調し、復調し、受信するように構成される。
【００５８】
受信機31は、受信機33を使用することによって、第1のリソースマップに基づいて、目標時間周波数リソースから、Z個のアンテナポートをサポートする参照信号を受信する。
【００５９】
Zは、4以上の整数であるということに留意すべきである。
【００６０】
当業者は、図3に示されている受信デバイス140の構成が、受信デバイス140に対するいかなる限定も構成せず、受信デバイス140が、図面に示されている構成要素よりもより多くの又はより少ない構成要素を含んでもよく、複数の構成要素を組み合わせてもよく、或いは、異なる構成要素の配列を有していてもよいということを理解することができる。
【００６１】
図4を参照して、図4は、本発明のある1つの例示的な実施形態にしたがった参照信号送信/受信方法の方法フローチャートを示している。図1に図示されている送信デバイスにその参照信号送信方法を適用するある1つの例を使用することによって、この実施形態を説明する。図4に示されているように、参照信号送信/受信方法は、以下のステップを含む。
【００６２】
ステップ401:  送信デバイスは、Z個のアンテナポートをサポートする参照信号の第1のリソースマップを決定する。
【００６３】
第1のリソースマップは、Z個のアンテナポートをサポートする参照信号を時間周波数リソースにマッピングする位置を含む。
【００６４】
送信デバイスは、あらかじめ定められたリソースマッピング規則にしたがって、Z個のアンテナをサポートするその参照信号の第1のリソースマップを決定する。
【００６５】
ステップ402:  送信デバイスは、第1のリソースマップに基づいて、Z個のアンテナポートをサポートする参照信号を目標時間周波数リソースにマッピングした後に、参照信号を送信する。
【００６６】
送信デバイスは、第1のリソースマップに基づいて、目標時間周波数リソースに、Z個のアンテナポートをサポートするその参照信号をマッピングし、その参照信号に対して、離散化、時間領域前処理、フーリェ変換(Fast  Fourier  Transformation,  FFT)、周波数領域分析、フィルタリング、又は逆フーリェ変換(Inverse  Fast  Fourier  Transformation,  IFFT)等の当業者によく知られている複数の処理ステップを実行し、そして、参照信号の処理を完了した後に、その参照信号を送信する。
【００６７】
ステップ403:  受信デバイスは、Z個のアンテナポートをサポートする参照信号の第1のリソースマップを決定する。
【００６８】
受信デバイスは、あらかじめ定められたリソースマッピング規則にしたがって、Z個のアンテナポートをサポートするその参照信号の第1のリソースマップを決定する。
【００６９】
ステップ404:  受信ユニットは、第1のリソースマップに基づいて、目標時間周波数リソースから、Z個のアンテナポートをサポートする参照信号を受信する。
【００７０】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【００７１】
P個のアンテナポートは、第1のリソースマップに対応するZ個のアンテナポートの適正なサブセットである。
【００７２】
Zは、4以上の整数であり、Pは、2よりも大きな整数であり、Kは、2よりも大きな整数であり、Hは、2よりも大きな整数であり、Gは、2よりも大きな整数であるということに留意すべきである。
【００７３】
送信デバイス側での方法の実施形態としてステップ401及びステップ402を個別に実装してもよく、受信デバイス側での方法の実施形態としてステップ403及びステップ404を個別に実装してもよいということに留意すべきである。
【００７４】
結論として、本発明のこの実施形態にしたがって提供される参照信号送信/受信方法によれば、送信デバイスは、Z個のアンテナポートをサポートする参照信号の第1のリソースマップを決定し、そして、その第1のリソースマップに基づいて、Z個のアンテナポートをサポートする参照信号を目標時間周波数リソースにマッピングした後に、その参照信号を送信し、受信デバイスは、第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【００７５】
LTEシステムにおいては、リソースユニットは、時間周波数リソースユニットであり、その時間周波数リソースユニットは、送信されるデータを搬送するのに使用される。そのリソースユニットは、物理リソースブロック(Physical  Resource  Block,  PRB)、物理リソースブロック対(Physical  Resource  Block  pair,  PRB  pair)、物理リソースブロックグループ(Physical  Resource  Block  Group,  RBG)、又は、仮想リソースブロック(Virtual  Resource  Block,  VRB)であってもよい。選択的に、1つのPRB  pairは、周波数領域において12個の連続するサブキャリアを含み、時間領域において14個の連続するシンボルを含む。そのシンボルは、LTEシステムの直交周波数分割多重化(Orthogonal  Frequency  Division  Multiplexing,  OFDM)シンボルであるか、又はシングルキャリア周波数分割多元接続(Single-carrier  Frequency-Division  Multiple  Access,  SC-FDMA)シンボルであり、LTEシステムにおいては、サブキャリアの周波数領域は15[kHz]であり、或いは、そのシンボルは、サブキャリアの周波数領域が15[kHz]よりも大きい通信システムのシンボルである。1つのPRB  pairは、時間領域において1つの送信時間長のリソースを占有する。異なるLTEリリースにおいては、その送信時間長は、1シンボルから14シンボルまでのいずれかのシンボル数であってもよい。本発明のこの実施形態においては、説明のために、リソースユニットがPRB  pairとなっているある1つの例を使用する。
【００７６】
本発明のこの実施形態においては、第1のリソースマップについて3つの可能な実装が存在する。
【００７７】
第1の実装において、第1のリソースマップは、K個のリソースユニットの反復単位にしたがって周波数領域において反復され、K個のリソースユニットは、参照信号リソースセットの中の同じ時間領域リソースを占有し、K個のリソースユニットは、参照信号リソースセットの中で周波数領域におけるK個の連続するリソースユニットである。
【００７８】
第2の実装において、第1のリソースマップは、K個のリソースユニットの反復単位にしたがって時間領域において反復され、K個のリソースユニットは、参照信号リソースセットの中の同じ周波数領域リソースを占有し、K個のリソースユニットは、参照信号リソースセットの中で時間領域におけるK個の連続するリソースユニットである。
【００７９】
第3の実装において、第1のリソースマップは、K個のリソースグループの反復単位にしたがって時間領域及び周波数領域において反復され、各々のリソースグループは、K個のリソースユニットを含む。
【００８０】
Kは、2よりも大きい整数であるということに留意すべきである。
【００８１】
以下の記載では、それらの3つの実装を個別かつ詳細に説明する。
【００８２】
第1の可能な実装において、K個のリソースユニットは、参照信号リソースセットの中の同じ時間領域リソースを占有し、その参照信号リソースセットの周波数領域において連続している。言い換えると、図5に示されているように、K個のリソースユニットは、周波数領域において一様に配列され、周波数領域における2つの隣接するリソースユニットは、他のサブキャリアを含まない。加えて、周波数領域における2つの隣接するリソースユニットの間にはいかなる他のリソースユニットも存在しない。
【００８３】
第1のリソースマップに基づいて、Z個のアンテナポートをサポートする参照信号を目標時間領域にマッピングした後に、参照信号を送る。Kごとに、その第1のリソースマップの中のリソースユニットは、Z個のアンテナポートに対応する。
【００８４】
選択的に、Z個のアンテナポートは、アンテナポートのM個のグループを含み、各々のグループは、Y個のアンテナポートを含み、Z＝M＊Yである。Yは、2のべき乗である。
【００８５】
選択的に、Yは、8以下の整数であり、例えば、Yは、2、4、又は8である。
【００８６】
Zは、4以上の整数であり、Mは、2以上の整数であり、Nは、2以上の整数であるということに留意すべきである。
【００８７】
K個のリソースユニットの各々は、P個のアンテナポートをサポートする参照信号の第2のリソースマップに対応しており、P＜Zである。第2のリソースマップは、N個の第3のリソースマップを集約することによって取得され、P＝N＊Yである。2つの隣接するリソースユニットごとの第2のリソースマップに対応するP個のアンテナポートは、G個の同じアンテナポート及びH個の異なるアンテナポートを含み、G＝A＊Y、H＝B＊Y、A＋B＝Nである。言い換えると、それらのK個のリソースユニットにおいて、いずれか2つのリソースユニットによって送られる参照信号に対応するアンテナポートは、正確には同じではなく、又は、いずれか2つのリソースユニットによって送られる参照信号のうちの少なくともB＊Y個の参照信号に対応するアンテナポートは、異なっている。
【００８８】
Hは、2よりも大きな整数であり、Gは、2よりも大きな整数であり、Aは、1以上の整数であり、Bは、1以上の整数であるということに留意すべきである。
【００８９】
選択的に、各々の第3のリソースマップは、アンテナポートのM個のグループのうちのアンテナポートの1つのグループに対応している。
【００９０】
K個のリソースユニットは、K個の第2のリソースマップを含み、各々の第2のリソースマップは、N個の第3のリソースマップを含むということを理解することが可能である。
【００９１】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。周波数領域においていずれかの2つの隣接するリソースユニットによって送られる参照信号の中に、それらの参照信号に対応する2＊8＝16個の同じアンテナポートが存在し、そして、それらの参照信号に対応する1＊8＝8個の異なるアンテナポートが存在する。
【００９２】
Zは、4以上の整数であり、Kは、2よりも大きな整数であり、Mは、2以上の整数であり、Nは、2以上の整数であるということに留意すべきである。
【００９３】
図6を参照すると、図6は、第1のリソースマップの中の4つのリソースユニットに対応するある1つの概略的な部分図である。それらの4つのリソースユニットは、0乃至3の番号を付され、それらの4つのリソースユニット0乃至3は、4つの第2のリソースマップに対応している。リソースユニット0は、3つの第3のリソースマップを含み、それらの3つの第3のリソースマップは、それぞれ、アンテナポート0乃至7、アンテナポート8乃至15、及びアンテナポート16乃至23に対応し、合計で3＊8＝24個のアンテナポートが存在する。リソースユニット1も、同様に、3つの第3のリソースマップを含み、それらの3つの第3のリソースマップは、それぞれ、アンテナポート8乃至15、アンテナポート16乃至23、及びアンテナポート24乃至31に対応する。リソースユニット2も、同様に、3つの第3のリソースマップを含み、それらの3つの第3のリソースマップは、それぞれ、アンテナポート16乃至23、アンテナポート24乃至31、及びアンテナポート0乃至7に対応する。リソースユニット3も、同様に、3つの第3のリソースマップを含み、それらの3つの第3のリソースマップは、それぞれ、アンテナポート24乃至31、アンテナポート0乃至7、及びアンテナポート8乃至15に対応する。
【００９４】
互いに隣接するリソースユニット0及びリソースユニット1において、複数の参照信号に対応する16個の同じアンテナポートが存在し、具体的にいうと、アンテナポート8乃至15及びアンテナポート16乃至23が含まれ、それらの複数の参照信号に対応する8個の異なるアンテナポートが存在し、例えば、アンテナポート0乃至7は、アンテナポート24乃至31とは異なっている。
【００９５】
K個のリソースユニットの中のいずれかの2つのリソースユニットを使用して送信される複数の参照信号に対応するアンテナポートは、正確には同じではない。例えば、図6の4つのリソースユニットのうちのリソースユニット0及びリソースユニット2において、複数の参照信号に対応する8個の異なるアンテナポート、すなわち、アンテナポート16乃至23が存在し、それらの複数の参照信号に対応する16個の異なるアンテナポートが存在し、例えば、アンテナポート0乃至7は、アンテナポート8乃至15とは異なる。各々の第2のリソースマップの中のアンテナポートの1つのグループは、1つの第3のリソースマップに対応している。図6においては、4つのタイプの第3のリソースマップが存在する。例えば、リソースユニット3の中のアンテナポート8乃至15に対応する参照信号を送信するのに使用される時間周波数リソースは、1つの第3のリソースマップに対応している。
【００９６】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【００９７】
リソースユニットの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。本発明のこの実施形態においては、周波数領域においてそれらの番号を周波数の低いほうから高いほうへと配列するある1つの例を使用する。
【００９８】
第3のリソースマップの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。各々のリソースユニットの中の複数の第3のリソースマップについて、同じ番号付けの規則を使用する。
【００９９】
j番目の第3のリソースマップに対応しているとともにアンテナポートのM個のグループの中に存在するアンテナポートのグループは、j番目の第3のリソースマップに対応しているとともにアンテナポートのM個のグループの中に存在するアンテナポートの他のグループとは異なるということに留意すべきである。
【０１００】
Kは、2よりも大きな整数であり、Mは、2以上の整数であり、Nは、2以上の整数であり、i及びjは、整数であるということに留意すべきである。
【０１０１】
図6を参照すると、ある1つの例として、周波数領域において互いに隣接しているリソースユニット0及びリソースユニット1を使用する。リソースユニット0の左側にある0番目の第3のリソースマップ及びリソースユニット1の左側にある0番目の第3のリソースマップは、同じ時間領域位置及び同じ周波数領域位置を占有している。リソースユニット0の中央にある1番目の第3のリソースマップ及びリソースユニット1の中央にある1番目の第3のリソースマップは、同じ時間領域位置及び同じ周波数領域位置を占有している。リソースユニット0の右側にある3番目の第3のリソースマップ及びリソースユニット1の右側にある3番目の第3のリソースマップは、同じ時間領域位置及び同じ周波数領域位置を占有している。
【０１０２】
リソースユニット0の左側にある0番目の第3のリソースマップは、アンテナポート0乃至7に対応する参照信号に対応しており、リソースユニット1の左側にある0番目の第3のリソースマップは、アンテナポート8乃至15に対応する参照信号に対応している。
【０１０３】
リソースユニット0の中央にある1番目の第3のリソースマップは、アンテナポート8乃至15に対応する参照信号に対応しており、リソースユニット1の中央にある1番目の第3のリソースマップは、アンテナポート16乃至23に対応する参照信号に対応している。
【０１０４】
リソースユニット0の右側にある2番目の第3のリソースマップは、アンテナポート16乃至23に対応する参照信号に対応しており、リソースユニット1の右側にある2番目の第3のリソースマップは、アンテナポート24乃至31に対応する参照信号に対応している。
【０１０５】
2つの隣接するリソースユニットごとの第2のリソースマップに対応するP個のアンテナポートは、G個の同じアンテナポート及びH個の異なるアンテナポートを含むということを、図6から理解することが可能である。複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０１０６】
Pは、2よりも大きな整数であり、Hは、2よりも大きな整数であり、Gは、2よりも大きな整数であるということに留意すべきである。
【０１０７】
図6に示されている技術的解決方法の有益な効果をより明確に説明するために、図7及び8を参照すると、図7及び8は、それぞれ、本発明にしたがって提供されない複数の実施形態にしたがった32個のアンテナポートに対応する参照信号の送信の概略図を示している。
【０１０８】
図7に示されている技術的解決方法においては、32個のアンテナポートに対応する参照信号は、各々のリソースユニットを使用して送信される。この場合には、各々のリソースユニットは、32個の時間周波数リソースユニットを占有する必要があり、送信密度は1である、すなわち、各々のアンテナポートに対応する参照信号は、各々のリソースユニットの中で1回出現する。
【０１０９】
図8に示されている技術的解決方法においては、16個のアンテナポートに対応する参照信号は、各々のリソースユニットを使用して送信され、2つの隣接するリソースユニットを使用して送信される参照信号に対応するアンテナポートは、異なっている。この場合には、各々のリソースユニットは、16個の時間周波数リソースユニットを占有する必要があり、送信密度は0.5である、すなわち、各々のアンテナポートに対応する参照信号は、2つのリソースユニットごとに1回出現する。
【０１１０】
図6に示されている技術的解決方法においては、各々のリソースユニットは、24個の時間周波数リソースユニットを占有する必要があり、この場合には、送信密度は0.75である、即ち、各々のアンテナポートに対応する参照信号は、4つのリソースユニットごとに3回出現する。したがって、図6に示されている手法は、各々のリソースユニットの中ですべてのアンテナポートに対応する参照信号によって占有される時間周波数リソースの数を減少させることが可能であるのみならず、それらの参照信号の送信密度を保証することも可能である。
【０１１１】
図6、図7、及び図8におけるアンテナポートの番号は、例示的な説明を目的としたものであるにすぎず、あるアンテナポートのある特定の番号を示すものではないということに留意すべきである。このことは、本発明のこの実施形態においては限定されない。
【０１１２】
図5及び6に示されている手法とは異なる第2の可能な実装において、K個のリソースユニットは、参照信号リソースセットの中の同じ周波数領域リソースを占有し、それらのK個のリソースユニットは、その参照信号リソースセットの時間領域において連続している。言い換えると、K個のリソースユニットは、時間領域において一様に配列され、時間領域における2つの隣接するリソースユニットは、第1のシンボルを含まない。その第1のシンボルは、参照信号を送信するためのシンボルとして構成される。これに対して、図9に示されているように、時間領域における2つの隣接するリソースユニットは、第2のシンボルを含んでもよく、その第2のシンボルは、参照信号以外の信号を送信するためのシンボルとして構成される。加えて、時間領域における2つの隣接するリソースユニットの間にはいかなる他のリソースユニットも存在しない。
【０１１３】
第1のリソースマップに基づいて、Z個のアンテナポートをサポートする参照信号を目標時間領域にマッピングした後に、その参照信号を送る。Kごとに、リソースユニットは、Z個のアンテナポートに対応し、Z個のアンテナポートは、アンテナポートのM個のグループを含み、各々のグループは、Y個のアンテナポートを含み、Z＝M＊Yである。Yは、2のべき乗である。
【０１１４】
選択的に、Yは、8以下の整数であり、例えば、Yは、2、4、又は8である。
【０１１５】
K個のリソースユニットの各々は、P個のアンテナポートをサポートする参照信号の第2のリソースマップに対応しており、P＜Zである。第2のリソースマップは、N個の第3のリソースマップを集約することによって取得され、P＝N＊Yである。2つの隣接するリソースユニットごとの第2のリソースマップに対応するP個のアンテナポートは、G個の同じアンテナポート及びH個の異なるアンテナポートを含み、G＝A＊Y、H＝B＊Y、A＋B＝Nである。言い換えると、それらのK個のリソースユニットにおいて、いずれか2つのリソースユニットによって送られる参照信号に対応するアンテナポートは、正確には同じではなく、又は、いずれか2つのリソースユニットによって送られる参照信号のうちの少なくともB＊Y個の参照信号に対応するアンテナポートは、異なっている。
【０１１６】
選択的に、各々の第3のリソースマップは、アンテナポートのM個のグループのうちのアンテナポートの1つのグループに対応している。
【０１１７】
第1のリソースマップの中のK個のリソースユニットは、K個の第2のリソースマップを含み、各々の第2のリソースマップは、N個の第3のリソースマップを含むということを理解することが可能である。
【０１１８】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。いずれかの2つの隣接するリソースユニットによって送られる参照信号の中に、それらの参照信号に対応する2＊8＝16個の同じアンテナポートが存在し、そして、それらの参照信号に対応する1＊8＝8個の異なるアンテナポートが存在する。
【０１１９】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であるということに留意すべきである。
【０１２０】
図10を参照すると、図10は、第1のリソースマップの中のK個のリソースユニットに対応するある1つの概略的な部分図である。それらの4つのリソースユニットは、0乃至3の番号を付され、それらの4つのリソースユニット0乃至3は、4つの第2のリソースマップに対応している。リソースユニット0は、3つの第3のリソースマップを含み、それらの3つの第3のリソースマップは、それぞれ、アンテナポート0乃至7、アンテナポート8乃至15、及びアンテナポート16乃至23に対応し、合計で3＊8＝24個のアンテナポートが存在する。リソースユニット1も、同様に、3つの第3のリソースマップを含み、それらの3つの第3のリソースマップは、それぞれ、アンテナポート8乃至15、アンテナポート16乃至23、及びアンテナポート24乃至31に対応する。リソースユニット2も、同様に、3つの第3のリソースマップを含み、それらの3つの第3のリソースマップは、それぞれ、アンテナポート16乃至23、アンテナポート24乃至31、及びアンテナポート0乃至7に対応する。リソースユニット3も、同様に、3つの第3のリソースマップを含み、それらの3つの第3のリソースマップは、それぞれ、アンテナポート24乃至31、アンテナポート0乃至7、及びアンテナポート8乃至15に対応する。
【０１２１】
互いに隣接するリソースユニット0及びリソースユニット1において、複数の参照信号に対応する16個の同じアンテナポートが存在し、具体的にいうと、アンテナポート8乃至15及びアンテナポート16乃至23が含まれ、それらの複数の参照信号に対応する8個の異なるアンテナポートが存在し、例えば、アンテナポート0乃至7は、アンテナポート24乃至31とは異なっている。
【０１２２】
いずれかの2つのリソースユニットを使用して送信される複数の参照信号に対応するアンテナポートは、正確には同じではない。例えば、リソースユニット0及びリソースユニット2において、複数の参照信号に対応する8個の異なるアンテナポート、すなわち、アンテナポート16乃至23が存在し、それらの複数の参照信号に対応する16個の異なるアンテナポートが存在し、例えば、アンテナポート0乃至7は、アンテナポート8乃至15とは異なる。
【０１２３】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応している。
【０１２４】
リソースユニットの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。本発明のこの実施形態においては、周波数領域においてそれらの番号を周波数の低いほうから高いほうへと配列するある1つの例を使用する。
【０１２５】
第3のリソースマップの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。各々のリソースユニットの中の複数の第3のリソースマップについて、同じ番号付けの規則を使用する。
【０１２６】
j番目の第3のリソースマップに対応しているとともにアンテナポートのM個のグループの中に存在するアンテナポートのグループは、j番目の第3のリソースマップに対応しているとともにアンテナポートのM個のグループの中に存在するアンテナポートの他のグループとは異なるということに留意すべきである。
【０１２７】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であるということに留意すべきである。
【０１２８】
図10におけるアンテナポートの番号は、例示的な説明を目的としたものであるにすぎず、あるアンテナポートのある特定の番号を示すものではないということに留意すべきである。このことは、本発明のこの実施形態においては限定されない。
【０１２９】
図11に示されているように、第3の可能な実装において、第1のリソースマップは、K個の反復単位を含んでもよく、それらのK個の反復単位は、複数の異なる時間領域位置において順番に配列され、それらのK個の反復単位のうちの各々の反復単位は、複数のリソースユニットを含み、それらの複数のリソースユニットの位置は、各々の反復単位の中では同じである。
【０１３０】
図11は、第1のリソースマップの概略的な部分図を示している。その概略的な部分図は、1つの反復単位を含み、その反復単位は、16個のリソースユニットを含んでいる。参照信号の送信の間に各々の反復単位の中で同じ時間領域位置にある4つのリソースユニットによって使用される手法は、図6に示されている手法と同じであるか又は同様である。本明細書においては、詳細な説明は繰り返して行われない。参照信号の送信の間に各々の反復単位の中で同じ周波数領域位置にある4つのリソースユニットによって使用される手法は、図10に示されている手法と同じであるか又は同様である。本明細書においては、詳細な説明は繰り返して行われない。
【０１３１】
図11におけるアンテナポートの番号は、例示的な説明を目的としたものであるにすぎず、あるアンテナポートのある特定の番号を示すものではないということに留意すべきである。このことは、本発明のこの実施形態においては限定されない。
【０１３２】
上記の実施形態において、各々の第3のリソースマップが、時間領域において1つのOFDMシンボル対を占有するか、各々のリソースユニットの中の3つの第3のリソースマップが、OFDMシンボルの3つの対を占有するか、或いは、各々のリソースユニットの中の3つの第3のリソースマップが、OFDMシンボルの2つの対又は1つの対を占有してもよいということを仮定する。
【０１３３】
OFDMシンボル対は、2つの連続的なOFDMシンボルであり、例えば、5番目のOFDMシンボル及び6番目のOFDMシンボルは、1つのOFDMシンボル対となる。
【０１３４】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。
【０１３５】
図12を参照すると、4つのリソースユニットは、0乃至3の番号を付されている。リソースユニット0においては、3＊8個の参照信号が送信され、それらの3＊8個の参照信号は、それぞれ、アンテナポート0乃至7、アンテナポート8乃至15、及びアンテナポート16乃至23に対応している。リソースユニット1においては、3＊8個の参照信号が送信され、それらの3＊8個の参照信号は、それぞれ、アンテナポート8乃至15、アンテナポート16乃至23、及びアンテナポート24乃至31に対応している。リソースユニット2においては、3＊8個の参照信号が送信され、それらの3＊8個の参照信号は、それぞれ、アンテナポート16乃至23、アンテナポート24乃至31、及びアンテナポート乃至7に対応している。リソースユニット3においては、3＊8個の参照信号が送信され、それらの3＊8個の参照信号は、それぞれ、アンテナポート24乃至31、アンテナポート0乃至7、及びアンテナポート8乃至15に対応している。各々のリソースユニットは、3つの第3のリソースマップを含み、それらの3つの第3のリソースマップは、OFDMシンボルの2つの対を占有する。
【０１３６】
Zは、4以上の整数であり、Kは、2よりも大きな整数であり、Mは、2以上の整数であり、Nは、2以上の整数であるということに留意すべきである。
【０１３７】
図12におけるアンテナポートの番号は、例示的な説明を目的としたものであるにすぎず、あるアンテナポートのある特定の番号を示すものではないということに留意すべきである。このことは、本発明のこの実施形態においては限定されない。
【０１３８】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０１３９】
"k  mod  M"は、Mで除算したkの剰余を示す。図6を参照すると、例えば、kは0であり、βは0であり、アンテナポートの0乃至3の番号を付された4つのグループが存在する。リソースユニット0の第2のリソースマップに対応するアンテナポートの3つのグループは、アンテナポートの4つのグループのうちで、アンテナポート0乃至7の0番目のグループ、アンテナポート8乃至15の1番目のグループ、及びアンテナポート16乃至23の2番目のグループである。Kは、2よりも大きな整数であり、Mは、2以上の整数であり、kは、0以上の整数であるということに留意すべきである。
【０１４０】
上記の実施形態において、説明のためのある1つの例として、Z＝M＊Y＝4＊8＝32個のアンテナポートを使用する。複数の異なる実施形態においては、8、16、20、24、64、又は他の数のアンテナポートが存在してもよい。Yごとに、アンテナポートは、アンテナポートの1つのグループとして考えられ、Yは、2のべき乗である。
【０１４１】
8個のアンテナポートが存在する場合に、それらのアンテナポートを4個のグループに分割してもよく、各々のグループは、2個のアンテナポートを含む。第2のリソースマップは、N個の第3のリソースマップを含み、1＜N＜4である。代替的に、それらのアンテナポートを2個のグループに分割してもよく、各々のグループは、4個のアンテナポートを含む。第2のリソースマップは、N個の第3のリソースマップを含み、N＝2である。
【０１４２】
16個のアンテナポートが存在する場合に、それらのアンテナポートを8個のグループに分割してもよく、各々のグループは、2個のアンテナポートを含む。第2のリソースマップは、N個の第3のリソースマップを含み、1＜N＜7である。代替的に、それらのアンテナポートを4個のグループに分割してもよく、各々のグループは、4個のアンテナポートを含む。第2のリソースマップは、N個の第3のリソースマップを含み、1＜N＜4である。代替的に、それらのアンテナポートを2個のグループに分割してもよく、各々のグループは、8個のアンテナポートを含む。第2のリソースマップは、N個の第3のリソースマップを含み、N＝2である。
【０１４３】
20個のアンテナポートが存在する場合に、それらのアンテナポートを10個のグループに分割してもよく、各々のグループは、2個のアンテナポートを含む。第2のリソースマップは、N個の第3のリソースマップを含み、1＜N＜10である。代替的に、それらのアンテナポートを5個のグループに分割してもよく、各々のグループは、4個のアンテナポートを含む。第2のリソースマップは、N個の第3のリソースマップを含み、1＜N＜5である。
【０１４４】
24個のアンテナポートが存在する場合に、それらのアンテナポートを12個のグループに分割してもよく、各々のグループは、2個のアンテナポートを含む。第2のリソースマップは、N個の第3のリソースマップを含み、1＜N＜12である。代替的に、それらのアンテナポートを6個のグループに分割してもよく、各々のグループは、4個のアンテナポートを含む。第2のリソースマップは、N個の第3のリソースマップを含み、1＜N＜6である。代替的に、それらのアンテナポートを3個のグループに分割してもよく、各々のグループは、8個のアンテナポートを含む。第2のリソースマップは、N個の第3のリソースマップを含み、N＝2である。
【０１４５】
28個のアンテナポートが存在する場合に、それらのアンテナポートを14個のグループに分割してもよく、各々のグループは、2個のアンテナポートを含む。第2のリソースマップは、N個の第3のリソースマップを含み、1＜N＜14である。代替的に、それらのアンテナポートを7個のグループに分割してもよく、各々のグループは、4個のアンテナポートを含む。第2のリソースマップは、N個の第3のリソースマップを含み、1＜N＜7である。
【０１４６】
32個のアンテナポートが存在する場合に、それらのアンテナポートを16個のグループに分割してもよく、各々のグループは、2個のアンテナポートを含む。第2のリソースマップは、N個の第3のリソースマップを含み、1＜N＜16である。代替的に、それらのアンテナポートを8個のグループに分割してもよく、各々のグループは、4個のアンテナポートを含む。第2のリソースマップは、N個の第3のリソースマップを含み、1＜N＜8である。代替的に、それらのアンテナポートを4個のグループに分割してもよく、各々のグループは、8個のアンテナポートを含む。第2のリソースマップは、N個の第3のリソースマップを含み、1＜N＜4である。
【０１４７】
本明細書においては、上記のようなことは、繰り返して説明されない。アンテナポートの各々のグループの複数の参照信号は、1つのリソースユニットの中の1つの第3のリソースマップに対応していてもよい。選択的に、符号分割多重化(Code-Division  Multiplexing,  CDM)手法にしたがって、アンテナポートの同じグループに対応している複数の参照信号を送信する、すなわち、直交カバー符号(Orthogonal  Cover  Code,  OCC)を使用することによって、それらの複数の参照信号に対してスペクトラム拡散送信を実行する。
【０１４８】
アンテナポートのM個のグループは、また、以下の規則に従ってもよい。
【０１４９】
第1の規則によれば、M個のグループの各々の中のアンテナポートの番号は連続しており、m番目のグループの中のアンテナポートの番号P(m)は、P(m)＝[m＊Y＋α,  (m＋1)＊Y−1＋α]であり、0≦m≦M−1であり、αは、あらかじめ定められているオフセットである。選択的に、参照信号が、チャネル状態情報参照信号(Channel  state  information  reference,  CSI-RS)である場合には、αは15である。
【０１５０】
アンテナポートの各々のグループの中のY個のアンテナポートに対応するY個の参照信号に対応するアンテナポートは、同じ極性形成方向を有する。
【０１５１】
Zは、4以上の整数であり、Kは、2よりも大きな整数であり、Mは、2以上の整数であり、Nは、2以上の整数であるということに留意すべきである。
【０１５２】
図13に示されているように、ある1つの例として32個のアンテナポートを使用し、αは0であり、アンテナポートの4つのグループは、0から3までの番号を付されている。0番目のグループの中のアンテナポートの番号は、0から7まで連続しており、それらの8個のアンテナポートは、＋45°の同じ極性形成方向を有している。1番目のグループの中のアンテナポートの番号は、8から15まで連続しており、それらの8個のアンテナポートは、＋45°の同じ極性形成方向を有している。2番目のグループの中のアンテナポートの番号は、16から23まで連続しており、それらの8個のアンテナポートは、−45°の同じ極性形成方向を有している。3番目のグループの中のアンテナポートの番号は、24から31まで連続しており、それらの8個のアンテナポートは、−45°の同じ極性形成方向を有している。
【０１５３】
第2の規則によれば、M個のグループの各々の中のアンテナポートの番号のうちの複数の番号は連続しており、m番目のグループの中のアンテナポートの番号P(m)は、
(外2)
2019514265.tif 000004
である。
【０１５４】
アンテナポートのm番目のグループの中のアンテナポートの第1のグループは、同じ第1の極性形成方向を有し、アンテナポートの第2のグループは、同じ第2の極性形成方向を有し、第1の極性形成方向は、第2の極性形成方向とは異なっている。
【０１５５】
図14に示されているように、ある1つの例として32個のアンテナポートを使用し、αは0であり、アンテナポートの4個のグループは、0から3までの番号を付されている。0番目のグループの中のアンテナポートの番号のうちの一部の番号は、連続しており、それらの番号は、それぞれ、0から3までと16から19までであり、アンテナポート0乃至3は、連続した番号を有し、＋45°の第1の極性形成方向を有し、そして、アンテナポート16乃至19は、連続した番号を有し、−45°の第2の極性形成方向を有する。1番目のグループの中のアンテナポートの番号の一部は、連続しており、それらの番号は、それぞれ、4から7までと20から23までであり、アンテナポート4乃至7は、連続した番号を有し、＋45°の第1の極性形成方向を有し、そして、アンテナポート20乃至23は、連続した番号を有し、−45°の第2の極性形成方向を有する。2番目のグループの中のアンテナポートの番号のうちの一部の番号は、連続しており、それらの番号は、それぞれ、8から11までと24から27までであり、アンテナポート8乃至11は、連続した番号を有し、＋45°の第1の極性形成方向を有し、そして、アンテナポート24乃至27は、連続した番号を有し、−45°の第2の極性形成方向を有する。3番目のグループの中のアンテナポートの番号のうちの一部の番号は、連続しており、それらの番号は、それぞれ、12から15までと28から31までであり、アンテナポート12乃至15は、連続した番号を有し、＋45°の第1の極性形成方向を有し、そして、アンテナポート28乃至31は、連続した番号を有し、−45°の第2の極性形成方向を有する。
【０１５６】
図13及び14におけるアンテナポートの番号は、例示的な説明を目的としたものであるにすぎず、あるアンテナポートのある特定の番号を示すものではないということに留意すべきである。このことは、本発明のこの実施形態においては限定されない。
【０１５７】
ある1つの選択的な実施形態において、上記の実施形態において言及した参照信号は、復調参照信号(Demodulation  Reference  Signal,  DMRS)、チャネル状態情報参照信号(Channel  state  information  reference,  CSI-RS)、又は、セル特有参照信号(Cell-specific  Reference  Signal,  CRS)である。
【０１５８】
例えば、参照信号は、CSI-RSであり、リソースユニットは、PRB  pairである。通常のサイクリックプレフィックスを使用するPRB  pairは、周波数領域において12個のサブキャリアを含むとともに時間領域において14個のシンボルを含む。図15の中の斜線の領域によって示されているように、各々のPRB  pairにおいてCSI-RSが占有してもよい時間周波数リソースは、40個のリソースエレメント(Resource  Element,  RE)を含む。
【０１５９】
第1のリソースマップは、K個の第2のリソースマップを集約することによって取得され、各々の第2のリソースマップは、N個の第3のリソースマップを集約することによって取得される。各々の第3のリソースマップのリソースマッピング手法は、以下のようになる。
【０１６０】
例えば、M＊Y個のアンテナポートは、32個のアンテナポートである。4個のリソースユニットを使用して、それらの32個のアンテナポートに対応するCSI-RSを送り、それらのアンテナポートを4個のグループに分割してもよく、各々のグループは、8個のアンテナポートを含む。
【０１６１】
各々のグループの中の8個のアンテナポートは、40個のREのうちの8個のREに対応し、8個ごとに、REは、第3のリソースマップを形成する。この場合には、第3のリソースマップの5個のCSI-RS配置へと、それらの40個のREを分割してもよい。各々のCSI-RS配置は、1つの第3のリソースマップに対応し、それらの5個のCSI-RS配置は、表1に示されている。
【表１】
2019514265.tif 000005
【０１６２】
各々のCSI-RS配置の中の8個のREについて、kは、PRB  pairの中のREのサブキャリア番号であり、lは、そのPRB  pairの中のそのREのシンボル番号であると仮定すると、その配置の中の初期RE位置に基づく公式1及び公式2の計算によって、各々のCSI-RS配置の中の8個のREを取得することが可能であり、
(外3)
2019514265.tif 000006
l＝l'＋l'',   CSI-RS配置0乃至4,  通常のサイクリックプレフィックス  (公式2)
であり、
(外4)
2019514265.tif 000007
であり、
(外5)
2019514265.tif 000008
は、ダウンリンクに含まれるリソースブロックの数を表す。
【０１６３】
アンテナポートp0乃至p8は、同じグループに属するいずれかの8個のアンテナポートの番号であってもよい。
【０１６４】
表1、公式1、及び公式2を参照すると、表1における複数のCSI-RS配置に基づいて、40個のREを5個の第3のリソースマップに分割してもよい。各々の第3のリソースマップは、8個のREを含み、それらの8個のアンテナポートに対応するCSI-RSを送信するのに、各々の第3のリソースマップを使用してもよい。選択的に、OCC＝8の拡散符号を使用することによって、各々の第3のリソースマップに対応するそれらの8個のCSI-RSに対して、スペクトラム拡散を実行し、OCC＝8の拡散符号は、[1  1  1  1  −1  −1  −1  −1],  [1  1  1  1  1  1  1  1],  [1  1  −1  −1  −1  −1  1  1],  [1  1  −1  −1  1  1  −1  −1],  [1  −1  −1  1  1  −1  −1  1],  [1  −1  −1  1  −1  1  1  −1],  [1  −1  1  −1  −1  1  −1  1],  及び[1  −1  1  −1  1  −1  1  −1]である。
【０１６５】
表1のCSI-RS配置0においては、(9,5)から始まる8個のREが示されており、アンテナポートp0乃至p8を送信するのにそれらの8個のREを使用してもよい。公式1及び公式2によれば、図16Aに示されているように、
アンテナポートp0は、k＝9−0＝9、且つ、l＝5＋0＝5、すなわち、RE(9,5)に対応し、
アンテナポートp1は、k＝9−0＝9、且つ、l＝5＋1＝6、すなわち、RE(9,6)に対応し、
アンテナポートp2は、k＝9−6＝3、且つ、l＝5＋0＝5、すなわち、RE(3,5)に対応し、
アンテナポートp3は、k＝9−6＝3、且つ、l＝5＋1＝6、すなわち、RE(3,6)に対応し、
アンテナポートp4は、k＝9−1＝8、且つ、l＝5＋0＝5、すなわち、RE(8,5)に対応し、
アンテナポートp5は、k＝9−1＝8、且つ、l＝5＋1＝6、すなわち、RE(8,6)に対応し、
アンテナポートp6は、k＝9−7＝2、且つ、l＝5＋0＝5、すなわち、RE(2,5)に対応し、
アンテナポートp7は、k＝9−7＝2、且つ、l＝5＋1＝6、すなわち、RE(2,6)に対応する。
【０１６６】
同様にして、表1のCSI-RS配置1においては、図16Bに示されているように、(9,9)から始まる8個のREが示されている。表1のCSI-RS配置2においては、図16Cに示されているように、(9,12)から始まる8個のREが示されている。表1のCSI-RS配置3においては、図16Dに示されているように、(11,9)から始まる8個のREが示されている。表1のCSI-RS配置4においては、図16Eに示されているように、(7,9)から始まる8個のREが示されている。
【０１６７】
参照信号がCSI-RSであり、合計で32個のアンテナポートが存在する場合に、それらの32個のアンテナポートを4個のグループに分割し、各々のグループは、8個のアンテナポートを含み、各々のリソースユニットの中の3個の第3のリソースマップは、表１に示されている5個のCSI-RS配置のうちの3個のCSI-RS配置が示している時間周波数リソースを占有する。
【０１６８】
各々のリソースユニットの中の3個の第3のリソースマップが、5個のCSI-RS配置のうちの3個のCSI-RS配置が示す時間周波数リソースを占有するということは、以下の状況を含んでもよい。
【０１６９】
第1の状況.  各々のリソースユニットの中の3個の第3のリソースマップは、5個のCSI-RS配置のうちのCSI-RS配置0、CSI-RS配置1、及びCSI-RS配置2が示す時間周波数リソースを占有する。
【０１７０】
第2の状況.  各々のリソースユニットの中の3個の第3のリソースマップは、5個のCSI-RS配置のうちのCSI-RS配置0、CSI-RS配置2、及びCSI-RS配置3が示す時間周波数リソースを占有する。
【０１７１】
第3の状況.  各々のリソースユニットの中の3個の第3のリソースマップは、5個のCSI-RS配置のうちのCSI-RS配置0、CSI-RS配置2、及びCSI-RS配置4が示す時間周波数リソースを占有する。
【０１７２】
第4の状況.  各々のリソースユニットの中の3個の第3のリソースマップは、5個のCSI-RS配置のうちのCSI-RS配置1、CSI-RS配置3、及びCSI-RS配置4が示す時間周波数リソースを占有する。
【０１７３】
"第1の"、"第2の"、"第3の"、及び"第4の"の語は、説明の目的と意図しているにすぎず、複数の示されている技術的特徴の数の相対的な重要度又は黙示的な指標に関する指標又は暗示として理解されるべきではないということに留意すべきである。したがって、"第1の"、"第2の"、"第3の"、又は"第4の"によって限定されるある1つの特徴は、1つ又は複数の特徴を明示的に又は黙示的に含んでもよい。
【０１７４】
図17を参照すると、32個のアンテナポートのCSI-RSを、アンテナポート0乃至7の0番目のグループ、アンテナポート8乃至15の1番目のグループ、アンテナポート16乃至23の2番目のグループ、及びアンテナポート24乃至31の3番目のグループの4個のグループに分割する。アンテナポートの3個のグループのCSI-RSを送信するのに、各々のPRB  pairを使用する。この実施形態においては、送信のために、表1の中のCSI-RS配置0、CSI-RS配置1、及びCSI-RS配置2に対応する3個の第3のリソースマップを使用する。
【０１７５】
図17に示されているように、PRB  pair  0においては、CSI-RS配置0に対応する第3のリソースマップの中で、アンテナポート24乃至31に対応するCSI-RSを送信し、CSI-RS配置1に対応する第3のリソースマップの中で、アンテナポート0乃至7に対応するCSI-RSを送信し、そして、CSI-RS配置2に対応する第3のリソースマップの中で、アンテナポート8乃至15に対応するCSI-RSを送信する、すなわち、PRB  pair  0の中で、アンテナポートの3番目のグループ、アンテナポートの0番目のグループ、及びアンテナポートの1番目のグループに対応するCSI-RSを送信する。PRB  pair  1においては、CSI-RS配置0に対応する第3のリソースマップの中で、アンテナポート16乃至23に対応するCSI-RSを送信し、CSI-RS配置1に対応する第3のリソースマップの中で、アンテナポート24乃至31に対応するCSI-RSを送信し、そして、CSI-RS配置2に対応する第3のリソースマップの中で、アンテナポート0乃至7に対応するCSI-RSを送信する、すなわち、PRB  pair  1の中で、アンテナポートの2番目のグループ、アンテナポートの3番目のグループ、及びアンテナポートの0番目のグループに対応するCSI-RSを送信する。PRB  pair  2においては、CSI-RS配置0に対応する第3のリソースマップの中で、アンテナポート8乃至15に対応するCSI-RSを送信し、CSI-RS配置1に対応する第3のリソースマップの中で、アンテナポート16乃至23に対応するCSI-RSを送信し、そして、CSI-RS配置2に対応する第3のリソースマップの中で、アンテナポート24乃至31に対応するCSI-RSを送信する、すなわち、PRB  pair  2の中で、アンテナポートの1番目のグループ、アンテナポートの2番目のグループ、及びアンテナポートの3番目のグループを送信する。PRB  pair  3においては、CSI-RS配置0に対応する第3のリソースマップの中で、アンテナポート0乃至7に対応するCSI-RSを送信し、CSI-RS配置1に対応する第3のリソースマップの中で、アンテナポート8乃至15に対応するCSI-RSを送信し、そして、CSI-RS配置2に対応する第3のリソースマップの中で、アンテナポート16乃至23に対応するCSI-RSを送信する、すなわち、PRB  pair  3の中で、アンテナポートの0番目のグループ、アンテナポートの1番目のグループ、及びアンテナポートの2番目のグループに対応するCSI-RSを送信する。
【０１７６】
周波数領域において互いに隣接しているPRB  pair  0及びPRB  pair  1の中でそれぞれ送られるCSI-RSにおいて、それらのCSI-RSに対応する(アンテナポートの数が16である)同じアンテナポートの2つのグループが存在する、すなわち、PRB  pair  0及びPRB  pair  1の双方は、アンテナポートの0番目のグループ及びアンテナポートの1番目のグループを含み、それらのCSI-RSに対応する(アンテナポートの数が8である)異なるアンテナポートの1つのグループが存在するということを図17から理解することが可能である。同様にして、PRB  pair  1及びPRB  pair  2の双方は、アンテナポートの2番目のグループ及びアンテナポートの3番目のグループを含み、PRB  pair  2及びPRB  pair  3の双方は、アンテナポートの1番目のグループとアンテナポートの2番目のグループを含む。
【０１７７】
追加的に、図17に示されているリソースユニットにおいては、各々のグループの中の8個のアンテナポートは、同じ極性形成方向を有する。
【０１７８】
複数の異なる実施形態において、表1の中の5個のCSI-RS配置から、3個のCSI-RS配置をランダムに選択して、CSI-RSの送信を実行してもよいということに留意すべきである。この実施形態において、表1の中の5個のCSI-RS配置から、CSI-RS配置0、1、及び2に対応する時間周波数リソースを選択するということは、説明のための1つの例に過ぎない。他の実施形態においては、図18に示されているように、表1の中の5個のSCI-RS配置から、CSI-RS配置1、2、及び3に対応する時間周波数リソースを選択してもよい。本明細書においては、詳細な説明は、繰り返しては行われない。
【０１７９】
図17及び18におけるアンテナポートの番号は、例示的な説明を目的としたものであるにすぎず、あるアンテナポートのある特定の番号を示すものではないということに留意すべきである。このことは、本発明のこの実施形態においては限定されない。
【０１８０】
本発明のこの実施形態においては、説明のために、32個のアンテナポートのCSI-RSを送信するある1つの例を使用するということに留意すべきである。上記の内容に基づいて、当業者であれば、上記の複数の実施形態を参照して、8、16、20、24、64、又は他の数のアンテナポートの場合を容易に考え出すことができるであろう。本明細書においては、詳細な説明は、繰り返しては行われない。
【０１８１】
周波数領域において2つの隣接するPRB  pair、すなわち、周波数領域において互いに隣接しているi番目のPRB  pair及び(i＋1)番目のPRB  pairにおいては、i番目のPRB  pairの中のj番目の第3のリソースマップは、アンテナポートの4個のグループのうちのアンテナポートの1つのグループに対応しており、(i＋1)番目のPRB  pairの中のj番目の第3のリソースマップは、アンテナポートの4個のグループのうちのアンテナポートの他のグループに対応しているということを、図17からさらに理解することが可能である。具体的には、PRB  pair  0において、CSI-RS配置0に対応する第3のリソースマップによって送信されるCSI-RSに対応するアンテナポートは、3番目のグループのアンテナポートであり、PRB  pair  1において、CSI-RS配置0に対応する第3のリソースマップによって送信されるCSI-RSに対応するアンテナポートは、2番目のグループのアンテナポートである。アンテナポートのそれらの2つのグループは異なっている。PRB  pair  1においては、CSI-RS配置0に対応する第3のリソースマップによって送信されるCSI-RSに対応するアンテナポートは、2番目のグループのアンテナポートであり、PRB  pair  2においては、CSI-RS配置1に対応する第3のリソースマップによって送信されるCSI-RSに対応するアンテナポートは、1番目のグループのアンテナポートである。アンテナポートのそれらの2つのグループは異なっている。PRB  pair  2においては、CSI-RS配置0に対応する第3のリソースマップによって送信されるCSI-RSに対応するアンテナポートは、1番目のグループのアンテナポートであり、PRB  pair  3において、CSI-RS0に対応する第3のリソースマップによって送信されるCSI-RSに対応するアンテナポートは、0番目のグループのアンテナポートである。アンテナポートのそれらの2つのグループは異なっている。
【０１８２】
K個のリソースユニットは、参照信号リソースセットの中の同じ時間領域リソースを占有し、それらのK個のリソースユニットは、参照信号リソースセットの周波数領域において連続しており、それらのK個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのそれらのM個のグループとの間で1対1の対応関係にあり、それらのK個のリソースユニットの各々の中の(j＋1)番目の第3のリソースマップは、単一のリソースユニットの中の同じ時間領域位置を占有し、それらのM個のリソースユニットの中のM個の(j＋1)番目の第3のリソースマップは、アンテナポートのそれらのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1であるということを、図17からさらに理解することが可能である。
【０１８３】
Kは、2よりも大きな整数であり、Mは、2以上の整数であり、i及びjは、整数であるということに留意すべきである。
【０１８４】
例えば、4個のリソースユニットの各々の中のCSI−RS配置0に対応する第3のリソースマップは、単一のリソースユニットの中の同じ時間領域位置、すなわち、5番目のOFDMシンボル及び6番目のOFDMシンボルを占有し、4個のリソースユニットの中のCSI-RS配置0に対応する4個の第3のリソースマップは、4番目のグループのアンテナポートとの間で1対1の対応関係にある。具体的に言えば、PRB  pair  0の中のCSI-RS配置0に対応する第3のリソースマップは、アンテナポートの3番目のグループに対応し、PRB  pair  1の中のCSI-RS配置0に対応する第3のリソースマップは、アンテナポートの2番目のグループに対応し、PRB  pair  2の中のCSI-RS配置0に対応する第3のリソースマップは、アンテナポートの1番目のグループに対応し、そして、PRB  pair  3の中のCSI-RS配置0に対応する第3のリソースマップは、アンテナポートの0番目のグループに対応している。同様にして、4個のリソースユニットの各々の中のCSI-RS配置1に対応する第3のリソースマップは、単一のリソースユニットの中の同じ時間領域位置、すなわち、9番目のOFDMシンボル及び10番目のOFDMシンボルを占有し、CSI-RS配置1に対応する4個の第3のリソースマップは、4番目のグループのアンテナポートとの間で1対1の対応関係にある。4個のリソースユニットの各々の中のCSI-RS配置2に対応する第3のリソースマップは、単一のリソースユニットの中の同じ時間領域位置、すなわち、12番目のOFDMシンボル及び13番目のOFDMシンボルを占有し、CSI-RS配置2に対応する4個の第3のリソースマップは、4番目のグループのアンテナポートとの間で1対1の対応関係にある。本明細書においては、詳細な説明は、繰り返しては行われない。
【０１８５】
この実施形態において、ある1つの同じ時間領域位置において、例えば、5番目のOFDMシンボル及び6番目のOFDMシンボルにおいて、ポーリングの手法を使用し、それによって、32個のアンテナポートによって対応するCSI-RSを送信し、そして、送信効率を改善する。9番目のOFDMシンボル及び10番目のOFDMシンボルにおいて、ポーリングの手法を使用し、それによって、32個のアンテナポートによって対応するCSI-RSを送信し、そして、送信効率を改善する。12番目のOFDMシンボル及び13番目のOFDMシンボルにおいて、ポーリングの手法を使用し、それによって、32個のアンテナポートによって対応するCSI-RSを送信し、そして、送信効率を改善する。
【０１８６】
同様にして、図10に示されている実施形態と同様の実施形態において、K個のリソースユニットが、参照信号リソースセットの中の同じ周波数領域リソースを占有し、それらのK個のリソースユニットが、参照信号リソースセットの時間領域において連続している場合に、それらのK個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのそれらのM個のグループとの間で1対1の対応関係にあり、それらのK個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのそれらのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。Kは、2よりも大きな整数であり、Mは、2以上の整数であり、i及びjは、整数であるということに留意すべきである。
【０１８７】
図17に示されている実施形態において、CSI-RS配置0、CSI-RS配置1、及びCSI-RS配置2に対応する3個の第3のリソースマップを集約して、第2のリソースマップを形成する。この場合に、いずれかの2個の第2のリソースマップは、単一のリソースユニットに対応する時間領域リソースパターンの中の同じ時間領域位置及び同じ周波数領域位置を占有する。
【０１８８】
いずれか2つのPRB  pairの中の24個のアンテナポートに対応する参照信号の第2のリソースマップは、単一のPRB  pairに対応する時間周波数リソースパターンの中の同じ時間周波数位置、具体的には、5番目のOFDMシンボル、6番目のOFDMシンボル、9番目のOFDMシンボル、10番目のOFDMシンボル、12番目のOFDMシンボル、及び13番目のOFDMシンボルを占有する。加えて、いずれか2つのPRB  pairの中の24個のアンテナポートに対応する参照信号の第2のリソースマップは、単一のPRB  pairに対応する時間周波数リソースパターンの中の同じ周波数領域位置、具体的には、2番目のサブキャリア、3番目のサブキャリア、8番目のサブキャリア、及び9番目のサブキャリアを占有する。
【０１８９】
図17とは異なるある1つの選択的な実施形態において、CSI-RS配置0、CSI-RS配置1、及びCSI-RS配置2に対応する3個の第3のリソースマップを集約して、第2のリソースマップを形成するか、又は、CSI-RS配置0、CSI-RS配置3、及びCSI-RS配置2に対応する3個の第3のリソースマップを集約して、第2のリソースマップを形成する。少なくとも2個の第2のリソースマップは、単一のリソースユニットに対応する時間領域リソースパターンの中の複数の異なる周波数領域位置を占有し、及び/又は、少なくとも2個の第2のリソースマップは、単一のリソースユニットに対応する時間周波数リソースパターンの中の同じ周波数領域位置を占有する。
【０１９０】
PRB  pair  0及びPRB  pair  1は、単一のリソースユニットに対応する時間領域リソースパターンの中の異なる周波数領域位置を占有し、PRB  pair  0は、2番目のサブキャリア、3番目のサブキャリア、8番目のサブキャリア、及び9番目のサブキャリアを占有し、PRB  pair  1は、2番目のサブキャリア、3番目のサブキャリア、8番目のサブキャリア、9番目のサブキャリア、10番目のサブキャリア、及び11番目のサブキャリアを占有し、PRB  pair  0及びPRB  pair  2は、単一のリソースユニットに対応する時間領域リソースパターンの中の同じ周波数領域位置を占有し、PRB  pair  0及びPRB  pair  2の双方は、2番目のサブキャリア、3番目のサブキャリア、8番目のサブキャリア、及び9番目のサブキャリアを占有するということを図19から理解することが可能である。
【０１９１】
図19におけるアンテナポートの番号は、例示的な説明を目的としたものであるにすぎず、あるアンテナポートのある特定の番号を示すものではないということに留意すべきである。このことは、本発明のこの実施形態においては限定されない。
【０１９２】
参照信号がCSI-RSであるある1つの例を使用することによって、上記の実施形態を説明する。さらに、本発明の複数の実施形態にしたがって提供される参照信号送信/受信方法を、DMRSの送信及び受信に適用してもよい。詳細な説明は、以下のようになる。
【０１９３】
図20を参照して、4＊4＝16個のDMRSを送信するある1つの例を使用し、4個のリソースユニットは、同じ時間領域位置を有し、異なる周波数領域に配列される。リソースユニットは、PRB  pairである。送信デバイスは、4個のリソースユニットによって、16個のアンテナポートに対応するDMRSを送信する。16個のアンテナポートを4個のグループに分割する。各々のグループは、4個のアンテナポートを有する。0番目のグループは、アンテナポート0乃至3を含み、1番目のグループは、アンテナポート4乃至7を含み、2番目のグループは、アンテナポート8乃至11を含み、3番目のグループは、アンテナポート12乃至15を含む。各々のリソースユニットに対応する第2のリソースマップは、3個の第3のリソースマップを含み、それらの3個のリソースマップは、それぞれ、(11,5)、(6,5)、及び(1,5)から開始し、アンテナポートの1つのグループに対応するDMRSを送信するのに、各々の第3のリソースマップを使用する。
【０１９４】
(11,5)から開始する第3のリソースマップは、4個のREを含み、それらの4個のREは、11番目のサブキャリアに位置しているとともに、それぞれ、5番目のOFDMシンボル、6番目のOFDMシンボル、12番目のOFDMシンボル、及び13番目のOFDMシンボルに位置している。(6,5)から開始する第3のリソースマップは、4個のREを含み、それらの4個のREは、6番目のサブキャリアに位置しているとともに、それぞれ、5番目のOFDMシンボル、6番目のOFDMシンボル、12番目のOFDMシンボル、及び13番目のOFDMシンボルに位置している。(1,5)から開始する第3のリソースマップは、4個のREを含み、それらの4個のREは、1番目のサブキャリアに位置しているとともに、それぞれ、5番目のOFDMシンボル、6番目のOFDMシンボル、12番目のOFDMシンボル、及び13番目のOFDMシンボルに位置している。
【０１９５】
図20に示されているように、4個のPRB  pairを使用してDMRSを送信し、PRB  pair  3においては、(11,5)から開始する第3のリソースマップによって、アンテナポート0乃至3に対応するDMRSを送信し、(6,5)から開始する第3のリソースマップによって、アンテナポート4乃至7に対応するDMRSを送信し、そして、(1,5)から開始する第3のリソースマップによって、アンテナポート8乃至11に対応するDMRSを送信する。PRB  pair  2においては、(11,5)から開始する第3のリソースマップによって、アンテナポート4乃至5に対応するDMRSを送信し、(6,5)から開始する第3のリソースマップによって、アンテナポート8乃至9に対応するDMRSを送信し、そして、(1,5)から開始する第3のリソースマップによって、アンテナポート12乃至13に対応するDMSRを送信する。PRB  pair  1においては、(11,5)から開始する第3のリソースマップによって、アンテナポート8乃至9に対応するDMRSを送信し、(6,5)から開始する第3のリソースマップによって、アンテナポート12乃至15に対応するDMRSを送信し、そして、(1,5)から開始する第3のリソースマップによって、アンテナポート0乃至3に対応するDMRSを送信する。PRB  pair  0においては、(11,5)から開始する第3のリソースマップによって、アンテナポート12乃至15に対応するDMRSを送信し、(6,5)から開始する第3のリソースマップによって、アンテナポート0乃至3に対応するDMRSを送信し、そして、(1,5)から開始する第3のリソースマップによって、アンテナポート4乃至7に対応するDMRSを送信する。
【０１９６】
周波数領域において互いに隣接しているPRB  pair  3及びPRB  pair  2によってそれぞれ送られるDMRSにおいて、それらのDMRSに対応する(アンテナポートの数が8である)同じアンテナポートの2個のグループが存在する、すなわち、PRB  pair  3及びPRB  pair  2の双方は、アンテナポートの1番目のグループ及びアンテナポートの2番目のグループを含み、それらのDNRSに対応する(アンテナポートの数が4である)異なるアンテナポートの1つのグループが存在するということを図20から理解することが可能である。同様にして、PRB  pair  2及びPRB  pair  1の双方は、アンテナポートの2番目のグループ及びアンテナポートの3番目のグループを含み、PRB  pair  1及びPRB  pair  0の双方は、アンテナポートの3番目のグループ及びアンテナポートの0番目のグループを含む。
【０１９７】
周波数領域において互いに隣接しているi番目のPRB  pair及び(i＋1)番目のPRB  pairにおいて、i番目のPRB  pairの中のj番目の第3のリソースマップは、アンテナポートの4個のグループのうちのアンテナポートの1つのグループに対応しており、(i＋1)番目のPRB  pairの中のj番目の第3のリソースマップは、アンテナポートの4個のグループのうちのアンテナポートの他のグループに対応しているということを図20から理解することが可能である。(11,5)から開始する時間周波数リソースグループに位置するPRB  pair  3に対応するアンテナポートは、0番目のグループのアンテナポートであり、(11,5)から開始する時間周波数リソースグループに位置するPRB  pair  2に対応するアンテナポートは、1番目のグループのアンテナポートである。(11,5)から開始する時間周波数リソースグループに位置するPRB  pair  2に対応するアンテナポートは、1番目のグループのアンテナポートであり、(11,5)から開始する時間周波数リソースグループに位置するPRB  pair  1に対応するアンテナポートは、2番目のグループのアンテナポートである。(11,5)から開始する時間周波数リソースグループに位置するPRB  pair  1に対応するアンテナポートは、2番目のグループのアンテナポートであり、(11,5)から開始する時間周波数リソースグループに位置するPRB  pair  0に対応するアンテナポートは、3番目のグループのアンテナポートである。
【０１９８】
例えば、5番目のOFDMシンボル及び6番目のOFDMシンボル等の同じ時間領域リソースにおいて、ポーリングの手法によって、16個のアンテナポートに対応するDMRSを送信し、それにより、送信効率を改善するということを図20から理解することが可能である。
【０１９９】
図20に示されている複数のリソースユニットにおいて、アンテナポートの各々のグループの中の4個のアンテナポートは、同じ極性形成方向を有する。
【０２００】
図20におけるアンテナポートの番号は、例示的な説明を目的としたものであるにすぎず、あるアンテナポートのある特定の番号を示すものではないということに留意すべきである。このことは、本発明のこの実施形態においては限定されない。
【０２０１】
本発明のこの実施形態においては、説明のために、32個のDMRSを送信するある1つの例を使用するということに留意すべきである。上記の内容に基づいて、当業者であれば、上記の複数の実施形態を参照して、8、16、20、24、64、又は他の数のDMRSを送信する場合を容易に考え出すことができるであろう。本明細書においては、詳細な説明は、繰り返しては行われない。
【０２０２】
さらに、本発明の複数の実施形態にしたがって提供される参照信号送信/受信方法を、CRSの送信に適用してもよい。当業者であれば、上記の複数の実施形態を参照して、上記のことを容易に考え出すことができるであろう。本明細書においては、詳細な説明は、繰り返しては行われない。
【０２０３】
以下の記載は、本発明の複数の装置の実施形態を説明する。それらの装置の実施形態において説明されない複数の細部については、上記の方法の実施形態を参照するべきである。
【０２０４】
図21を参照すると、図21は、本発明のある1つの実施形態にしたがった送信装置のブロック図を示している。ソフトウェア、ハードウェア、又はソフトウェア及びハードウェアの組み合わせを使用することによって、送信装置のすべて又は一部として参照信号送信装置を実装してもよい。その送信装置は、
Z個のアンテナポートをサポートする参照信号の第1のリソースマップを決定するように構成される決定ユニット2110であって、第1のリソースマップは、Z個のアンテナポートをサポートする参照信号を時間周波数リソースにマッピングする位置を含む、決定ユニット2110と、
第1のリソースマップに基づいて、Z個のアンテナポートをサポートする参照信号を目標時間周波数リソースにマッピングした後に、参照信号を送信するように構成される送信ユニット2120と、を含む。
【０２０５】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【０２０６】
Zは、4以上の整数であり、Kは、2よりも大きな整数であり、Pは、2よりも大きな整数であり、Hは、2よりも大きな整数であり、Gは、2よりも大きな整数であるということに留意すべきである。
【０２０７】
結論として、本発明のこの実施形態にしたがって提供される参照信号送信装置によれば、送信デバイスは、Z個のアンテナポートをサポートする参照信号の第1のリソースマップを決定し、そして、その第1のリソースマップに基づいて、Z個のアンテナポートをサポートする参照信号を目標時間周波数リソースにマッピングした後に、その参照信号を送信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０２０８】
選択的に、Z個のアンテナポートは、アンテナポートのM個のグループを含み、各々のグループは、Y個のアンテナポートを含み、Z＝M＊Yであり、
第2のリソースマップは、N個の第3のリソースマップを集約することによって取得され、各々の第3のリソースマップは、アンテナポートのM個のグループのうちのアンテナポートの1つのグループに対応しており、P＝N＊Y、G＝A＊Y、H＝B＊Y、A＋B＝Nであり、Yは、2のべき乗である
【０２０９】
選択的に、K個のリソースユニットの中のいずれか2つの第2のリソースマップは、単一のリソースユニットに対応する時間周波数リソースパターンの中の同じ時間領域位置を占有し、
K個のリソースユニット中の少なくとも2つの第2のリソースマップは、単一のリソースユニットに対応する時間周波数リソースパターンの中の異なる周波数領域位置を占有し、及び/又は、K個のリソースユニットの中の少なくとも2つの第2のリソースマップは、単一のリソースユニットに対応する時間周波数リソースパターンの中の同じ周波数領域位置を占有する。
【０２１０】
選択的に、K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【０２１１】
選択的に、K個のリソースユニットは、参照信号リソースセットの中の同じ時間領域リソースを占有し、K個のリソースユニットは、参照信号リソースセットの周波数領域において連続しており、
K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのM個のグループとの間で1対1の対応関係にあり、K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【０２１２】
選択的に、K個のリソースユニットは、参照信号リソースセットの中の同じ周波数領域リソースを占有し、K個のリソースユニットは、参照信号リソースセットの時間領域において連続しており、
K個のリソースユニットの各々の中のj番目の第3のリソースマップは、単一のリソースユニットの中の同じ時間領域位置を占有し、M個のリソースユニットの中のj番目の第3のリソースマップは、アンテナポートのM個のグループとの間で1対1の対応関係にあり、K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【０２１３】
選択的に、K個のリソースユニットは、参照信号リソースセットの中の同じ周波数領域リソースを占有し、K個のリソースユニットは、参照信号リソースセットの時間領域において連続している。
【０２１４】
選択的に、K個のリソースユニットは、参照信号リソースセットの中の同じ時間領域リソースを占有し、K個のリソースユニットは、参照信号リソースセットの周波数領域において連続している。
【０２１５】
選択的に、リソースユニットは、PRBであるか、又は、リソースユニットは、PRB  pairである。
【０２１６】
選択的に、参照信号は、DMRS、CSI-RS、又はCRSである。
【０２１７】
選択的に、M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである。
【０２１８】
選択的に、M個のグループの各々の中のアンテナポートの番号のうちの複数の番号は連続しており、m番目のグループの中のアンテナポートの番号P(m)は、
(外6)
2019514265.tif 000009
であり、
0≦m≦M−1であり、αは、あらかじめ定められているオフセットである。
【０２１９】
選択的に、各々のリソースユニットの中のN個の第3のリソースマップは、OFDMシンボルの3つの対、2つの対、又は1つの対を占有する。
【０２２０】
選択的に、参照信号は、CSI-RSであり、リソースユニットは、PRB  pairであり、Y＝8、且つ、N＝3であり、
各々のリソースユニットの中の3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の3つの第3のリソースマップは、5つのCSI-RS配置のうちのCSI-RS配置1、CSI-RS配置3、及びCSI-RS配置4によって示される時間周波数リソースを占有し、
5つのCSI-RS配置は、
CSI-RS配置0によって示される時間周波数リソースが、(k,l)＝(9,5),(9,6),(8,5),(8,6),(3,5),(3,6),(2,5),(2,6)の8つのリソースエレメントREを含み、
CSI-RS配置1によって示される時間周波数リソースが、(k,l)＝(9,9),(9,10),(8,9),(8,10),(3,9),(3,10),(2,9),(2,10)の8つのリソースエレメントREを含み、
CSI-RS配置2によって示される時間周波数リソースが、(k,l)＝(9,12),(9,13),(8,12),(8,13),(3,12),(3,13),(2,12),(2,13)の8つのリソースエレメントREを含み、
CSI-RS配置3によって示される時間周波数リソースが、(k,l)＝(11,9),(11,10),(10,9),(10,10),(5,9),(5,10),(4,9),(4,10)の8つのリソースエレメントREを含み、
CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、PRB  pairにおけるサブキャリア番号であり、lは、PRB  pairにおけるOFDMシンボルの番号である。
【０２２１】
選択的に、OCC＝8の拡散符号を使用することによって、各々の第3のリソースマップに対応する8つのCSI-RSに対して、スペクトラム拡散が実行される。
【０２２２】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０２２３】
選択的に、Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である。
【０２２４】
選択的に、Yは8以下の整数である。
【０２２５】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であり、kは、0以上の整数であるということに留意すべきである。
【０２２６】
図22を参照すると、図22は、本発明のある1つの実施形態にしたがった受信装置のブロック図を示している。ソフトウェア、ハードウェア、又はソフトウェア及びハードウェアの組み合わせを使用することによって、送信装置のすべて又は一部として、参照信号送信装置を実装してもよい。その送信装置は、
Z個のアンテナポートをサポートする参照信号の第1のリソースマップを決定するように構成される決定ユニット2110であって、第1のリソースマップは、Z個のアンテナポートをサポートする参照信号を時間周波数リソースにマッピングする位置を含む、決定ユニット2110と、
第1のリソースマップに基づいて、目標時間周波数リソースから、Z個のアンテナポートをサポートする参照信号を受信するように構成される受信ユニット2120と、を含む。
【０２２７】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【０２２８】
結論として、本発明のこの実施形態にしたがって提供される参照信号受信装置によれば、受信デバイスは、第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０２２９】
選択的に、Z個のアンテナポートは、アンテナポートのM個のグループを含み、各々のグループは、Y個のアンテナポートを含み、Z＝M＊Yであり、
第2のリソースマップは、N個の第3のリソースマップを集約することによって取得され、各々の第3のリソースマップは、アンテナポートのM個のグループのうちのアンテナポートの1つのグループに対応しており、P＝N＊Y、G＝A＊Y、H＝B＊Y、A＋B＝Nであり、Yは、2のべき乗である。
【０２３０】
選択的に、K個のリソースユニットの中のいずれか2つの第2のリソースマップは、単一のリソースユニットに対応する時間周波数リソースパターンの中の同じ時間領域位置を占有し、
K個のリソースユニット中の少なくとも2つの第2のリソースマップは、単一のリソースユニットに対応する時間周波数リソースパターンの中の異なる周波数領域位置を占有し、及び/又は、K個のリソースユニットの中の少なくとも2つの第2のリソースマップは、単一のリソースユニットに対応する時間周波数リソースパターンの中の同じ周波数領域位置を占有する。
【０２３１】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【０２３２】
選択的に、K個のリソースユニットは、参照信号リソースセットの中の同じ時間領域リソースを占有し、K個のリソースユニットは、参照信号リソースセットの周波数領域において連続しており、
K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのM個のグループとの間で1対1の対応関係にあり、
K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である。
【０２３３】
選択的に、K個のリソースユニットは、参照信号リソースセットの中の同じ周波数領域リソースを占有し、K個のリソースユニットは、目標時間周波数リソースの時間領域において連続しており、
K個のリソースユニットの各々の中のj番目の第3のリソースマップは、単一のリソースユニットの中の同じ時間領域位置を占有し、M個のリソースユニットの中のj番目の第3のリソースマップは、アンテナポートのM個のグループとの間で1対1の対応関係にあり、
K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である。
【０２３４】
選択的に、K個のリソースユニットは、参照信号リソースセットの中の同じ周波数領域リソースを占有し、K個のリソースユニットは、参照信号リソースセットの時間領域において連続している。
【０２３５】
選択的に、K個のリソースユニットは、参照信号リソースセットの中の同じ周波数領域時間領域リソースを占有し、K個のリソースユニットは、参照信号リソースセットの時間領域周波数領域において連続している。
【０２３６】
選択的に、リソースユニットは、PRBであるか、又は、リソースユニットは、PRB  pairである。
【０２３７】
選択的に、参照信号は、DMRS、CSI-RS、又はCRSである。
【０２３８】
選択的に、M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである。
【０２３９】
選択的に、M個のグループの各々の中のアンテナポートの番号のうちの複数の番号は連続しており、m番目のグループの中のアンテナポートの番号P(m)は、
(外7)
2019514265.tif 000010
であり、
0≦m≦M−1であり、P(m)は、あらかじめ定められているオフセットである。
【０２４０】
選択的に、各々のリソースユニットの中のN個の第3のリソースマップは、直交周波数分割多重化OFDMシンボルの3つの対、2つの対、又は1つの対を占有する。
【０２４１】
選択的に、参照信号は、CSI-RSであり、リソースユニットは、PRB  pairであり、Y＝8、且つ、N＝3であり、
各々のリソースユニットの中のN個の第3のリソースマップは、5つのCSI-RS配置のうちのCSI-RS配置0、CSI-RS配置1、及びCSI-RS配置2によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の3つの第3のリソースマップは、5つのCSI-RS配置のうちのCSI-RS配置1、CSI-RS配置3、及びCSI-RS配置4によって示される時間周波数リソースを占有し、
5つのCSI-RS配置は、
CSI-RS配置0によって示される時間周波数リソースが、(k,l)＝(9,5),(9,6),(8,5),(8,6),(3,5),(3,6),(2,5),(2,6)の8つのリソースエレメントREを含み、
CSI-RS配置1によって示される時間周波数リソースが、(k,l)＝(9,9),(9,10),(8,9),(8,10),(3,9),(3,10),(2,9),(2,10)の8つのリソースエレメントREを含み、
CSI-RS配置2によって示される時間周波数リソースが、(k,l)＝(9,12),(9,13),(8,12),(8,13),(3,12),(3,13),(2,12),(2,13)の8つのリソースエレメントREを含み、
CSI-RS配置3によって示される時間周波数リソースが、(k,l)＝(11,9),(11,10),(10,9),(10,10),(5,9),(5,10),(4,9),(4,10)の8つのリソースエレメントREを含み、
CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、PRB  pairにおけるサブキャリア番号であり、lは、PRB  pairにおけるOFDMシンボルの番号である。
【０２４２】
選択的に、OCC＝8の拡散符号を使用することによって、各々の第3のリソースマップに対応する8つのCSI-RSに対して、スペクトラム拡散が実行される。
【０２４３】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０２４４】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であり、kは、0以上の整数であるということに留意すべきである。
【０２４５】
当業者は、ハードウェア又は関連するハードウェアに命令するプログラムによって、上記の複数の実施形態の複数のステップうちのすべて又はいくつかを実装することが可能であるということを理解することが可能である。プログラムは、コンピュータ読み取り可能な記憶媒体に格納されてもよい。記憶媒体は、読み取り専用メモリ、磁気ディスク、又は光ディスクを含んでもよい。
【０２４６】
上記の説明は、本発明の複数の実施形態の例に過ぎず、本発明を限定することを意図してはいない。本発明の趣旨及び原理から離れることなく行われるいずれかの修正、等価な置換、及び改良は、本発明の保護範囲に属するものとする。
【図１】
2019514265.tif 000017
【図２】
2019514265.tif 000018
【図３】
2019514265.tif 000019
【図４】
2019514265.tif 000020
【図５】
2019514265.tif 000021
【図６】
2019514265.tif 000022
【図７】
2019514265.tif 000023
【図８】
2019514265.tif 000024
【図９】
2019514265.tif 000025
【図１０】
2019514265.tif 000026
【図１１】
2019514265.tif 000027
【図１２】
2019514265.tif 000028
【図１３】
2019514265.tif 000029
【図１４】
2019514265.tif 000030
【図１５】
2019514265.tif 000031
【図１６Ａ】
2019514265.tif 000032
【図１６Ｂ】
2019514265.tif 000033
【図１６Ｃ】
2019514265.tif 000034
【図１６Ｄ】
2019514265.tif 000035
【図１６Ｅ】
2019514265.tif 000036
【図１７】
2019514265.tif 000037
【図１８】
2019514265.tif 000038
【図１９】
2019514265.tif 000039
【図２０】
2019514265.tif 000040
【図２１】
2019514265.tif 000041
【図２２】
2019514265.tif 000042
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
プロセッサと送信機とを含む送信デバイスであって、
前記プロセッサは、Z個のアンテナポートをサポートする参照信号の第1のリソースマップを決定するように構成され、前記第1のリソースマップは、Z個のアンテナポートをサポートする前記参照信号を時間周波数リソースにマッピングする位置を含み、
前記プロセッサは、さらに、前記第1のリソースマップに基づいて、Z個のアンテナポートをサポートする前記参照信号を目標時間周波数リソースにマッピングした後に、前記送信機を使用することによって、前記参照信号を送信するように構成され、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
送信デバイス。
【請求項２】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項１に記載の送信デバイス。
【請求項３】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項２に記載の送信デバイス。
【請求項４】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項２又は３に記載の送信デバイス。
【請求項５】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２又は３に記載の送信デバイス。
【請求項６】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２又は３に記載の送信デバイス。
【請求項７】
前記K個のリソースユニットは、前記参照信号リソースセットの中の同じ周波数領域リソースを占有し、前記K個のリソースユニットは、前記参照信号リソースセットの時間領域において連続している、請求項１乃至４のうちのいずれか１項に記載の送信デバイス。
【請求項８】
前記K個のリソースユニットは、前記参照信号リソースセットの中の同じ時間領域リソースを占有し、前記K個のリソースユニットは、前記参照信号リソースセットの周波数領域において連続している、請求項１乃至４のうちのいずれか１項に記載の送信デバイス。
【請求項９】
前記リソースユニットは、物理リソースブロックPRBであるか、又は、前記リソースユニットは、物理リソースブロック対PRB  pairである、請求項１乃至８のうちのいずれか１項に記載の送信デバイス。
【請求項１０】
前記参照信号は、復調参照信号DMRS、チャネル状態情報参照信号CSI-RS、又はセル特有参照信号CRSである、請求項１乃至８のうちのいずれか１項に記載の送信デバイス。
【請求項１１】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項２乃至６のうちのいずれか１項に記載の送信デバイス。
【請求項１２】
前記M個のグループの各々の中のアンテナポートの番号のうちの複数の番号は連続しており、m番目のグループの中のアンテナポートの番号P(m)は、
(外8)
2019514265.tif 000043
であり、
0≦m≦M−1であり、αは、あらかじめ定められているオフセットである、請求項２乃至６のうちのいずれか１項に記載の送信デバイス。
【請求項１３】
各々のリソースユニットの中の前記N個の第3のリソースマップは、直交周波数分割多重化OFDMシンボルの3つの対、2つの対、又は1つの対を占有する、請求項２乃至６のうちのいずれか１項に記載の送信デバイス。
【請求項１４】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項２乃至６のうちのいずれか１項に記載の送信デバイス。
【請求項１５】
直交カバー符号OCC＝8の拡散符号を使用することによって、各々の第3のリソースマップに対応する8つのチャネル状態情報参照信号CSI-RSに対して、スペクトラム拡散が実行される、請求項１４に記載の送信デバイス。
【請求項１６】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項２乃至６のうちのいずれか１項に記載の送信デバイス。
【請求項１７】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項２乃至６のうちのいずれか１項に記載の送信デバイス。
【請求項１８】
Yは8以下の整数である、請求項２に記載の送信デバイス。
【請求項１９】
プロセッサと受信機とを含む受信デバイスであって、
前記プロセッサは、Z個のアンテナポートをサポートする参照信号の第1のリソースマップを決定するように構成され、前記第1のリソースマップは、Z個のアンテナポートをサポートする前記参照信号を時間周波数リソースにマッピングする位置を含み、
前記プロセッサは、さらに、前記受信機を使用することによって、前記第1のリソースマップに基づいて、目標時間周波数リソースから、Z個のアンテナポートをサポートする前記参照信号を受信するように構成され、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
受信デバイス。
【請求項２０】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項１９に記載の受信デバイス。
【請求項２１】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項２０に記載の受信デバイス。
【請求項２２】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項２０又は２１に記載の受信デバイス。
【請求項２３】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２０又は２１に記載の受信デバイス。
【請求項２４】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項２０又は２１に記載の受信デバイス。
【請求項２５】
前記K個のリソースユニットは、前記参照信号リソースセットの中の同じ周波数領域リソースを占有し、前記K個のリソースユニットは、前記参照信号リソースセットの時間領域において連続している、請求項２０乃至２２のうちのいずれか１項に記載の受信デバイス。
【請求項２６】
前記K個のリソースユニットは、前記参照信号リソースセットの中の同じ時間領域リソースを占有し、前記K個のリソースユニットは、前記参照信号リソースセットの周波数領域において連続している、請求項２０乃至２２のうちのいずれか１項に記載の受信デバイス。
【請求項２７】
前記リソースユニットは、物理リソースブロックPRBであるか、又は、前記リソースユニットは、物理リソースブロック対PRB  pairである、請求項２０乃至２６のうちのいずれか１項に記載の受信デバイス。
【請求項２８】
前記参照信号は、復調参照信号DMRS、チャネル状態情報参照信号CSI-RS、又はセル特有参照信号CRSである、請求項２０乃至２６のうちのいずれか１項に記載の受信デバイス。
【請求項２９】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項２１乃至２５のうちのいずれか１項に記載の受信デバイス。
【請求項３０】
前記M個のグループの各々の中のアンテナポートの番号のうちの複数の番号は連続しており、m番目のグループの中のアンテナポートの番号P(m)は、
(外9)
2019514265.tif 000044
であり、
0≦m≦M−1であり、αは、あらかじめ定められているオフセットである、請求項２１乃至２５のうちのいずれか１項に記載の受信デバイス。
【請求項３１】
各々のリソースユニットの中の前記N個の第3のリソースマップは、直交周波数分割多重化OFDMシンボルの3つの対、2つの対、又は1つの対を占有する、請求項２１乃至２５のうちのいずれか１項に記載の受信デバイス。
【請求項３２】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項２１乃至２５のうちのいずれか１項に記載の受信デバイス。
【請求項３３】
直交カバー符号OCC＝8の拡散符号を使用することによって、各々の第3のリソースマップに対応する8つのチャネル状態情報参照信号CSI-RSに対して、スペクトラム拡散が実行される、請求項３２に記載の受信デバイス。
【請求項３４】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項２１乃至２５のうちのいずれか１項に記載の受信デバイス。
【請求項３５】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項２１乃至２５のうちのいずれか１項に記載の受信デバイス。
【請求項３６】
Yは8以下の整数である、請求項２１に記載の受信デバイス。
【請求項３７】
参照信号送信方法であって、
送信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、
前記送信デバイスによって、前記第1のリソースマップに基づいて、Z個のアンテナポートをサポートする前記参照信号を目標時間周波数リソースにマッピングした後に、前記参照信号を送信するステップと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
方法。
【請求項３８】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項３７に記載の方法。
【請求項３９】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項３８に記載の方法。
【請求項４０】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項３８又は３９に記載の方法。
【請求項４１】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項３８又は３９に記載の方法。
【請求項４２】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項３８又は３９に記載の方法。
【請求項４３】
前記K個のリソースユニットは、前記参照信号リソースセットの中の同じ周波数領域リソースを占有し、前記K個のリソースユニットは、前記参照信号リソースセットの時間領域において連続している、請求項３７乃至４０のうちのいずれか１項に記載の方法。
【請求項４４】
前記K個のリソースユニットは、前記参照信号リソースセットの中の同じ時間領域リソースを占有し、前記K個のリソースユニットは、前記参照信号リソースセットの周波数領域において連続している、請求項３７乃至４０のうちのいずれか１項に記載の方法。
【請求項４５】
前記リソースユニットは、物理リソースブロックPRBであるか、又は、前記リソースユニットは、物理リソースブロック対PRB  pairである、請求項３７乃至４４のうちのいずれか１項に記載の方法。
【請求項４６】
前記参照信号は、復調参照信号DMRS、チャネル状態情報参照信号CSI-RS、又はセル特有参照信号CRSである、請求項３７乃至４４のうちのいずれか１項に記載の方法。
【請求項４７】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項３８乃至４２のうちのいずれか１項に記載の方法。
【請求項４８】
前記M個のグループの各々の中のアンテナポートの番号のうちの複数の番号は連続しており、m番目のグループの中のアンテナポートの番号P(m)は、
(外10)
2019514265.tif 000045
であり、
0≦m≦M−1であり、αは、あらかじめ定められているオフセットである、請求項３８乃至４２のうちのいずれか１項に記載の方法。
【請求項４９】
各々のリソースユニットの中の前記N個の第3のリソースマップは、直交周波数分割多重化OFDMシンボルの3つの対、2つの対、又は1つの対を占有する、請求項３８乃至４２のうちのいずれか１項に記載の方法。
【請求項５０】
前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項３８乃至４２のうちのいずれか１項に記載の方法。
【請求項５１】
直交カバー符号OCC＝8の拡散符号を使用することによって、各々の第3のリソースマップに対応する8つのチャネル状態情報参照信号CSI-RSに対して、スペクトラム拡散が実行される、請求項４０に記載の方法。
【請求項５２】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項３８乃至４２のうちのいずれか１項に記載の方法。
【請求項５３】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項３８乃至４２のうちのいずれか１項に記載の方法。
【請求項５４】
Yは8以下の整数である、請求項３８に記載の方法。
【請求項５５】
参照信号受信方法であって、
受信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、
前記受信デバイスによって、前記第1のリソースマップに基づいて、目標時間周波数リソースから、Z個のアンテナポートをサポートする前記参照信号を受信するステップと、を含み、
前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、
方法。
【請求項５６】
前記Z個のアンテナポートは、アンテナポートのM個のグループを含み、各々のグループは、Y個のアンテナポートを含み、Z＝M＊Yであり、
前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、
Yは、2のべき乗である、請求項５５に記載の方法。
【請求項５７】
前記K個のリソースユニットの中のいずれか2つの第2のリソースマップは、単一のリソースユニットに対応する時間周波数リソースパターンの中の同じ時間領域位置を占有し、
前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する、請求項５６に記載の方法。
【請求項５８】
前記K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、
0≦i≦K−1、且つ、0≦j≦N−1である、請求項５６又は５７に記載の方法。
【請求項５９】
前記K個のリソースユニットは、前記参照信号リソースセットの中の同じ時間領域リソースを占有し、前記K個のリソースユニットは、前記参照信号リソースセットの周波数領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項５６又は５７に記載の方法。
【請求項６０】
前記K個のリソースユニットは、前記参照信号リソースセットの中の同じ周波数領域リソースを占有し、前記K個のリソースユニットは、前記参照信号リソースセットの時間領域において連続しており、
前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、
前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である、請求項５６又は５７に記載の方法。
【請求項６１】
前記K個のリソースユニットは、前記参照信号リソースセットの中の同じ周波数領域リソースを占有し、前記K個のリソースユニットは、前記参照信号リソースセットの時間領域において連続している、請求項５５乃至５７のうちのいずれか１項に記載の方法。
【請求項６２】
前記K個のリソースユニットは、前記参照信号リソースセットの中の同じ時間領域リソースを占有し、前記K個のリソースユニットは、前記参照信号リソースセットの周波数領域において連続している、請求項５５乃至５７のうちのいずれか１項に記載の方法。
【請求項６３】
前記リソースユニットは、物理リソースブロックPRBであるか、又は、前記リソースユニットは、物理リソースブロック対PRB  pairである、請求項５５乃至６２のうちのいずれか１項に記載の方法。
【請求項６４】
前記参照信号は、復調参照信号DMRS、チャネル状態情報参照信号CSI-RS、又はセル特有参照信号CRSである、請求項５５乃至６１のうちのいずれか１項に記載の方法。
【請求項６５】
前記M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである、請求項５６乃至６０のうちのいずれか１項に記載の方法。
【請求項６６】
前記M個のグループの各々の中のアンテナポートの番号のうちの複数の番号は連続しており、m番目のグループの中のアンテナポートの番号P(m)は、
(外11)
2019514265.tif 000046
であり、
0≦m≦M−1であり、αは、あらかじめ定められているオフセットである、請求項５６乃至６０のうちのいずれか１項に記載の方法。
【請求項６７】
各々のリソースユニットの中の前記N個の第3のリソースマップは、直交周波数分割多重化OFDMシンボルの3つの対、2つの対、又は1つの対を占有する、請求項５６乃至６０のうちのいずれか１項に記載の方法。
【請求項６８】
前記参照信号は、CSI-RSであり、前記リソースユニットは、物理リソースブロック対PRB  pairであり、Y＝8、且つ、N＝3であり、
各々のリソースユニットの中の前記N個の第3のリソースマップは、5つのCSI-RS配置のうちのCSI-RS配置0、CSI-RS配置1、及びCSI-RS配置2によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である、請求項５６乃至６０のうちのいずれか１項に記載の方法。
【請求項６９】
直交カバー符号OCC＝8の拡散符号を使用することによって、各々の第3のリソースマップに対応する8つのチャネル状態情報参照信号CSI-RSに対して、スペクトラム拡散が実行される、請求項５８に記載の方法。
【請求項７０】
k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、
0≦k≦K−1であり、βは、あらかじめ定められているオフセットである、請求項５６乃至６０のうちのいずれか１項に記載の方法。
【請求項７１】
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である、請求項５６乃至６０のうちのいずれか１項に記載の方法。
【請求項７２】
Yは8以下の整数である、請求項５６に記載の方法。
【請求項７３】
参照信号送信/受信システムであって、当該システムは、請求項１乃至１８のうちのいずれか１項に記載の前記送信デバイスと請求項１９乃至３６のうちのいずれか１項に記載の前記受信デバイスとを含む、システム。
【請求項７４】
コンピュータに請求項３７乃至５４のうちのいずれか１項に記載の方法を実行させるプログラム。
【請求項７５】
コンピュータに請求項５５乃至７２のうちのいずれか１項に記載の方法を実行させるプログラム。
【手続補正２】
【補正対象書類名】明細書
【補正対象項目名】全文
【補正方法】変更
【補正の内容】
【発明の詳細な説明】
【技術分野】
【０００１】
本発明の複数の実施形態は、通信分野に関し、特に、参照信号送信方法、参照信号受信方法、装置、及びシステムに関する。
【背景技術】
【０００２】
モバイル通信システムにおいては、例えば、チャネル推定に使用される参照信号及びチャネル状態測定に使用される参照信号等の複数の異なるタイプの参照信号が存在する。
【０００３】
ロングタームエボリューション(Long  Term  Evolution,  LTE)システムのリリース8(Release  8,  R8)において、セル特有参照信号(Cell-specific  Reference  Signal,  CRS)は、チャネル推定に使用される参照信号であり、各々のリソースユニットにおいて最大4個のアンテナポートによる送信をサポートし、そのリソースユニットは、物理リソースブロック(Physical  Resource  Block,  PRB)であってもよい。LTEのR10においては、復調参照信号(Demodulation  Reference  Signal,  DMRS)は、チャネル推定に使用される参照信号であり、各々のリソースユニットにおいて最大8個のアンテナポートによる送信をサポートする。チャネル状態情報参照信号(Channel  state  information  reference  signal,  CSI-RS)は、チャネル状態測定に使用される参照信号であり、各々のリソースユニットにおいて最大8個のアンテナポートによる送信をサポートする。LTEのR12において、CSI-RSは、各々のリソースユニットにおいて最大16個のアンテナポートによる送信をサポートする。
【０００４】
上記の参照信号は、LTEシステムにおいてアンテナポートの複数の異なる最大数をサポートするが、最大で16個のアンテナポートによる送信をサポートする。例えば、R13等のLTEの以降のリリースにおいて、参照信号は、より多くのアンテナポートをサポートして、より良好な他入力多出力(Multiple-Input  Multiple-Output,  MIMO)パフォーマンスを達成する必要がある。一方で、ある参照信号を送信するのに現在の参照信号送信方法を使用するときに、アンテナポートの数が20、24、28、又は32にまで増加する場合には、参照信号は、各々のリソースユニットにおいて大きな数の無線リソースを占有する必要がある。このことは、モバイル通信システムのリソースオーバーヘッドを増加させる。
【発明の概要】
【０００５】
ある参照信号を送信するのに現在の参照信号送信方法を使用するときに、アンテナポートの数が20、24、28、又は32にまで増加する場合に、参照信号が各々のリソースユニットにおいて大きな数の無線リソースを占有する必要があることに起因して、モバイル通信システムのリソースオーバーヘッドが増加するという問題を解決するために、本発明の複数の実施形態は、参照信号送信方法、参照信号受信方法、装置、及びシステムを提供する。それらの技術的解決方法は、以下のようになる。
【０００６】
第1の態様によれば、本発明は、参照信号送信方法であって、送信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、前記送信デバイスによって、前記第1のリソースマップに基づいて、Z個のアンテナポートをサポートする前記参照信号を目標時間周波数リソースにマッピングした後に、前記参照信号を送信するステップと、を含み、前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、参照信号送信方法を提供する。
【０００７】
本発明にしたがって提供される参照信号送信方法によれば、送信デバイスは、Z個のアンテナポートをサポートする参照信号の第1のリソースマップを決定し、そして、第1のリソースマップに基づいて、Z個のアンテナポートをサポートする参照信号を目標時間周波数リソースにマッピングした後に、その参照信号を送信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０００８】
第1の態様の第1の可能な実装において、前記Z個のアンテナポートは、アンテナポートのM個のグループを含み、各々のグループは、Y個のアンテナポートを含み、Z＝M＊Yであり、前記第2のリソースマップは、N個の第3のリソースマップを集約することによって取得され、各々の第3のリソースマップは、アンテナポートの前記M個のグループのうちのアンテナポートの1つのグループに対応しており、P＝N＊Y、G＝A＊Y、H＝B＊Y、A＋B＝Nであり、Yは、2のべき乗である。
【０００９】
第1の態様の第1の可能な実装に関して、第1の態様の第2の可能な実装において、前記K個のリソースユニットの中のいずれか2つの第2のリソースマップは、単一のリソースユニットに対応する時間周波数リソースパターンの中の同じ時間領域位置を占有し、前記K個のリソースユニットの中の少なくとも2つの第2のリソースマップは、単一のリソースユニットに対応する時間周波数リソースパターンの中の異なる周波数領域位置を占有し、及び/又は、前記K個のリソースユニットの中の少なくとも2つの第2のリソースマップは、単一のリソースユニットに対応する時間周波数リソースパターンの中の同じ周波数領域位置を占有する。
【００１０】
第1の態様の第1の可能な実装又は第1の態様の第2の可能な実装に関して、第1の態様の第3の可能な実装において、前記K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、前記i番目のリソースユニットの中の前記j番目の第3のリソースマップは、アンテナポートの前記M個のグループのうちのアンテナポートの1つのグループに対応しており、前記(i＋1)番目のリソースユニットの中の前記j番目の第3のリソースマップは、アンテナポートの前記M個のグループのうちのアンテナポートの他のグループに対応しており、0≦i≦K−1、且つ、0≦j≦N−1である。
【００１１】
第1の態様の第1の可能な実装又は第1の態様の第2の可能な実装に関して、第1の態様の第4の可能な実装において、前記K個のリソースユニットは、前記参照信号リソースセットの中の同じ時間領域リソースを占有し、前記K個のリソースユニットは、前記参照信号リソースセットの周波数領域において連続しており、前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【００１２】
第1の態様の第1の可能な実装又は第1の態様の第2の可能な実装に関して、第1の態様の第5の可能な実装において、前記K個のリソースユニットは、前記参照信号リソースセットの中の同じ周波数領域リソースを占有し、前記K個のリソースユニットは、前記参照信号リソースセットの時間領域において連続しており、前記K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートの前記M個のグループとの間で1対1の対応関係にあり、前記K個のリソースユニットの各々の中の(j＋1)番目の第3のリソースマップは、単一のリソースユニットの中の同じ時間領域位置を占有し、前記M個のリソースユニットの中のM個の(j＋1)番目の第3のリソースマップは、アンテナポートの前記M個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【００１３】
第1の態様、第1の態様の第1の可能な実装、第1の態様の第2の可能な実装、又は第1の態様の第3の可能な実装のうちのいずれかに関して、第1の態様の第6の可能な実装において、前記K個のリソースユニットは、前記参照信号リソースセットの中の同じ周波数領域リソースを占有し、前記K個のリソースユニットは、前記参照信号リソースセットの時間領域において連続している。
【００１４】
第1の態様、第1の態様の第1の可能な実装、第1の態様の第2の可能な実装、又は第1の態様の第3の可能な実装のうちのいずれか1つに関して、第1の態様の第7の可能な実装において、前記K個のリソースユニットは、前記参照信号リソースセットの中の同じ時間領域リソースを占有し、前記K個のリソースユニットは、前記参照信号リソースセットの周波数領域において連続している。
【００１５】
第1の態様、第1の態様の第1の可能な実装、第1の態様の第2の可能な実装、第1の態様の第3の可能な実装、第1の態様の第4の可能な実装、第1の態様の第5の可能な実装、第1の態様の第6の可能な実装、又は、第1の態様の第7の可能な実装に関して、第1の態様の第8の可能な実装において、前記リソースユニットは、PRBであるか、又は、前記リソースユニットは、PRB  pairである。
【００１６】
第1の態様、第1の態様の第1の可能な実装、第1の態様の第2の可能な実装、第1の態様の第3の可能な実装、第1の態様の第4の可能な実装、第1の態様の第5の可能な実装、第1の態様の第6の可能な実装、又は第1の態様の第7の可能な実装のうちのいずれか1つに関して、第1の態様の第9の可能な実装において、前記参照信号は、DMRS、CSI-RS、又はCRSである。
【００１７】
第1の態様の第2の可能な実装、第1の態様の第3の可能な実装、第3の態様の第4の可能な実装、又は第1の態様の第5の可能な実装のうちのいずれか1つに関して、第1の態様の第10の可能な実装において、前記M個のグループの各々の中のアンテナポートの番号は連続しており、m番目のグループの中のアンテナポートの番号P(m)は、P(m)＝[m＊Y＋α,  (m＋1)＊Y−1＋α]であり、0≦m≦M−1であり、αは、あらかじめ定められているオフセットである。
【００１８】
第1の態様の第2の可能な実装、第1の態様の第3の可能な実装、第1の態様の第4の可能な実装、又は第1の態様の第5の可能な実装のうちのいずれか1つに関して、第1の態様の第11の可能な実装において、前記M個のグループの各々の中のアンテナポートの番号のうちの複数の番号は連続しており、m番目のグループの中のアンテナポートの番号P(m)は、
(外1)
2019514265.tif 000047
であり、
0≦m≦M−1であり、αは、あらかじめ定められているオフセットである。
【００１９】
第1の態様の第2の可能な実装、第1の態様の第3の可能な実装、第1の態様の第4の可能な実装、又は第1の態様の第5の可能な実装のうちのいずれか1つに関して、第1の態様の第12の可能な実装において、各々のリソースユニットの中の前記N個の第3のリソースマップは、OFDMシンボルの3つの対、2つの対、又は1つの対を占有する。
【００２０】
第1の態様の第2の可能な実装、第1の態様の第3の可能な実装、第1の態様の第4の可能な実装、又は第1の態様の第5の可能な実装のうちのいずれか1つに関して、第1の態様の第13の可能な実装において、前記参照信号は、CSI-RSであり、前記リソースユニットは、物理リソースブロック対PRB  pairであり、Y＝8、且つ、N＝3であり、
各々のリソースユニットの中の前記3つの第3のリソースマップは、5つのCSI-RS配置のうちのCSI-RS配置0、CSI-RS配置1、及びCSI-RS配置2によって示される時間周波数リソースを占有し、又は、各々のリソースユニットの中の前記3つの第3のリソースマップは、5つのCSI-RS配置のうちのCSI-RS配置0、CSI-RS配置2、及びCSI-RS配置3によって示される時間周波数リソースを占有し、又は、各々のリソースユニットの中の前記3つの第3のリソースマップは、5つのCSI-RS配置のうちのCSI-RS配置0、CSI-RS配置2、及びCSI-RS配置4によって示される時間周波数リソースを占有し、又は、各々のリソースユニットの中の前記3つの第3のリソースマップは、5つのCSI-RS配置のうちのCSI-RS配置1、CSI-RS配置3、及びCSI-RS配置4によって示される時間周波数リソースを占有し、
前記5つのCSI-RS配置は、
前記CSI-RS配置0によって示される時間周波数リソースが、(k,l)＝(9,5),(9,6),(8,5),(8,6),(3,5),(3,6),(2,5),(2,6)の8つのリソースエレメントREを含み、
前記CSI-RS配置1によって示される時間周波数リソースが、(k,l)＝(9,9),(9,10),(8,9),(8,10),(3,9),(3,10),(2,9),(2,10)の8つのリソースエレメントREを含み、
前記CSI-RS配置2によって示される時間周波数リソースが、(k,l)＝(9,12),(9,13),(8,12),(8,13),(3,12),(3,13),(2,12),(2,13)の8つのリソースエレメントREを含み、
前記CSI-RS配置3によって示される時間周波数リソースが、(k,l)＝(11,9),(11,10),(10,9),(10,10),(5,9),(5,10),(4,9),(4,10)の8つのリソースエレメントREを含み、
前記CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、前記PRB  pairにおけるサブキャリア番号であり、lは、前記PRB  pairにおける直交周波数分割多重化OFDMシンボルの番号である。
【００２１】
第1の態様の第13の可能な実装に関して、第1の態様の第14の可能な実装において、直交カバー符号OCC＝8の拡散符号を使用することによって、各々の第3のリソースマップに対応する8つのチャネル状態情報参照信号CSI-RSに対して、スペクトラム拡散が実行される。
【００２２】
第1の態様の第2の可能な実装、第1の態様の第3の可能な実装、第1の態様の第4の可能な実装、又は第1の態様の第5の可能な実装のうちのいずれか1つに関して、第1の態様の第15の可能な実装において、k番目のリソースユニットの第2のリソースマップに対応するアンテナポートのN個のグループは、アンテナポートの前記M個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【００２３】
第1の態様の第2の可能な実装、第1の態様の第3の可能な実装、第1の態様の第4の可能な実装、又は第1の態様の第5の可能な実装のうちのいずれか1つに関して、第1の態様の第16の可能な実装において、
Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である。
【００２４】
第2の態様によれば、本発明は、参照信号受信方法であって、受信デバイスによって、Z個のアンテナポートをサポートする参照信号の第1のリソースマップを決定するステップであって、前記第1のリソースマップは、Z個のアンテナポートをサポートする前記参照信号を時間周波数リソースにマッピングする位置を含む、ステップと、前記受信デバイスによって、前記第1のリソースマップに基づいて、目標時間周波数リソースから、Z個のアンテナポートをサポートする前記参照信号を受信するステップと、を含み、前記第1のリソースマップは、K個のリソースユニットの反復単位にしたがって時間領域及び/又は周波数領域において反復され、前記K個のリソースユニットは、参照信号リソースセットの中で、時間領域におけるK個の連続するリソースユニットであるか、又は、周波数領域におけるK個の連続するリソースユニットであり、前記参照信号を送信するのに使用される時間周波数リソースは、前記参照信号リソースセットのために構成され、前記K個のリソースユニットの各々は、P個のアンテナポートをサポートする参照信号の第2のリソースマップに対応しており、2つの隣接するリソースユニットごとの前記第2のリソースマップに対応する前記P個のアンテナポートは、G個の同じアンテナポート及びH個の異なるアンテナポートを含み、前記P個のアンテナポートは、前記第1のリソースマップに対応する前記Z個のアンテナポートのサブセットであり、P＜Zである、参照信号受信方法を提供する。
【００２５】
本発明にしたがって提供される参照信号送信方法によれば、受信デバイスは、Z個のアンテナポートをサポートする参照信号の第1のリソースマップを決定し、そして、その第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【００２６】
第2の態様のさまざまな可能な実装については、第1の態様のさまざまな可能な実装を参照するべきである。
【００２７】
第3の態様によれば、本発明は、送信装置を提供し、その送信装置は、少なくとも1つのユニットを含み、その少なくとも1つのユニットは、第1の態様又は第1の態様の複数の可能な実装のうちのいずれか1つにしたがった参照信号送信方法を実装するように構成される。
【００２８】
第4の態様によれば、本発明は、受信装置を提供し、その受信装置は、少なくとも1つのユニットを含み、その少なくとも1つのユニットは、第2の態様又は第2の態様の複数の可能な実装のうちのいずれか1つにしたがった参照信号受信方法を実装するように構成される。
【００２９】
第5の態様によれば、本発明は、送信デバイスを提供する。その送信デバイスは、プロセッサと、そのプロセッサに接続されるメモリ及び送信機と、を含む。そのプロセッサは、1つ又は複数の命令を格納するように構成され、それらの命令は、プロセッサによって実行されるように指示され、そのプロセッサは、第1の態様又は第1の態様の複数の可能な実装のうちのいずれか1つにしたがった参照信号送信方法を実装するように構成され、送信機は、参照信号を変調し、復調し、そして送信するように構成される。
【００３０】
第6の態様によれば、本発明は、受信デバイスを提供する。その受信デバイスは、プロセッサと、そのプロセッサに接続されるメモリ及び送信機と、を含む。そのプロセッサは、1つ又は複数の命令を格納するように構成され、それらの複数の命令は、そのプロセッサによって実行されるように指示され、そのプロセッサは、第2の態様又は第2の態様の複数の可能な実装のうちのいずれか1つにしたがった参照信号受信方法を実装するように構成され、送信機は、参照信号を変調し、復調し、そして受信するように構成される。
【図面の簡単な説明】
【００３１】
本発明の複数の実施形態にしたがった複数の技術的解決方法をより明確に説明するために、以下の記載は、それらの複数の実施形態を説明するのに必要となる複数の添付の図面を簡潔に説明する。明らかなことではあるが、以下の説明の中の複数の添付の図面は、本発明の複数の実施形態のうちのいくつかを示すにすぎず、当業者は、さらに、創造的な努力なくして、これらの複数の添付の図面から他の図面を導き出すことが可能である。
【００３２】
【図１】本発明のある1つの実施形態にしたがった参照信号送信/受信システムの概略的な構成図である。
【図２】本発明のある1つの実施形態にしたがった送信デバイスの概略的な構成図である。
【図３】本発明のある1つの実施形態にしたがった受信デバイスの概略的な構成図である。
【図４】本発明のある1つの実施形態にしたがった参照信号送信/受信方法の方法フローチャートである。
【図５】本発明のある1つの実施形態にしたがったK個のリソースユニットの分布の概略図である。
【図６】本発明のある1つの実施形態にしたがった第1のリソースマップの概略的な部分図である。
【図７】本発明にしたがって提供されないある1つの実施形態にしたがった第1のリソースマップの概略的な部分図である。
【図８】本発明にしたがって提供されない他の実施形態にしたがった第1のリソースマップの概略的な部分図である。
【図９】本発明の他の実施形態にしたがったK個のリソースユニットの分布の概略図である。
【図１０】本発明の他の実施形態にしたがった参照信号送信/受信方法の実装の概略図である。
【図１１】本発明の他の実施形態にしたがった参照信号送信/受信方法の実装の概略図である。
【図１２】本発明の他の実施形態にしたがった参照信号送信/受信方法の実装の概略図である。
【図１３】本発明のある1つの実施形態にしたがった複数のアンテナポートの極性形成方向の概略図である。
【図１４】本発明の他の実施形態にしたがった複数のアンテナポートの極性形成方向の概略図である。
【図１５】各々のリソースユニットの中で、ある1つのCSI-RSが占有することが可能であるリソースエレメントの概略図である。
【図１６Ａ】8個のアンテナポートからなる各々のグループのある1つのCSI-RS配置手法の概略図である。
【図１６Ｂ】8個のアンテナポートからなる各々のグループのある1つのCSI-RS配置手法の概略図である。
【図１６Ｃ】8個のアンテナポートからなる各々のグループのある1つのCSI-RS配置手法の概略図である。
【図１６Ｄ】8個のアンテナポートからなる各々のグループのある1つのCSI-RS配置手法の概略図である。
【図１６Ｅ】8個のアンテナポートからなる各々のグループのある1つのCSI-RS配置手法の概略図である。
【図１７】本発明のある1つの実施形態にしたがった参照信号送信/受信方法の実装の概略図である。
【図１８】本発明のある1つの実施形態にしたがった参照信号送信/受信方法の実装の概略図である。
【図１９】本発明のある1つの実施形態にしたがったDMRS送信/受信方法の実装の概略図である。
【図２０】本発明の他の実施形態にしたがったDMRS送信/受信方法の実装の概略図である。
【図２１】本発明のある1つの実施形態にしたがった送信装置の構成ブロック図である。
【図２２】本発明の他の実施形態にしたがった受信装置の構成ブロック図である。
【発明を実施するための形態】
【００３３】
本発明の目的、技術的解決方法、及び利点をより明確にするために、以下の記載は、複数の添付の図面を参照して、本発明の複数の実装をさらに詳細に説明する。
【００３４】
本明細書の中で言及する"モジュール"は、プログラム又は命令であり、そのプログラム又は命令は、メモリの中に格納され、複数の機能を実装することが可能である。本明細書の中で言及する"ユニット"は、論理に基づいて区分される機能的な構成である。ハードウェアのみによってその"ユニット"を実装してもよく、ソフトウェア及びハードウェアの組み合わせによってその"ユニット"を実装してもよい。
【００３５】
本明細書の中の"複数の"は、2つ又は2つよりも多くの数を意味する。"及び/又は"との記載は、複数の関連する対象を説明するための関連性関係を説明し、3つの関係が存在している場合があるということを表す。例えば、A及び/又はBは、Aのみが存在する、A及びBの双方が存在する、そして、Bのみが存在する、の3つの場合を表していてもよい。文字"/"は、一般的に、それらの複数の関連する対象の間の"又は"の関係を示す。
【００３６】
図1を参照すると、図1は、本発明のある1つの例示的な実施形態にしたがった参照信号送信/受信システムの概略的な構成図を示している。その参照信号送信/受信システムは、送信デバイス120及び受信デバイス140を含む。
【００３７】
送信デバイス120は、参照信号を送信する能力を有している。選択的に、送信デバイス120は、モバイル通信システムの中のアクセスネットワークデバイスである。選択的に、そのアクセスネットワークデバイスは、汎欧州ディジタル移動体通信システム(Global  System  for  Mobile  Communication,  GSM)又は符号分割多元接続(Code  Division  Multiple  Access,  CDMA)における基地局(BTS,  Base  Transceiver  Station)である。選択的に、そのアクセスネットワークデバイスは、UMTSにおける基地局(NodeB)である。選択的に、そのアクセスネットワークデバイスは、ロングタームエボリューション(Long  Term  Evolution,  LTE)における進化型NodeB(evolutional  Node  B,  eNB又はe-NodeB)である。
【００３８】
受信デバイス140は、参照信号を受信する能力を有している。選択的に、受信デバイス140は、モバイル通信システムの中の端末デバイスである。選択的に、アクセスデバイス140は、モバイルサイト(Mobile  Station)、モバイル局(Mobile)、ユーザ端末(User  Terminal)、ユーザデバイス(User  Device)、或いは、例えば、携帯電話、タブレットコンピュータ、又はスマート機器等のユーザ機器(User  Equipment,  UE)であってもよい。
【００３９】
選択的に、送信デバイス120及び受信デバイス140は、無線キャリアを使用することによって互いに通信する。
【００４０】
選択的に、図1に示されている参照信号送信/受信システムは、複数の送信デバイス120及び/又は複数の受信デバイス140を含んでもよく、1つの受信デバイス140は、複数の送信デバイス120との間で通信してもよい。図1には、説明のための1つの例として、1つのみの送信デバイス120及び1つのみの受信デバイス140が示されている。上記のことは、この実施形態においては限定されない。
【００４１】
図2を参照すると、図2は、本発明のある1つの例示的な実施形態にしたがった送信デバイスの概略的な構成図を示している。その送信デバイスは、プロセッサ21、メモリ22、及び送信機23を含む。
【００４２】
プロセッサ21は、メモリ22に接続される。
【００４３】
プロセッサ21は、1つ又は複数のプロセッサコアを含み、ソフトウェアプログラム及びモジュールを起動することによって、プロセッサ21は、さまざまな機能的なアプリケーションを実行し、情報を処理する。
【００４４】
メモリ22は、そのソフトウェアプログラム及びそのモジュールを格納するように構成されてもよい。メモリ22は、オペレーティングシステム24及び少なくとも1つの機能が要求するアプリケーションプログラムモジュール25を格納してもよい。
【００４５】
アプリケーションプログラムモジュール25は、決定モジュール及び送信モジュールを含んでもよい。決定モジュールは、Z個のアンテナポートをサポートする参照信号の第1のリソースマップを決定するように構成される。送信モジュールは、第1のリソースマップに基づいて、Z個のアンテナポートをサポートする参照信号を目標時間周波数リソースにマッピングした後に、参照信号を送信するように構成される。
【００４６】
追加的に、静的なランダムアクセスメモリ(SRAM)、電気的に消去可能かつプログラム可能なリードオンリーメモリ(EEPROM)、消去可能かつプログラム可能なリードオンリーメモリ(EPROM)、プログラム可能なリードオンリーメモリ(PROM)、リードオンリーメモリ(ROM)、磁気メモリ、フラッシュメモリ、磁気ディスク、又は光ディスク等のいずれかのタイプの揮発性記憶デバイス又は不揮発性記憶デバイス或いはそれらの組み合わせによって、メモリ22を実装してもよい。
【００４７】
送信機23は、変調及び復調モジュールと多入力多出力(Multiple  Input  Multiple  Output,  MIMO)アンテナとを含む。MIMOアンテナは、複数のアンテナポートにおける送信/受信をサポートするアンテナである。この実施形態においては、MIMOアンテナは、少なくとも2つの送信アンテナを含む。選択的に、送信機23は、参照信号を変調し、復調し、送信するように構成される。
【００４８】
プロセッサ21は、第1のリソースマップに基づいて、Z個のアンテナポートをサポートする参照信号を目標時間周波数リソースにマッピングした後に、送信機23を使用することによって、参照信号を送信する。
【００４９】
Zは、2よりも大きな整数であるということに留意すべきである。
【００５０】
当業者は、図2に示されている送信デバイス120の構成が、送信デバイス120に対するいかなる限定も構成せず、送信デバイス120が、図面に示されている構成要素よりもより多くの又はより少ない構成要素を含んでもよく、複数の構成要素を組み合わせてもよく、或いは、異なる構成要素の配列を有していてもよいということを理解することができる。
【００５１】
図3を参照すると、図3は、本発明のある1つの例示的な実施形態にしたがった受信デバイス140の概略的な構成図を示している。その受信デバイス140は、プロセッサ31、メモリ32、及び受信機33を含む。
【００５２】
プロセッサ31は、メモリ32に接続される。
【００５３】
プロセッサ31は、1つ又は複数のプロセッサコアを含み、ソフトウェアプログラム及びモジュールを起動することによって、プロセッサ31は、さまざまな機能的なアプリケーションを実行し、情報を処理する。
【００５４】
メモリ32は、そのソフトウェアプログラム及びそのモジュールを格納するように構成されてもよい。メモリ32は、さらに、オペレーティングシステム35及び少なくとも1つの機能が要求するアプリケーションプログラムモジュール36を格納してもよい。
【００５５】
そのアプリケーションプログラムモジュール36は、決定モジュール及び受信モジュールを含んでもよい。その決定モジュールは、Z個のアンテナポートをサポートする参照信号の第1のリソースマップを決定するように構成される。その受信モジュールは、第1のリソースマップに基づいて、目標時間周波数リソースから、Z個のアンテナポートをサポートする参照信号を受信するように構成される。
【００５６】
追加的に、静的なランダムアクセスメモリ(SRAM)、電気的に消去可能かつプログラム可能なリードオンリーメモリ(EEPROM)、消去可能かつプログラム可能なリードオンリーメモリ(EPROM)、プログラム可能なリードオンリーメモリ(PROM)、リードオンリーメモリ(ROM)、磁気メモリ、フラッシュメモリ、磁気ディスク、又は光ディスク等のいずれかのタイプの揮発性記憶デバイス又は不揮発性記憶デバイス或いはそれらの組み合わせによって、メモリ32を実装してもよい。
【００５７】
受信機33は、変調及び復調モジュールとMIMOアンテナとを含む。MIMOアンテナは、複数のアンテナポートにおける送信/受信をサポートするアンテナである。この実施形態においては、MIMOアンテナは、少なくとも2つの送信アンテナを含む。選択的に、受信機33は、参照信号を変調し、復調し、受信するように構成される。
【００５８】
プロセッサ31は、受信機33を使用することによって、第1のリソースマップに基づいて、目標時間周波数リソースから、Z個のアンテナポートをサポートする参照信号を受信する。
【００５９】
Zは、4以上の整数であるということに留意すべきである。
【００６０】
当業者は、図3に示されている受信デバイス140の構成が、受信デバイス140に対するいかなる限定も構成せず、受信デバイス140が、図面に示されている構成要素よりもより多くの又はより少ない構成要素を含んでもよく、複数の構成要素を組み合わせてもよく、或いは、異なる構成要素の配列を有していてもよいということを理解することができる。
【００６１】
図4を参照して、図4は、本発明のある1つの例示的な実施形態にしたがった参照信号送信/受信方法の方法フローチャートを示している。図1に図示されている送信デバイスにその参照信号送信方法を適用するある1つの例を使用することによって、この実施形態を説明する。図4に示されているように、参照信号送信/受信方法は、以下のステップを含む。
【００６２】
ステップ401:  送信デバイスは、Z個のアンテナポートをサポートする参照信号の第1のリソースマップを決定する。
【００６３】
第1のリソースマップは、Z個のアンテナポートをサポートする参照信号を時間周波数リソースにマッピングする位置を含む。
【００６４】
送信デバイスは、あらかじめ定められたリソースマッピング規則にしたがって、Z個のアンテナをサポートするその参照信号の第1のリソースマップを決定する。
【００６５】
ステップ402:  送信デバイスは、第1のリソースマップに基づいて、Z個のアンテナポートをサポートする参照信号を目標時間周波数リソースにマッピングした後に、参照信号を送信する。
【００６６】
送信デバイスは、第1のリソースマップに基づいて、目標時間周波数リソースに、Z個のアンテナポートをサポートするその参照信号をマッピングし、その参照信号に対して、離散化、時間領域前処理、フーリェ変換(Fast  Fourier  Transformation,  FFT)、周波数領域分析、フィルタリング、又は逆フーリェ変換(Inverse  Fast  Fourier  Transformation,  IFFT)等の当業者によく知られている複数の処理ステップを実行し、そして、参照信号の処理を完了した後に、その参照信号を送信する。
【００６７】
ステップ403:  受信デバイスは、Z個のアンテナポートをサポートする参照信号の第1のリソースマップを決定する。
【００６８】
受信デバイスは、あらかじめ定められたリソースマッピング規則にしたがって、Z個のアンテナポートをサポートするその参照信号の第1のリソースマップを決定する。
【００６９】
ステップ404:  受信デバイスは、第1のリソースマップに基づいて、目標時間周波数リソースから、Z個のアンテナポートをサポートする参照信号を受信する。
【００７０】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【００７１】
P個のアンテナポートは、第1のリソースマップに対応するZ個のアンテナポートの適正なサブセットである。
【００７２】
Zは、4以上の整数であり、Pは、2よりも大きな整数であり、Kは、2よりも大きな整数であり、Hは、2よりも大きな整数であり、Gは、2よりも大きな整数であるということに留意すべきである。
【００７３】
送信デバイス側での方法の実施形態としてステップ401及びステップ402を個別に実装してもよく、受信デバイス側での方法の実施形態としてステップ403及びステップ404を個別に実装してもよいということに留意すべきである。
【００７４】
結論として、本発明のこの実施形態にしたがって提供される参照信号送信/受信方法によれば、送信デバイスは、Z個のアンテナポートをサポートする参照信号の第1のリソースマップを決定し、そして、その第1のリソースマップに基づいて、Z個のアンテナポートをサポートする参照信号を目標時間周波数リソースにマッピングした後に、その参照信号を送信し、受信デバイスは、第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【００７５】
LTEシステムにおいては、リソースユニットは、時間周波数リソースユニットであり、その時間周波数リソースユニットは、送信されるデータを搬送するのに使用される。そのリソースユニットは、物理リソースブロック(Physical  Resource  Block,  PRB)、物理リソースブロック対(Physical  Resource  Block  pair,  PRB  pair)、物理リソースブロックグループ(Physical  Resource  Block  Group,  RBG)、又は、仮想リソースブロック(Virtual  Resource  Block,  VRB)であってもよい。選択的に、1つのPRB  pairは、周波数領域において12個の連続するサブキャリアを含み、時間領域において14個の連続するシンボルを含む。そのシンボルは、LTEシステムの直交周波数分割多重化(Orthogonal  Frequency  Division  Multiplexing,  OFDM)シンボルであるか、又はシングルキャリア周波数分割多元接続(Single-carrier  Frequency-Division  Multiple  Access,  SC-FDMA)シンボルであり、LTEシステムにおいては、サブキャリアの周波数領域は15[kHz]であり、或いは、そのシンボルは、サブキャリアの周波数領域が15[kHz]よりも大きい通信システムのシンボルである。1つのPRB  pairは、時間領域において1つの送信時間長のリソースを占有する。異なるLTEリリースにおいては、その送信時間長は、1シンボルから14シンボルまでのいずれかのシンボル数であってもよい。本発明のこの実施形態においては、説明のために、リソースユニットがPRB  pairとなっているある1つの例を使用する。
【００７６】
本発明のこの実施形態においては、第1のリソースマップについて3つの可能な実装が存在する。
【００７７】
第1の実装において、第1のリソースマップは、K個のリソースユニットの反復単位にしたがって周波数領域において反復され、K個のリソースユニットは、参照信号リソースセットの中の同じ時間領域リソースを占有し、K個のリソースユニットは、参照信号リソースセットの中で周波数領域におけるK個の連続するリソースユニットである。
【００７８】
第2の実装において、第1のリソースマップは、K個のリソースユニットの反復単位にしたがって時間領域において反復され、K個のリソースユニットは、参照信号リソースセットの中の同じ周波数領域リソースを占有し、K個のリソースユニットは、参照信号リソースセットの中で時間領域におけるK個の連続するリソースユニットである。
【００７９】
第3の実装において、第1のリソースマップは、K個のリソースグループの反復単位にしたがって時間領域及び周波数領域において反復され、各々のリソースグループは、K個のリソースユニットを含む。
【００８０】
Kは、2よりも大きい整数であるということに留意すべきである。
【００８１】
以下の記載では、それらの3つの実装を個別かつ詳細に説明する。
【００８２】
第1の可能な実装において、K個のリソースユニットは、参照信号リソースセットの中の同じ時間領域リソースを占有し、その参照信号リソースセットの周波数領域において連続している。言い換えると、図5に示されているように、K個のリソースユニットは、周波数領域において一様に配列され、周波数領域における2つの隣接するリソースユニットは、他のサブキャリアを含まない。加えて、周波数領域における2つの隣接するリソースユニットの間にはいかなる他のリソースユニットも存在しない。
【００８３】
第1のリソースマップに基づいて、Z個のアンテナポートをサポートする参照信号を目標時間領域にマッピングした後に、参照信号を送る。Kごとに、その第1のリソースマップの中のリソースユニットは、Z個のアンテナポートに対応する。
【００８４】
選択的に、Z個のアンテナポートは、アンテナポートのM個のグループを含み、各々のグループは、Y個のアンテナポートを含み、Z＝M＊Yである。Yは、2のべき乗である。
【００８５】
選択的に、Yは、8以下の整数であり、例えば、Yは、2、4、又は8である。
【００８６】
Zは、4以上の整数であり、Mは、2以上の整数であり、Nは、2以上の整数であるということに留意すべきである。
【００８７】
K個のリソースユニットの各々は、P個のアンテナポートをサポートする参照信号の第2のリソースマップに対応しており、P＜Zである。第2のリソースマップは、N個の第3のリソースマップを集約することによって取得され、P＝N＊Yである。2つの隣接するリソースユニットごとの第2のリソースマップに対応するP個のアンテナポートは、G個の同じアンテナポート及びH個の異なるアンテナポートを含み、G＝A＊Y、H＝B＊Y、A＋B＝Nである。言い換えると、それらのK個のリソースユニットにおいて、いずれか2つのリソースユニットによって送られる参照信号に対応するアンテナポートは、正確には同じではなく、又は、いずれか2つのリソースユニットによって送られる参照信号のうちの少なくともB＊Y個の参照信号に対応するアンテナポートは、異なっている。
【００８８】
Hは、2よりも大きな整数であり、Gは、2よりも大きな整数であり、Aは、1以上の整数であり、Bは、1以上の整数であるということに留意すべきである。
【００８９】
選択的に、各々の第3のリソースマップは、アンテナポートのM個のグループのうちのアンテナポートの1つのグループに対応している。
【００９０】
K個のリソースユニットは、K個の第2のリソースマップを含み、各々の第2のリソースマップは、N個の第3のリソースマップを含むということを理解することが可能である。
【００９１】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。周波数領域においていずれかの2つの隣接するリソースユニットによって送られる参照信号の中に、それらの参照信号に対応する2＊8＝16個の同じアンテナポートが存在し、そして、それらの参照信号に対応する1＊8＝8個の異なるアンテナポートが存在する。
【００９２】
Zは、4以上の整数であり、Kは、2よりも大きな整数であり、Mは、2以上の整数であり、Nは、2以上の整数であるということに留意すべきである。
【００９３】
図6を参照すると、図6は、第1のリソースマップの中の4つのリソースユニットに対応するある1つの概略的な部分図である。それらの4つのリソースユニットは、0乃至3の番号を付され、それらの4つのリソースユニット0乃至3は、4つの第2のリソースマップに対応している。リソースユニット0は、3つの第3のリソースマップを含み、それらの3つの第3のリソースマップは、それぞれ、アンテナポート0乃至7、アンテナポート8乃至15、及びアンテナポート16乃至23に対応し、合計で3＊8＝24個のアンテナポートが存在する。リソースユニット1も、同様に、3つの第3のリソースマップを含み、それらの3つの第3のリソースマップは、それぞれ、アンテナポート8乃至15、アンテナポート16乃至23、及びアンテナポート24乃至31に対応する。リソースユニット2も、同様に、3つの第3のリソースマップを含み、それらの3つの第3のリソースマップは、それぞれ、アンテナポート16乃至23、アンテナポート24乃至31、及びアンテナポート0乃至7に対応する。リソースユニット3も、同様に、3つの第3のリソースマップを含み、それらの3つの第3のリソースマップは、それぞれ、アンテナポート24乃至31、アンテナポート0乃至7、及びアンテナポート8乃至15に対応する。
【００９４】
互いに隣接するリソースユニット0及びリソースユニット1において、複数の参照信号に対応する16個の同じアンテナポートが存在し、具体的にいうと、アンテナポート8乃至15及びアンテナポート16乃至23が含まれ、それらの複数の参照信号に対応する8個の異なるアンテナポートが存在し、例えば、アンテナポート0乃至7は、アンテナポート24乃至31とは異なっている。
【００９５】
K個のリソースユニットの中のいずれかの2つのリソースユニットを使用して送信される複数の参照信号に対応するアンテナポートは、正確には同じではない。例えば、図6の4つのリソースユニットのうちのリソースユニット0及びリソースユニット2において、複数の参照信号に対応する8個の異なるアンテナポート、すなわち、アンテナポート16乃至23が存在し、それらの複数の参照信号に対応する16個の異なるアンテナポートが存在し、例えば、アンテナポート0乃至7は、アンテナポート8乃至15とは異なる。各々の第2のリソースマップの中のアンテナポートの1つのグループは、1つの第3のリソースマップに対応している。図6においては、4つのタイプの第3のリソースマップが存在する。例えば、リソースユニット3の中のアンテナポート8乃至15に対応する参照信号を送信するのに使用される時間周波数リソースは、1つの第3のリソースマップに対応している。
【００９６】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【００９７】
リソースユニットの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。本発明のこの実施形態においては、周波数領域においてそれらの番号を周波数の低いほうから高いほうへと配列するある1つの例を使用する。
【００９８】
第3のリソースマップの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。各々のリソースユニットの中の複数の第3のリソースマップについて、同じ番号付けの規則を使用する。
【００９９】
j番目の第3のリソースマップに対応しているとともにアンテナポートのM個のグループの中に存在するアンテナポートのグループは、j番目の第3のリソースマップに対応しているとともにアンテナポートのM個のグループの中に存在するアンテナポートの他のグループとは異なるということに留意すべきである。
【０１００】
Kは、2よりも大きな整数であり、Mは、2以上の整数であり、Nは、2以上の整数であり、i及びjは、整数であるということに留意すべきである。
【０１０１】
図6を参照すると、ある1つの例として、周波数領域において互いに隣接しているリソースユニット0及びリソースユニット1を使用する。リソースユニット0の左側にある0番目の第3のリソースマップ及びリソースユニット1の左側にある0番目の第3のリソースマップは、同じ時間領域位置及び同じ周波数領域位置を占有している。リソースユニット0の中央にある1番目の第3のリソースマップ及びリソースユニット1の中央にある1番目の第3のリソースマップは、同じ時間領域位置及び同じ周波数領域位置を占有している。リソースユニット0の右側にある2番目の第3のリソースマップ及びリソースユニット1の右側にある2番目の第3のリソースマップは、同じ時間領域位置及び同じ周波数領域位置を占有している。
【０１０２】
リソースユニット0の左側にある0番目の第3のリソースマップは、アンテナポート0乃至7に対応する参照信号に対応しており、リソースユニット1の左側にある0番目の第3のリソースマップは、アンテナポート8乃至15に対応する参照信号に対応している。
【０１０３】
リソースユニット0の中央にある1番目の第3のリソースマップは、アンテナポート8乃至15に対応する参照信号に対応しており、リソースユニット1の中央にある1番目の第3のリソースマップは、アンテナポート16乃至23に対応する参照信号に対応している。
【０１０４】
リソースユニット0の右側にある2番目の第3のリソースマップは、アンテナポート16乃至23に対応する参照信号に対応しており、リソースユニット1の右側にある2番目の第3のリソースマップは、アンテナポート24乃至31に対応する参照信号に対応している。
【０１０５】
2つの隣接するリソースユニットごとの第2のリソースマップに対応するP個のアンテナポートは、G個の同じアンテナポート及びH個の異なるアンテナポートを含むということを、図6から理解することが可能である。複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０１０６】
Pは、2よりも大きな整数であり、Hは、2よりも大きな整数であり、Gは、2よりも大きな整数であるということに留意すべきである。
【０１０７】
図6に示されている技術的解決方法の有益な効果をより明確に説明するために、図7及び8を参照すると、図7及び8は、それぞれ、本発明にしたがって提供されない複数の実施形態にしたがった32個のアンテナポートに対応する参照信号の送信の概略図を示している。
【０１０８】
図7に示されている技術的解決方法においては、32個のアンテナポートに対応する参照信号は、各々のリソースユニットを使用して送信される。この場合には、各々のリソースユニットは、32個の時間周波数リソースユニットを占有する必要があり、送信密度は1である、すなわち、各々のアンテナポートに対応する参照信号は、各々のリソースユニットの中で1回出現する。
【０１０９】
図8に示されている技術的解決方法においては、16個のアンテナポートに対応する参照信号は、各々のリソースユニットを使用して送信され、2つの隣接するリソースユニットを使用して送信される参照信号に対応するアンテナポートは、異なっている。この場合には、各々のリソースユニットは、16個の時間周波数リソースユニットを占有する必要があり、送信密度は0.5である、すなわち、各々のアンテナポートに対応する参照信号は、2つのリソースユニットごとに1回出現する。
【０１１０】
図6に示されている技術的解決方法においては、各々のリソースユニットは、24個の時間周波数リソースユニットを占有する必要があり、この場合には、送信密度は0.75である、即ち、各々のアンテナポートに対応する参照信号は、4つのリソースユニットごとに3回出現する。したがって、図6に示されている手法は、各々のリソースユニットの中ですべてのアンテナポートに対応する参照信号によって占有される時間周波数リソースの数を減少させることが可能であるのみならず、それらの参照信号の送信密度を保証することも可能である。
【０１１１】
図6、図7、及び図8におけるアンテナポートの番号は、例示的な説明を目的としたものであるにすぎず、あるアンテナポートのある特定の番号を示すものではないということに留意すべきである。このことは、本発明のこの実施形態においては限定されない。
【０１１２】
図5及び6に示されている手法とは異なる第2の可能な実装において、K個のリソースユニットは、参照信号リソースセットの中の同じ周波数領域リソースを占有し、それらのK個のリソースユニットは、その参照信号リソースセットの時間領域において連続している。言い換えると、K個のリソースユニットは、時間領域において一様に配列され、時間領域における2つの隣接するリソースユニットは、第1のシンボルを含まない。その第1のシンボルは、参照信号を送信するためのシンボルとして構成される。これに対して、図9に示されているように、時間領域における2つの隣接するリソースユニットは、第2のシンボルを含んでもよく、その第2のシンボルは、参照信号以外の信号を送信するためのシンボルとして構成される。加えて、時間領域における2つの隣接するリソースユニットの間にはいかなる他のリソースユニットも存在しない。
【０１１３】
第1のリソースマップに基づいて、Z個のアンテナポートをサポートする参照信号を目標時間領域にマッピングした後に、その参照信号を送る。Kごとに、リソースユニットは、Z個のアンテナポートに対応し、Z個のアンテナポートは、アンテナポートのM個のグループを含み、各々のグループは、Y個のアンテナポートを含み、Z＝M＊Yである。Yは、2のべき乗である。
【０１１４】
選択的に、Yは、8以下の整数であり、例えば、Yは、2、4、又は8である。
【０１１５】
K個のリソースユニットの各々は、P個のアンテナポートをサポートする参照信号の第2のリソースマップに対応しており、P＜Zである。第2のリソースマップは、N個の第3のリソースマップを集約することによって取得され、P＝N＊Yである。2つの隣接するリソースユニットごとの第2のリソースマップに対応するP個のアンテナポートは、G個の同じアンテナポート及びH個の異なるアンテナポートを含み、G＝A＊Y、H＝B＊Y、A＋B＝Nである。言い換えると、それらのK個のリソースユニットにおいて、いずれか2つのリソースユニットによって送られる参照信号に対応するアンテナポートは、正確には同じではなく、又は、いずれか2つのリソースユニットによって送られる参照信号のうちの少なくともB＊Y個の参照信号に対応するアンテナポートは、異なっている。
【０１１６】
選択的に、各々の第3のリソースマップは、アンテナポートのM個のグループのうちのアンテナポートの1つのグループに対応している。
【０１１７】
第1のリソースマップの中のK個のリソースユニットは、K個の第2のリソースマップを含み、各々の第2のリソースマップは、N個の第3のリソースマップを含むということを理解することが可能である。
【０１１８】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。いずれかの2つの隣接するリソースユニットによって送られる参照信号の中に、それらの参照信号に対応する2＊8＝16個の同じアンテナポートが存在し、そして、それらの参照信号に対応する1＊8＝8個の異なるアンテナポートが存在する。
【０１１９】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であるということに留意すべきである。
【０１２０】
図10を参照すると、図10は、第1のリソースマップの中のK個のリソースユニットに対応するある1つの概略的な部分図である。それらの4つのリソースユニットは、0乃至3の番号を付され、それらの4つのリソースユニット0乃至3は、4つの第2のリソースマップに対応している。リソースユニット0は、3つの第3のリソースマップを含み、それらの3つの第3のリソースマップは、それぞれ、アンテナポート0乃至7、アンテナポート8乃至15、及びアンテナポート16乃至23に対応し、合計で3＊8＝24個のアンテナポートが存在する。リソースユニット1も、同様に、3つの第3のリソースマップを含み、それらの3つの第3のリソースマップは、それぞれ、アンテナポート8乃至15、アンテナポート16乃至23、及びアンテナポート24乃至31に対応する。リソースユニット2も、同様に、3つの第3のリソースマップを含み、それらの3つの第3のリソースマップは、それぞれ、アンテナポート16乃至23、アンテナポート24乃至31、及びアンテナポート0乃至7に対応する。リソースユニット3も、同様に、3つの第3のリソースマップを含み、それらの3つの第3のリソースマップは、それぞれ、アンテナポート24乃至31、アンテナポート0乃至7、及びアンテナポート8乃至15に対応する。
【０１２１】
互いに隣接するリソースユニット0及びリソースユニット1において、複数の参照信号に対応する16個の同じアンテナポートが存在し、具体的にいうと、アンテナポート8乃至15及びアンテナポート16乃至23が含まれ、それらの複数の参照信号に対応する8個の異なるアンテナポートが存在し、例えば、アンテナポート0乃至7は、アンテナポート24乃至31とは異なっている。
【０１２２】
いずれかの2つのリソースユニットを使用して送信される複数の参照信号に対応するアンテナポートは、正確には同じではない。例えば、リソースユニット0及びリソースユニット2において、複数の参照信号に対応する8個の異なるアンテナポート、すなわち、アンテナポート16乃至23が存在し、それらの複数の参照信号に対応する16個の異なるアンテナポートが存在し、例えば、アンテナポート0乃至7は、アンテナポート8乃至15とは異なる。
【０１２３】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応している。
【０１２４】
リソースユニットの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。本発明のこの実施形態においては、周波数領域においてそれらの番号を周波数の低いほうから高いほうへと配列するある1つの例を使用する。
【０１２５】
第3のリソースマップの番号は、周波数領域において、周波数の高いほうから低いほうへと、又は、周波数の低いほうから高いほうへと配列されてもよく、或いは、時間領域において、時間的に前の時点から時間的に後の時点へと、又は、時間的に後の時点から時間的に前の時点へと配列されてもよい。このことは、本発明のこの実施形態においては限定されない。各々のリソースユニットの中の複数の第3のリソースマップについて、同じ番号付けの規則を使用する。
【０１２６】
j番目の第3のリソースマップに対応しているとともにアンテナポートのM個のグループの中に存在するアンテナポートのグループは、j番目の第3のリソースマップに対応しているとともにアンテナポートのM個のグループの中に存在するアンテナポートの他のグループとは異なるということに留意すべきである。
【０１２７】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であるということに留意すべきである。
【０１２８】
図10におけるアンテナポートの番号は、例示的な説明を目的としたものであるにすぎず、あるアンテナポートのある特定の番号を示すものではないということに留意すべきである。このことは、本発明のこの実施形態においては限定されない。
【０１２９】
図11に示されているように、第3の可能な実装において、第1のリソースマップは、K個の反復単位を含んでもよく、それらのK個の反復単位は、複数の異なる時間領域位置において順番に配列され、それらのK個の反復単位のうちの各々の反復単位は、複数のリソースユニットを含み、それらの複数のリソースユニットの位置は、各々の反復単位の中では同じである。
【０１３０】
図11は、第1のリソースマップの概略的な部分図を示している。その概略的な部分図は、1つの反復単位を含み、その反復単位は、16個のリソースユニットを含んでいる。参照信号の送信の間に各々の反復単位の中で同じ時間領域位置にある4つのリソースユニットによって使用される手法は、図6に示されている手法と同じであるか又は同様である。本明細書においては、詳細な説明は繰り返して行われない。参照信号の送信の間に各々の反復単位の中で同じ周波数領域位置にある4つのリソースユニットによって使用される手法は、図10に示されている手法と同じであるか又は同様である。本明細書においては、詳細な説明は繰り返して行われない。
【０１３１】
図11におけるアンテナポートの番号は、例示的な説明を目的としたものであるにすぎず、あるアンテナポートのある特定の番号を示すものではないということに留意すべきである。このことは、本発明のこの実施形態においては限定されない。
【０１３２】
上記の実施形態において、各々の第3のリソースマップが、時間領域において1つのOFDMシンボル対を占有するか、各々のリソースユニットの中の3つの第3のリソースマップが、OFDMシンボルの3つの対を占有するか、或いは、各々のリソースユニットの中の3つの第3のリソースマップが、OFDMシンボルの2つの対又は1つの対を占有してもよいということを仮定する。
【０１３３】
OFDMシンボル対は、2つの連続的なOFDMシンボルであり、例えば、5番目のOFDMシンボル及び6番目のOFDMシンボルは、1つのOFDMシンボル対となる。
【０１３４】
例えば、Z＝M＊Y＝32、M＝4、Y＝8、及びK＝4である。反復単位として4つのリソースユニットを使用する。それらの4つのリソースユニットを使用して、4＊8＝32個のアンテナポートに対応する参照信号を送る場合に、各々のリソースユニットは、3＊8＝24個のアンテナポートに対応する参照信号を送信するのに使用される。
【０１３５】
図12を参照すると、4つのリソースユニットは、0乃至3の番号を付されている。リソースユニット0においては、3＊8個の参照信号が送信され、それらの3＊8個の参照信号は、それぞれ、アンテナポート0乃至7、アンテナポート8乃至15、及びアンテナポート16乃至23に対応している。リソースユニット1においては、3＊8個の参照信号が送信され、それらの3＊8個の参照信号は、それぞれ、アンテナポート8乃至15、アンテナポート16乃至23、及びアンテナポート24乃至31に対応している。リソースユニット2においては、3＊8個の参照信号が送信され、それらの3＊8個の参照信号は、それぞれ、アンテナポート16乃至23、アンテナポート24乃至31、及びアンテナポート乃至7に対応している。リソースユニット3においては、3＊8個の参照信号が送信され、それらの3＊8個の参照信号は、それぞれ、アンテナポート24乃至31、アンテナポート0乃至7、及びアンテナポート8乃至15に対応している。各々のリソースユニットは、3つの第3のリソースマップを含み、それらの3つの第3のリソースマップは、OFDMシンボルの2つの対を占有する。
【０１３６】
Zは、4以上の整数であり、Kは、2よりも大きな整数であり、Mは、2以上の整数であり、Nは、2以上の整数であるということに留意すべきである。
【０１３７】
図12におけるアンテナポートの番号は、例示的な説明を目的としたものであるにすぎず、あるアンテナポートのある特定の番号を示すものではないということに留意すべきである。このことは、本発明のこの実施形態においては限定されない。
【０１３８】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０１３９】
"k  mod  M"は、Mで除算したkの剰余を示す。図6を参照すると、例えば、kは0であり、βは0であり、アンテナポートの0乃至3の番号を付された4つのグループが存在する。リソースユニット0の第2のリソースマップに対応するアンテナポートの3つのグループは、アンテナポートの4つのグループのうちで、アンテナポート0乃至7の0番目のグループ、アンテナポート8乃至15の1番目のグループ、及びアンテナポート16乃至23の2番目のグループである。Kは、2よりも大きな整数であり、Mは、2以上の整数であり、kは、0以上の整数であるということに留意すべきである。
【０１４０】
上記の実施形態において、説明のためのある1つの例として、Z＝M＊Y＝4＊8＝32個のアンテナポートを使用する。複数の異なる実施形態においては、8、16、20、24、64、又は他の数のアンテナポートが存在してもよい。Yごとに、アンテナポートは、アンテナポートの1つのグループとして考えられ、Yは、2のべき乗である。
【０１４１】
8個のアンテナポートが存在する場合に、それらのアンテナポートを4個のグループに分割してもよく、各々のグループは、2個のアンテナポートを含む。第2のリソースマップは、N個の第3のリソースマップを含み、1＜N＜4である。代替的に、それらのアンテナポートを2個のグループに分割してもよく、各々のグループは、4個のアンテナポートを含む。第2のリソースマップは、N個の第3のリソースマップを含み、N＝2である。
【０１４２】
16個のアンテナポートが存在する場合に、それらのアンテナポートを8個のグループに分割してもよく、各々のグループは、2個のアンテナポートを含む。第2のリソースマップは、N個の第3のリソースマップを含み、1＜N＜7である。代替的に、それらのアンテナポートを4個のグループに分割してもよく、各々のグループは、4個のアンテナポートを含む。第2のリソースマップは、N個の第3のリソースマップを含み、1＜N＜4である。代替的に、それらのアンテナポートを2個のグループに分割してもよく、各々のグループは、8個のアンテナポートを含む。第2のリソースマップは、N個の第3のリソースマップを含み、N＝2である。
【０１４３】
20個のアンテナポートが存在する場合に、それらのアンテナポートを10個のグループに分割してもよく、各々のグループは、2個のアンテナポートを含む。第2のリソースマップは、N個の第3のリソースマップを含み、1＜N＜10である。代替的に、それらのアンテナポートを5個のグループに分割してもよく、各々のグループは、4個のアンテナポートを含む。第2のリソースマップは、N個の第3のリソースマップを含み、1＜N＜5である。
【０１４４】
24個のアンテナポートが存在する場合に、それらのアンテナポートを12個のグループに分割してもよく、各々のグループは、2個のアンテナポートを含む。第2のリソースマップは、N個の第3のリソースマップを含み、1＜N＜12である。代替的に、それらのアンテナポートを6個のグループに分割してもよく、各々のグループは、4個のアンテナポートを含む。第2のリソースマップは、N個の第3のリソースマップを含み、1＜N＜6である。代替的に、それらのアンテナポートを3個のグループに分割してもよく、各々のグループは、8個のアンテナポートを含む。第2のリソースマップは、N個の第3のリソースマップを含み、N＝2である。
【０１４５】
28個のアンテナポートが存在する場合に、それらのアンテナポートを14個のグループに分割してもよく、各々のグループは、2個のアンテナポートを含む。第2のリソースマップは、N個の第3のリソースマップを含み、1＜N＜14である。代替的に、それらのアンテナポートを7個のグループに分割してもよく、各々のグループは、4個のアンテナポートを含む。第2のリソースマップは、N個の第3のリソースマップを含み、1＜N＜7である。
【０１４６】
32個のアンテナポートが存在する場合に、それらのアンテナポートを16個のグループに分割してもよく、各々のグループは、2個のアンテナポートを含む。第2のリソースマップは、N個の第3のリソースマップを含み、1＜N＜16である。代替的に、それらのアンテナポートを8個のグループに分割してもよく、各々のグループは、4個のアンテナポートを含む。第2のリソースマップは、N個の第3のリソースマップを含み、1＜N＜8である。代替的に、それらのアンテナポートを4個のグループに分割してもよく、各々のグループは、8個のアンテナポートを含む。第2のリソースマップは、N個の第3のリソースマップを含み、1＜N＜4である。
【０１４７】
本明細書においては、上記のようなことは、繰り返して説明されない。アンテナポートの各々のグループの複数の参照信号は、1つのリソースユニットの中の1つの第3のリソースマップに対応していてもよい。選択的に、符号分割多重化(Code-Division  Multiplexing,  CDM)手法にしたがって、アンテナポートの同じグループに対応している複数の参照信号を送信する、すなわち、直交カバー符号(Orthogonal  Cover  Code,  OCC)を使用することによって、それらの複数の参照信号に対してスペクトラム拡散送信を実行する。
【０１４８】
アンテナポートのM個のグループは、また、以下の規則に従ってもよい。
【０１４９】
第1の規則によれば、M個のグループの各々の中のアンテナポートの番号は連続しており、m番目のグループの中のアンテナポートの番号P(m)は、P(m)＝[m＊Y＋α,  (m＋1)＊Y−1＋α]であり、0≦m≦M−1であり、αは、あらかじめ定められているオフセットである。選択的に、参照信号が、チャネル状態情報参照信号(Channel  state  information  reference,  CSI-RS)である場合には、αは15である。
【０１５０】
アンテナポートの各々のグループの中のY個のアンテナポートに対応するY個の参照信号に対応するアンテナポートは、同じ極性形成方向を有する。
【０１５１】
Zは、4以上の整数であり、Kは、2よりも大きな整数であり、Mは、2以上の整数であり、Nは、2以上の整数であるということに留意すべきである。
【０１５２】
図13に示されているように、ある1つの例として32個のアンテナポートを使用し、αは0であり、アンテナポートの4つのグループは、0から3までの番号を付されている。0番目のグループの中のアンテナポートの番号は、0から7まで連続しており、それらの8個のアンテナポートは、＋45°の同じ極性形成方向を有している。1番目のグループの中のアンテナポートの番号は、8から15まで連続しており、それらの8個のアンテナポートは、＋45°の同じ極性形成方向を有している。2番目のグループの中のアンテナポートの番号は、16から23まで連続しており、それらの8個のアンテナポートは、−45°の同じ極性形成方向を有している。3番目のグループの中のアンテナポートの番号は、24から31まで連続しており、それらの8個のアンテナポートは、−45°の同じ極性形成方向を有している。
【０１５３】
第2の規則によれば、M個のグループの各々の中のアンテナポートの番号のうちの複数の番号は連続しており、m番目のグループの中のアンテナポートの番号P(m)は、
(外2)
2019514265.tif 000048
である。
【０１５４】
アンテナポートのm番目のグループの中のアンテナポートの第1のグループは、同じ第1の極性形成方向を有し、アンテナポートの第2のグループは、同じ第2の極性形成方向を有し、第1の極性形成方向は、第2の極性形成方向とは異なっている。
【０１５５】
図14に示されているように、ある1つの例として32個のアンテナポートを使用し、αは0であり、アンテナポートの4個のグループは、0から3までの番号を付されている。0番目のグループの中のアンテナポートの番号のうちの一部の番号は、連続しており、それらの番号は、それぞれ、0から3までと16から19までであり、アンテナポート0乃至3は、連続した番号を有し、＋45°の第1の極性形成方向を有し、そして、アンテナポート16乃至19は、連続した番号を有し、−45°の第2の極性形成方向を有する。1番目のグループの中のアンテナポートの番号の一部は、連続しており、それらの番号は、それぞれ、4から7までと20から23までであり、アンテナポート4乃至7は、連続した番号を有し、＋45°の第1の極性形成方向を有し、そして、アンテナポート20乃至23は、連続した番号を有し、−45°の第2の極性形成方向を有する。2番目のグループの中のアンテナポートの番号のうちの一部の番号は、連続しており、それらの番号は、それぞれ、8から11までと24から27までであり、アンテナポート8乃至11は、連続した番号を有し、＋45°の第1の極性形成方向を有し、そして、アンテナポート24乃至27は、連続した番号を有し、−45°の第2の極性形成方向を有する。3番目のグループの中のアンテナポートの番号のうちの一部の番号は、連続しており、それらの番号は、それぞれ、12から15までと28から31までであり、アンテナポート12乃至15は、連続した番号を有し、＋45°の第1の極性形成方向を有し、そして、アンテナポート28乃至31は、連続した番号を有し、−45°の第2の極性形成方向を有する。
【０１５６】
図13及び14におけるアンテナポートの番号は、例示的な説明を目的としたものであるにすぎず、あるアンテナポートのある特定の番号を示すものではないということに留意すべきである。このことは、本発明のこの実施形態においては限定されない。
【０１５７】
ある1つの選択的な実施形態において、上記の実施形態において言及した参照信号は、復調参照信号(Demodulation  Reference  Signal,  DMRS)、チャネル状態情報参照信号(Channel  state  information  reference,  CSI-RS)、又は、セル特有参照信号(Cell-specific  Reference  Signal,  CRS)である。
【０１５８】
例えば、参照信号は、CSI-RSであり、リソースユニットは、PRB  pairである。通常のサイクリックプレフィックスを使用するPRB  pairは、周波数領域において12個のサブキャリアを含むとともに時間領域において14個のシンボルを含む。図15の中の斜線の領域によって示されているように、各々のPRB  pairにおいてCSI-RSが占有してもよい時間周波数リソースは、40個のリソースエレメント(Resource  Element,  RE)を含む。
【０１５９】
第1のリソースマップは、K個の第2のリソースマップを集約することによって取得され、各々の第2のリソースマップは、N個の第3のリソースマップを集約することによって取得される。各々の第3のリソースマップのリソースマッピング手法は、以下のようになる。
【０１６０】
例えば、M＊Y個のアンテナポートは、32個のアンテナポートである。4個のリソースユニットを使用して、それらの32個のアンテナポートに対応するCSI-RSを送り、それらのアンテナポートを4個のグループに分割してもよく、各々のグループは、8個のアンテナポートを含む。
【０１６１】
各々のグループの中の8個のアンテナポートは、40個のREのうちの8個のREに対応し、8個ごとに、REは、第3のリソースマップを形成する。この場合には、第3のリソースマップの5個のCSI-RS配置へと、それらの40個のREを分割してもよい。各々のCSI-RS配置は、1つの第3のリソースマップに対応し、それらの5個のCSI-RS配置は、表1に示されている。
【表１】
2019514265.tif 000049
【０１６２】
各々のCSI-RS配置の中の8個のREについて、kは、PRB  pairの中のREのサブキャリア番号であり、lは、そのPRB  pairの中のそのREのシンボル番号であると仮定すると、その配置の中の初期RE位置に基づく公式1及び公式2の計算によって、各々のCSI-RS配置の中の8個のREを取得することが可能であり、
(外3)
2019514265.tif 000050
l＝l'＋l'',   CSI-RS配置0乃至4,  通常のサイクリックプレフィックス  (公式2)
であり、
(外4)
2019514265.tif 000051
であり、
(外5)
2019514265.tif 000052
は、ダウンリンクに含まれるリソースブロックの数を表す。
【０１６３】
アンテナポートp0乃至p8は、同じグループに属するいずれかの8個のアンテナポートの番号であってもよい。
【０１６４】
表1、公式1、及び公式2を参照すると、表1における複数のCSI-RS配置に基づいて、40個のREを5個の第3のリソースマップに分割してもよい。各々の第3のリソースマップは、8個のREを含み、それらの8個のアンテナポートに対応するCSI-RSを送信するのに、各々の第3のリソースマップを使用してもよい。選択的に、OCC＝8の拡散符号を使用することによって、各々の第3のリソースマップに対応するそれらの8個のCSI-RSに対して、スペクトラム拡散を実行し、OCC＝8の拡散符号は、[1  1  1  1  −1  −1  −1  −1],  [1  1  1  1  1  1  1  1],  [1  1  −1  −1  −1  −1  1  1],  [1  1  −1  −1  1  1  −1  −1],  [1  −1  −1  1  1  −1  −1  1],  [1  −1  −1  1  −1  1  1  −1],  [1  −1  1  −1  −1  1  −1  1],  及び[1  −1  1  −1  1  −1  1  −1]である。
【０１６５】
表1のCSI-RS配置0においては、(9,5)から始まる8個のREが示されており、アンテナポートp0乃至p8を送信するのにそれらの8個のREを使用してもよい。公式1及び公式2によれば、図16Aに示されているように、
アンテナポートp0は、k＝9−0＝9、且つ、l＝5＋0＝5、すなわち、RE(9,5)に対応し、
アンテナポートp1は、k＝9−0＝9、且つ、l＝5＋1＝6、すなわち、RE(9,6)に対応し、
アンテナポートp2は、k＝9−6＝3、且つ、l＝5＋0＝5、すなわち、RE(3,5)に対応し、
アンテナポートp3は、k＝9−6＝3、且つ、l＝5＋1＝6、すなわち、RE(3,6)に対応し、
アンテナポートp4は、k＝9−1＝8、且つ、l＝5＋0＝5、すなわち、RE(8,5)に対応し、
アンテナポートp5は、k＝9−1＝8、且つ、l＝5＋1＝6、すなわち、RE(8,6)に対応し、
アンテナポートp6は、k＝9−7＝2、且つ、l＝5＋0＝5、すなわち、RE(2,5)に対応し、
アンテナポートp7は、k＝9−7＝2、且つ、l＝5＋1＝6、すなわち、RE(2,6)に対応する。
【０１６６】
同様にして、表1のCSI-RS配置1においては、図16Bに示されているように、(9,9)から始まる8個のREが示されている。表1のCSI-RS配置2においては、図16Cに示されているように、(9,12)から始まる8個のREが示されている。表1のCSI-RS配置3においては、図16Dに示されているように、(11,9)から始まる8個のREが示されている。表1のCSI-RS配置4においては、図16Eに示されているように、(7,9)から始まる8個のREが示されている。
【０１６７】
参照信号がCSI-RSであり、合計で32個のアンテナポートが存在する場合に、それらの32個のアンテナポートを4個のグループに分割し、各々のグループは、8個のアンテナポートを含み、各々のリソースユニットの中の3個の第3のリソースマップは、表１に示されている5個のCSI-RS配置のうちの3個のCSI-RS配置が示している時間周波数リソースを占有する。
【０１６８】
各々のリソースユニットの中の3個の第3のリソースマップが、5個のCSI-RS配置のうちの3個のCSI-RS配置が示す時間周波数リソースを占有するということは、以下の状況を含んでもよい。
【０１６９】
第1の状況.  各々のリソースユニットの中の3個の第3のリソースマップは、5個のCSI-RS配置のうちのCSI-RS配置0、CSI-RS配置1、及びCSI-RS配置2が示す時間周波数リソースを占有する。
【０１７０】
第2の状況.  各々のリソースユニットの中の3個の第3のリソースマップは、5個のCSI-RS配置のうちのCSI-RS配置0、CSI-RS配置2、及びCSI-RS配置3が示す時間周波数リソースを占有する。
【０１７１】
第3の状況.  各々のリソースユニットの中の3個の第3のリソースマップは、5個のCSI-RS配置のうちのCSI-RS配置0、CSI-RS配置2、及びCSI-RS配置4が示す時間周波数リソースを占有する。
【０１７２】
第4の状況.  各々のリソースユニットの中の3個の第3のリソースマップは、5個のCSI-RS配置のうちのCSI-RS配置1、CSI-RS配置3、及びCSI-RS配置4が示す時間周波数リソースを占有する。
【０１７３】
"第1の"、"第2の"、"第3の"、及び"第4の"の語は、説明の目的と意図しているにすぎず、複数の示されている技術的特徴の数の相対的な重要度又は黙示的な指標に関する指標又は暗示として理解されるべきではないということに留意すべきである。したがって、"第1の"、"第2の"、"第3の"、又は"第4の"によって限定されるある1つの特徴は、1つ又は複数の特徴を明示的に又は黙示的に含んでもよい。
【０１７４】
図17を参照すると、32個のアンテナポートのCSI-RSを、アンテナポート0乃至7の0番目のグループ、アンテナポート8乃至15の1番目のグループ、アンテナポート16乃至23の2番目のグループ、及びアンテナポート24乃至31の3番目のグループの4個のグループに分割する。アンテナポートの3個のグループのCSI-RSを送信するのに、各々のPRB  pairを使用する。この実施形態においては、送信のために、表1の中のCSI-RS配置0、CSI-RS配置1、及びCSI-RS配置2に対応する3個の第3のリソースマップを使用する。
【０１７５】
図17に示されているように、PRB  pair  0においては、CSI-RS配置0に対応する第3のリソースマップの中で、アンテナポート24乃至31に対応するCSI-RSを送信し、CSI-RS配置1に対応する第3のリソースマップの中で、アンテナポート0乃至7に対応するCSI-RSを送信し、そして、CSI-RS配置2に対応する第3のリソースマップの中で、アンテナポート8乃至15に対応するCSI-RSを送信する、すなわち、PRB  pair  0の中で、アンテナポートの3番目のグループ、アンテナポートの0番目のグループ、及びアンテナポートの1番目のグループに対応するCSI-RSを送信する。PRB  pair  1においては、CSI-RS配置0に対応する第3のリソースマップの中で、アンテナポート16乃至23に対応するCSI-RSを送信し、CSI-RS配置1に対応する第3のリソースマップの中で、アンテナポート24乃至31に対応するCSI-RSを送信し、そして、CSI-RS配置2に対応する第3のリソースマップの中で、アンテナポート0乃至7に対応するCSI-RSを送信する、すなわち、PRB  pair  1の中で、アンテナポートの2番目のグループ、アンテナポートの3番目のグループ、及びアンテナポートの0番目のグループに対応するCSI-RSを送信する。PRB  pair  2においては、CSI-RS配置0に対応する第3のリソースマップの中で、アンテナポート8乃至15に対応するCSI-RSを送信し、CSI-RS配置1に対応する第3のリソースマップの中で、アンテナポート16乃至23に対応するCSI-RSを送信し、そして、CSI-RS配置2に対応する第3のリソースマップの中で、アンテナポート24乃至31に対応するCSI-RSを送信する、すなわち、PRB  pair  2の中で、アンテナポートの1番目のグループ、アンテナポートの2番目のグループ、及びアンテナポートの3番目のグループを送信する。PRB  pair  3においては、CSI-RS配置0に対応する第3のリソースマップの中で、アンテナポート0乃至7に対応するCSI-RSを送信し、CSI-RS配置1に対応する第3のリソースマップの中で、アンテナポート8乃至15に対応するCSI-RSを送信し、そして、CSI-RS配置2に対応する第3のリソースマップの中で、アンテナポート16乃至23に対応するCSI-RSを送信する、すなわち、PRB  pair  3の中で、アンテナポートの0番目のグループ、アンテナポートの1番目のグループ、及びアンテナポートの2番目のグループに対応するCSI-RSを送信する。
【０１７６】
周波数領域において互いに隣接しているPRB  pair  0及びPRB  pair  1の中でそれぞれ送られるCSI-RSにおいて、それらのCSI-RSに対応する(アンテナポートの数が16である)同じアンテナポートの2つのグループが存在する、すなわち、PRB  pair  0及びPRB  pair  1の双方は、アンテナポートの0番目のグループ及びアンテナポートの1番目のグループを含み、それらのCSI-RSに対応する(アンテナポートの数が8である)異なるアンテナポートの1つのグループが存在するということを図17から理解することが可能である。同様にして、PRB  pair  1及びPRB  pair  2の双方は、アンテナポートの2番目のグループ及びアンテナポートの3番目のグループを含み、PRB  pair  2及びPRB  pair  3の双方は、アンテナポートの1番目のグループとアンテナポートの2番目のグループを含む。
【０１７７】
追加的に、図17に示されているリソースユニットにおいては、各々のグループの中の8個のアンテナポートは、同じ極性形成方向を有する。
【０１７８】
複数の異なる実施形態において、表1の中の5個のCSI-RS配置から、3個のCSI-RS配置をランダムに選択して、CSI-RSの送信を実行してもよいということに留意すべきである。この実施形態において、表1の中の5個のCSI-RS配置から、CSI-RS配置0、1、及び2に対応する時間周波数リソースを選択するということは、説明のための1つの例に過ぎない。他の実施形態においては、図18に示されているように、表1の中の5個のSCI-RS配置から、CSI-RS配置1、2、及び3に対応する時間周波数リソースを選択してもよい。本明細書においては、詳細な説明は、繰り返しては行われない。
【０１７９】
図17及び18におけるアンテナポートの番号は、例示的な説明を目的としたものであるにすぎず、あるアンテナポートのある特定の番号を示すものではないということに留意すべきである。このことは、本発明のこの実施形態においては限定されない。
【０１８０】
本発明のこの実施形態においては、説明のために、32個のアンテナポートのCSI-RSを送信するある1つの例を使用するということに留意すべきである。上記の内容に基づいて、当業者であれば、上記の複数の実施形態を参照して、8、16、20、24、64、又は他の数のアンテナポートの場合を容易に考え出すことができるであろう。本明細書においては、詳細な説明は、繰り返しては行われない。
【０１８１】
周波数領域において2つの隣接するPRB  pair、すなわち、周波数領域において互いに隣接しているi番目のPRB  pair及び(i＋1)番目のPRB  pairにおいては、i番目のPRB  pairの中のj番目の第3のリソースマップは、アンテナポートの4個のグループのうちのアンテナポートの1つのグループに対応しており、(i＋1)番目のPRB  pairの中のj番目の第3のリソースマップは、アンテナポートの4個のグループのうちのアンテナポートの他のグループに対応しているということを、図17からさらに理解することが可能である。具体的には、PRB  pair  0において、CSI-RS配置0に対応する第3のリソースマップによって送信されるCSI-RSに対応するアンテナポートは、3番目のグループのアンテナポートであり、PRB  pair  1において、CSI-RS配置0に対応する第3のリソースマップによって送信されるCSI-RSに対応するアンテナポートは、2番目のグループのアンテナポートである。アンテナポートのそれらの2つのグループは異なっている。PRB  pair  1においては、CSI-RS配置0に対応する第3のリソースマップによって送信されるCSI-RSに対応するアンテナポートは、2番目のグループのアンテナポートであり、PRB  pair  2においては、CSI-RS配置1に対応する第3のリソースマップによって送信されるCSI-RSに対応するアンテナポートは、1番目のグループのアンテナポートである。アンテナポートのそれらの2つのグループは異なっている。PRB  pair  2においては、CSI-RS配置0に対応する第3のリソースマップによって送信されるCSI-RSに対応するアンテナポートは、1番目のグループのアンテナポートであり、PRB  pair  3において、CSI-RS0に対応する第3のリソースマップによって送信されるCSI-RSに対応するアンテナポートは、0番目のグループのアンテナポートである。アンテナポートのそれらの2つのグループは異なっている。
【０１８２】
K個のリソースユニットは、参照信号リソースセットの中の同じ時間領域リソースを占有し、それらのK個のリソースユニットは、参照信号リソースセットの周波数領域において連続しており、それらのK個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのそれらのM個のグループとの間で1対1の対応関係にあり、それらのK個のリソースユニットの各々の中の(j＋1)番目の第3のリソースマップは、単一のリソースユニットの中の同じ時間領域位置を占有し、それらのM個のリソースユニットの中のM個の(j＋1)番目の第3のリソースマップは、アンテナポートのそれらのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1であるということを、図17からさらに理解することが可能である。
【０１８３】
Kは、2よりも大きな整数であり、Mは、2以上の整数であり、i及びjは、整数であるということに留意すべきである。
【０１８４】
例えば、4個のリソースユニットの各々の中のCSI−RS配置0に対応する第3のリソースマップは、単一のリソースユニットの中の同じ時間領域位置、すなわち、5番目のOFDMシンボル及び6番目のOFDMシンボルを占有し、4個のリソースユニットの中のCSI-RS配置0に対応する4個の第3のリソースマップは、4番目のグループのアンテナポートとの間で1対1の対応関係にある。具体的に言えば、PRB  pair  0の中のCSI-RS配置0に対応する第3のリソースマップは、アンテナポートの3番目のグループに対応し、PRB  pair  1の中のCSI-RS配置0に対応する第3のリソースマップは、アンテナポートの2番目のグループに対応し、PRB  pair  2の中のCSI-RS配置0に対応する第3のリソースマップは、アンテナポートの1番目のグループに対応し、そして、PRB  pair  3の中のCSI-RS配置0に対応する第3のリソースマップは、アンテナポートの0番目のグループに対応している。同様にして、4個のリソースユニットの各々の中のCSI-RS配置1に対応する第3のリソースマップは、単一のリソースユニットの中の同じ時間領域位置、すなわち、9番目のOFDMシンボル及び10番目のOFDMシンボルを占有し、CSI-RS配置1に対応する4個の第3のリソースマップは、4番目のグループのアンテナポートとの間で1対1の対応関係にある。4個のリソースユニットの各々の中のCSI-RS配置2に対応する第3のリソースマップは、単一のリソースユニットの中の同じ時間領域位置、すなわち、12番目のOFDMシンボル及び13番目のOFDMシンボルを占有し、CSI-RS配置2に対応する4個の第3のリソースマップは、4番目のグループのアンテナポートとの間で1対1の対応関係にある。本明細書においては、詳細な説明は、繰り返しては行われない。
【０１８５】
この実施形態において、ある1つの同じ時間領域位置において、例えば、5番目のOFDMシンボル及び6番目のOFDMシンボルにおいて、ポーリングの手法を使用し、それによって、32個のアンテナポートによって対応するCSI-RSを送信し、そして、送信効率を改善する。9番目のOFDMシンボル及び10番目のOFDMシンボルにおいて、ポーリングの手法を使用し、それによって、32個のアンテナポートによって対応するCSI-RSを送信し、そして、送信効率を改善する。12番目のOFDMシンボル及び13番目のOFDMシンボルにおいて、ポーリングの手法を使用し、それによって、32個のアンテナポートによって対応するCSI-RSを送信し、そして、送信効率を改善する。
【０１８６】
同様にして、図10に示されている実施形態と同様の実施形態において、K個のリソースユニットが、参照信号リソースセットの中の同じ周波数領域リソースを占有し、それらのK個のリソースユニットが、参照信号リソースセットの時間領域において連続している場合に、それらのK個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのそれらのM個のグループとの間で1対1の対応関係にあり、それらのK個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのそれらのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。Kは、2よりも大きな整数であり、Mは、2以上の整数であり、i及びjは、整数であるということに留意すべきである。
【０１８７】
図17に示されている実施形態において、CSI-RS配置0、CSI-RS配置1、及びCSI-RS配置2に対応する3個の第3のリソースマップを集約して、第2のリソースマップを形成する。この場合に、いずれかの2個の第2のリソースマップは、単一のリソースユニットに対応する時間領域リソースパターンの中の同じ時間領域位置及び同じ周波数領域位置を占有する。
【０１８８】
いずれか2つのPRB  pairの中の24個のアンテナポートに対応する参照信号の第2のリソースマップは、単一のPRB  pairに対応する時間周波数リソースパターンの中の同じ時間周波数位置、具体的には、5番目のOFDMシンボル、6番目のOFDMシンボル、9番目のOFDMシンボル、10番目のOFDMシンボル、12番目のOFDMシンボル、及び13番目のOFDMシンボルを占有する。加えて、いずれか2つのPRB  pairの中の24個のアンテナポートに対応する参照信号の第2のリソースマップは、単一のPRB  pairに対応する時間周波数リソースパターンの中の同じ周波数領域位置、具体的には、2番目のサブキャリア、3番目のサブキャリア、8番目のサブキャリア、及び9番目のサブキャリアを占有する。
【０１８９】
図17とは異なるある1つの選択的な実施形態において、CSI-RS配置0、CSI-RS配置1、及びCSI-RS配置2に対応する3個の第3のリソースマップを集約して、第2のリソースマップを形成するか、又は、CSI-RS配置0、CSI-RS配置3、及びCSI-RS配置2に対応する3個の第3のリソースマップを集約して、第2のリソースマップを形成する。少なくとも2個の第2のリソースマップは、単一のリソースユニットに対応する時間領域リソースパターンの中の複数の異なる周波数領域位置を占有し、及び/又は、少なくとも2個の第2のリソースマップは、単一のリソースユニットに対応する時間周波数リソースパターンの中の同じ周波数領域位置を占有する。
【０１９０】
PRB  pair  0及びPRB  pair  1は、単一のリソースユニットに対応する時間領域リソースパターンの中の異なる周波数領域位置を占有し、PRB  pair  0は、2番目のサブキャリア、3番目のサブキャリア、8番目のサブキャリア、及び9番目のサブキャリアを占有し、PRB  pair  1は、2番目のサブキャリア、3番目のサブキャリア、8番目のサブキャリア、9番目のサブキャリア、10番目のサブキャリア、及び11番目のサブキャリアを占有し、PRB  pair  0及びPRB  pair  2は、単一のリソースユニットに対応する時間領域リソースパターンの中の同じ周波数領域位置を占有し、PRB  pair  0及びPRB  pair  2の双方は、2番目のサブキャリア、3番目のサブキャリア、8番目のサブキャリア、及び9番目のサブキャリアを占有するということを図19から理解することが可能である。
【０１９１】
図19におけるアンテナポートの番号は、例示的な説明を目的としたものであるにすぎず、あるアンテナポートのある特定の番号を示すものではないということに留意すべきである。このことは、本発明のこの実施形態においては限定されない。
【０１９２】
参照信号がCSI-RSであるある1つの例を使用することによって、上記の実施形態を説明する。さらに、本発明の複数の実施形態にしたがって提供される参照信号送信/受信方法を、DMRSの送信及び受信に適用してもよい。詳細な説明は、以下のようになる。
【０１９３】
図20を参照して、4＊4＝16個のDMRSを送信するある1つの例を使用し、4個のリソースユニットは、同じ時間領域位置を有し、異なる周波数領域に配列される。リソースユニットは、PRB  pairである。送信デバイスは、4個のリソースユニットによって、16個のアンテナポートに対応するDMRSを送信する。16個のアンテナポートを4個のグループに分割する。各々のグループは、4個のアンテナポートを有する。0番目のグループは、アンテナポート0乃至3を含み、1番目のグループは、アンテナポート4乃至7を含み、2番目のグループは、アンテナポート8乃至11を含み、3番目のグループは、アンテナポート12乃至15を含む。各々のリソースユニットに対応する第2のリソースマップは、3個の第3のリソースマップを含み、それらの3個のリソースマップは、それぞれ、(11,5)、(6,5)、及び(1,5)から開始し、アンテナポートの1つのグループに対応するDMRSを送信するのに、各々の第3のリソースマップを使用する。
【０１９４】
(11,5)から開始する第3のリソースマップは、4個のREを含み、それらの4個のREは、11番目のサブキャリアに位置しているとともに、それぞれ、5番目のOFDMシンボル、6番目のOFDMシンボル、12番目のOFDMシンボル、及び13番目のOFDMシンボルに位置している。(6,5)から開始する第3のリソースマップは、4個のREを含み、それらの4個のREは、6番目のサブキャリアに位置しているとともに、それぞれ、5番目のOFDMシンボル、6番目のOFDMシンボル、12番目のOFDMシンボル、及び13番目のOFDMシンボルに位置している。(1,5)から開始する第3のリソースマップは、4個のREを含み、それらの4個のREは、1番目のサブキャリアに位置しているとともに、それぞれ、5番目のOFDMシンボル、6番目のOFDMシンボル、12番目のOFDMシンボル、及び13番目のOFDMシンボルに位置している。
【０１９５】
図20に示されているように、4個のPRB  pairを使用してDMRSを送信し、PRB  pair  3においては、(11,5)から開始する第3のリソースマップによって、アンテナポート0乃至3に対応するDMRSを送信し、(6,5)から開始する第3のリソースマップによって、アンテナポート4乃至7に対応するDMRSを送信し、そして、(1,5)から開始する第3のリソースマップによって、アンテナポート8乃至11に対応するDMRSを送信する。PRB  pair  2においては、(11,5)から開始する第3のリソースマップによって、アンテナポート4乃至5に対応するDMRSを送信し、(6,5)から開始する第3のリソースマップによって、アンテナポート8乃至9に対応するDMRSを送信し、そして、(1,5)から開始する第3のリソースマップによって、アンテナポート12乃至13に対応するDMSRを送信する。PRB  pair  1においては、(11,5)から開始する第3のリソースマップによって、アンテナポート8乃至9に対応するDMRSを送信し、(6,5)から開始する第3のリソースマップによって、アンテナポート12乃至15に対応するDMRSを送信し、そして、(1,5)から開始する第3のリソースマップによって、アンテナポート0乃至3に対応するDMRSを送信する。PRB  pair  0においては、(11,5)から開始する第3のリソースマップによって、アンテナポート12乃至15に対応するDMRSを送信し、(6,5)から開始する第3のリソースマップによって、アンテナポート0乃至3に対応するDMRSを送信し、そして、(1,5)から開始する第3のリソースマップによって、アンテナポート4乃至7に対応するDMRSを送信する。
【０１９６】
周波数領域において互いに隣接しているPRB  pair  3及びPRB  pair  2によってそれぞれ送られるDMRSにおいて、それらのDMRSに対応する(アンテナポートの数が8である)同じアンテナポートの2個のグループが存在する、すなわち、PRB  pair  3及びPRB  pair  2の双方は、アンテナポートの1番目のグループ及びアンテナポートの2番目のグループを含み、それらのDNRSに対応する(アンテナポートの数が4である)異なるアンテナポートの1つのグループが存在するということを図20から理解することが可能である。同様にして、PRB  pair  2及びPRB  pair  1の双方は、アンテナポートの2番目のグループ及びアンテナポートの3番目のグループを含み、PRB  pair  1及びPRB  pair  0の双方は、アンテナポートの3番目のグループ及びアンテナポートの0番目のグループを含む。
【０１９７】
周波数領域において互いに隣接しているi番目のPRB  pair及び(i＋1)番目のPRB  pairにおいて、i番目のPRB  pairの中のj番目の第3のリソースマップは、アンテナポートの4個のグループのうちのアンテナポートの1つのグループに対応しており、(i＋1)番目のPRB  pairの中のj番目の第3のリソースマップは、アンテナポートの4個のグループのうちのアンテナポートの他のグループに対応しているということを図20から理解することが可能である。(11,5)から開始する時間周波数リソースグループに位置するPRB  pair  3に対応するアンテナポートは、0番目のグループのアンテナポートであり、(11,5)から開始する時間周波数リソースグループに位置するPRB  pair  2に対応するアンテナポートは、1番目のグループのアンテナポートである。(11,5)から開始する時間周波数リソースグループに位置するPRB  pair  2に対応するアンテナポートは、1番目のグループのアンテナポートであり、(11,5)から開始する時間周波数リソースグループに位置するPRB  pair  1に対応するアンテナポートは、2番目のグループのアンテナポートである。(11,5)から開始する時間周波数リソースグループに位置するPRB  pair  1に対応するアンテナポートは、2番目のグループのアンテナポートであり、(11,5)から開始する時間周波数リソースグループに位置するPRB  pair  0に対応するアンテナポートは、3番目のグループのアンテナポートである。
【０１９８】
例えば、5番目のOFDMシンボル及び6番目のOFDMシンボル等の同じ時間領域リソースにおいて、ポーリングの手法によって、16個のアンテナポートに対応するDMRSを送信し、それにより、送信効率を改善するということを図20から理解することが可能である。
【０１９９】
図20に示されている複数のリソースユニットにおいて、アンテナポートの各々のグループの中の4個のアンテナポートは、同じ極性形成方向を有する。
【０２００】
図20におけるアンテナポートの番号は、例示的な説明を目的としたものであるにすぎず、あるアンテナポートのある特定の番号を示すものではないということに留意すべきである。このことは、本発明のこの実施形態においては限定されない。
【０２０１】
本発明のこの実施形態においては、説明のために、32個のDMRSを送信するある1つの例を使用するということに留意すべきである。上記の内容に基づいて、当業者であれば、上記の複数の実施形態を参照して、8、16、20、24、64、又は他の数のDMRSを送信する場合を容易に考え出すことができるであろう。本明細書においては、詳細な説明は、繰り返しては行われない。
【０２０２】
さらに、本発明の複数の実施形態にしたがって提供される参照信号送信/受信方法を、CRSの送信に適用してもよい。当業者であれば、上記の複数の実施形態を参照して、上記のことを容易に考え出すことができるであろう。本明細書においては、詳細な説明は、繰り返しては行われない。
【０２０３】
以下の記載は、本発明の複数の装置の実施形態を説明する。それらの装置の実施形態において説明されない複数の細部については、上記の方法の実施形態を参照するべきである。
【０２０４】
図21を参照すると、図21は、本発明のある1つの実施形態にしたがった送信装置のブロック図を示している。ソフトウェア、ハードウェア、又はソフトウェア及びハードウェアの組み合わせを使用することによって、送信装置のすべて又は一部として参照信号送信装置を実装してもよい。その送信装置は、
Z個のアンテナポートをサポートする参照信号の第1のリソースマップを決定するように構成される決定ユニット2110であって、第1のリソースマップは、Z個のアンテナポートをサポートする参照信号を時間周波数リソースにマッピングする位置を含む、決定ユニット2110と、
第1のリソースマップに基づいて、Z個のアンテナポートをサポートする参照信号を目標時間周波数リソースにマッピングした後に、参照信号を送信するように構成される送信ユニット2120と、を含む。
【０２０５】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【０２０６】
Zは、4以上の整数であり、Kは、2よりも大きな整数であり、Pは、2よりも大きな整数であり、Hは、2よりも大きな整数であり、Gは、2よりも大きな整数であるということに留意すべきである。
【０２０７】
結論として、本発明のこの実施形態にしたがって提供される参照信号送信装置によれば、送信デバイスは、Z個のアンテナポートをサポートする参照信号の第1のリソースマップを決定し、そして、その第1のリソースマップに基づいて、Z個のアンテナポートをサポートする参照信号を目標時間周波数リソースにマッピングした後に、その参照信号を送信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０２０８】
選択的に、Z個のアンテナポートは、アンテナポートのM個のグループを含み、各々のグループは、Y個のアンテナポートを含み、Z＝M＊Yであり、
第2のリソースマップは、N個の第3のリソースマップを集約することによって取得され、各々の第3のリソースマップは、アンテナポートのM個のグループのうちのアンテナポートの1つのグループに対応しており、P＝N＊Y、G＝A＊Y、H＝B＊Y、A＋B＝Nであり、Yは、2のべき乗である
【０２０９】
選択的に、K個のリソースユニットの中のいずれか2つの第2のリソースマップは、単一のリソースユニットに対応する時間周波数リソースパターンの中の同じ時間領域位置を占有し、
K個のリソースユニット中の少なくとも2つの第2のリソースマップは、単一のリソースユニットに対応する時間周波数リソースパターンの中の異なる周波数領域位置を占有し、及び/又は、K個のリソースユニットの中の少なくとも2つの第2のリソースマップは、単一のリソースユニットに対応する時間周波数リソースパターンの中の同じ周波数領域位置を占有する。
【０２１０】
選択的に、K個のリソースユニットにおいて、
i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【０２１１】
選択的に、K個のリソースユニットは、参照信号リソースセットの中の同じ時間領域リソースを占有し、K個のリソースユニットは、参照信号リソースセットの周波数領域において連続しており、
K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのM個のグループとの間で1対1の対応関係にあり、K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【０２１２】
選択的に、K個のリソースユニットは、参照信号リソースセットの中の同じ周波数領域リソースを占有し、K個のリソースユニットは、参照信号リソースセットの時間領域において連続しており、
K個のリソースユニットの各々の中のj番目の第3のリソースマップは、単一のリソースユニットの中の同じ時間領域位置を占有し、M個のリソースユニットの中のj番目の第3のリソースマップは、アンテナポートのM個のグループとの間で1対1の対応関係にあり、K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、同じリソースユニットの中のj番目の第3のリソースマップ及び(j＋1)番目の第3のリソースマップは、異なるアンテナポートに対応しており、0≦j＜j＋1≦N−1である。
【０２１３】
選択的に、K個のリソースユニットは、参照信号リソースセットの中の同じ周波数領域リソースを占有し、K個のリソースユニットは、参照信号リソースセットの時間領域において連続している。
【０２１４】
選択的に、K個のリソースユニットは、参照信号リソースセットの中の同じ時間領域リソースを占有し、K個のリソースユニットは、参照信号リソースセットの周波数領域において連続している。
【０２１５】
選択的に、リソースユニットは、PRBであるか、又は、リソースユニットは、PRB  pairである。
【０２１６】
選択的に、参照信号は、DMRS、CSI-RS、又はCRSである。
【０２１７】
選択的に、M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである。
【０２１８】
選択的に、M個のグループの各々の中のアンテナポートの番号のうちの複数の番号は連続しており、m番目のグループの中のアンテナポートの番号P(m)は、
(外6)
2019514265.tif 000053
であり、
0≦m≦M−1であり、αは、あらかじめ定められているオフセットである。
【０２１９】
選択的に、各々のリソースユニットの中のN個の第3のリソースマップは、OFDMシンボルの3つの対、2つの対、又は1つの対を占有する。
【０２２０】
選択的に、参照信号は、CSI-RSであり、リソースユニットは、PRB  pairであり、Y＝8、且つ、N＝3であり、
各々のリソースユニットの中の3つの第3のリソースマップは、5つのCSI-RS配置のうちのCSI-RS配置0、CSI-RS配置1、及びCSI-RS配置2によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の3つの第3のリソースマップは、5つのCSI-RS配置のうちのCSI-RS配置1、CSI-RS配置3、及びCSI-RS配置4によって示される時間周波数リソースを占有し、
5つのCSI-RS配置は、
CSI-RS配置0によって示される時間周波数リソースが、(k,l)＝(9,5),(9,6),(8,5),(8,6),(3,5),(3,6),(2,5),(2,6)の8つのリソースエレメントREを含み、
CSI-RS配置1によって示される時間周波数リソースが、(k,l)＝(9,9),(9,10),(8,9),(8,10),(3,9),(3,10),(2,9),(2,10)の8つのリソースエレメントREを含み、
CSI-RS配置2によって示される時間周波数リソースが、(k,l)＝(9,12),(9,13),(8,12),(8,13),(3,12),(3,13),(2,12),(2,13)の8つのリソースエレメントREを含み、
CSI-RS配置3によって示される時間周波数リソースが、(k,l)＝(11,9),(11,10),(10,9),(10,10),(5,9),(5,10),(4,9),(4,10)の8つのリソースエレメントREを含み、
CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、PRB  pairにおけるサブキャリア番号であり、lは、PRB  pairにおけるOFDMシンボルの番号である。
【０２２１】
選択的に、OCC＝8の拡散符号を使用することによって、各々の第3のリソースマップに対応する8つのCSI-RSに対して、スペクトラム拡散が実行される。
【０２２２】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０２２３】
選択的に、Z＝20の場合に、M＝10、Y＝2、1＜N＜10であるか、又は、M＝5、Y＝4、1＜N＜5であるか、或いは、
Z＝24の場合に、M＝12、Y＝2、1＜N＜12であるか、又は、M＝6、Y＝4、1＜N＜6であるか、又は、M＝3、Y＝8、1＜N＜3であるか、或いは、
Z＝28の場合に、M＝14、Y＝2、1＜N＜14であるか、又は、M＝7、Y＝4、1＜N＜7であるか、或いは、
Z＝32の場合に、M＝16、Y＝2、1＜N＜16であるか、又は、M＝8、Y＝4、1＜N＜8であるか、又は、M＝4、Y＝8、1＜N＜4である。
【０２２４】
選択的に、Yは8以下の整数である。
【０２２５】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であり、kは、0以上の整数であるということに留意すべきである。
【０２２６】
図22を参照すると、図22は、本発明のある1つの実施形態にしたがった受信装置のブロック図を示している。ソフトウェア、ハードウェア、又はソフトウェア及びハードウェアの組み合わせを使用することによって、受信装置のすべて又は一部として、参照信号受信装置を実装してもよい。その受信装置は、
Z個のアンテナポートをサポートする参照信号の第1のリソースマップを決定するように構成される決定ユニット2110であって、第1のリソースマップは、Z個のアンテナポートをサポートする参照信号を時間周波数リソースにマッピングする位置を含む、決定ユニット2110と、
第1のリソースマップに基づいて、目標時間周波数リソースから、Z個のアンテナポートをサポートする参照信号を受信するように構成される受信ユニット2120と、を含む。
【０２２７】
第1のリソースマップは、K個のリソースユニットの反復単位にしたがって時間領域及び/又は周波数領域において反復される。K個のリソースユニットは、参照信号リソースセットの中で、時間領域におけるK個の連続するリソースユニットであるか、又は、周波数領域におけるK個の連続するリソースユニットである。参照信号を送信するのに使用される時間周波数リソースは、参照信号リソースセットのために構成される。K個のリソースユニットの各々は、P個のアンテナポートをサポートする参照信号の第2のリソースマップに対応している。2つの隣接するリソースユニットごとの第2のリソースマップに対応するP個のアンテナポートは、G個の同じアンテナポート及びH個の異なるアンテナポートを含み、P個のアンテナポートは、第1のリソースマップに対応するZ個のアンテナポートのサブセットであり、P＜Zである。
【０２２８】
結論として、本発明のこの実施形態にしたがって提供される参照信号受信装置によれば、受信デバイスは、第1のリソースマップに基づいて、目標時間周波数リソースから、Z個のアンテナポートをサポートする参照信号を受信する。第1のリソースマップは、K個のリソースユニットの反復単位にしたがって時間領域及び/又は周波数領域において反復され、K個のリソースユニットの各々は、P個のアンテナポートをサポートする参照信号の第2のリソースマップに対応しており、そして、2つの隣接するリソースユニットごとの第2のリソースマップに対応するP個のアンテナポートは、G個の同じアンテナポート及びH個の異なるアンテナポートを含むので、複数の異なるリソースユニットの中のアンテナポートの部分的な反復は、各々のリソースユニットの中で複数の参照信号によって占有される時間周波数リソースの数を減少させるのに役立つとともに、その参照信号の送信密度を保証するのに役立つ。
【０２２９】
選択的に、Z個のアンテナポートは、アンテナポートのM個のグループを含み、各々のグループは、Y個のアンテナポートを含み、Z＝M＊Yであり、
第2のリソースマップは、N個の第3のリソースマップを集約することによって取得され、各々の第3のリソースマップは、アンテナポートのM個のグループのうちのアンテナポートの1つのグループに対応しており、P＝N＊Y、G＝A＊Y、H＝B＊Y、A＋B＝Nであり、Yは、2のべき乗である。
【０２３０】
選択的に、K個のリソースユニットの中のいずれか2つの第2のリソースマップは、単一のリソースユニットに対応する時間周波数リソースパターンの中の同じ時間領域位置を占有し、
K個のリソースユニット中の少なくとも2つの第2のリソースマップは、単一のリソースユニットに対応する時間周波数リソースパターンの中の異なる周波数領域位置を占有し、及び/又は、K個のリソースユニットの中の少なくとも2つの第2のリソースマップは、単一のリソースユニットに対応する時間周波数リソースパターンの中の同じ周波数領域位置を占有する。
【０２３１】
選択的に、K個のリソースユニットにおいて、i番目のリソースユニットの中のj番目の第3のリソースマップ及び(i＋1)番目のリソースユニットの中のj番目の第3のリソースマップは、単一のリソースユニットに対応する時間周波数リソースパターンの中の同じ時間領域位置を占有し、
i番目のリソースユニットの中のj番目の第3のリソースマップは、アンテナポートのM個のグループのうちのアンテナポートの1つのグループに対応しており、(i＋1)番目のリソースユニットの中のj番目の第3のリソースマップは、アンテナポートのM個のグループのうちのアンテナポートの他のグループに対応しており、0≦i≦K−1、且つ、0≦j≦N−1である。
【０２３２】
選択的に、K個のリソースユニットは、参照信号リソースセットの中の同じ時間領域リソースを占有し、K個のリソースユニットは、参照信号リソースセットの周波数領域において連続しており、
K個のリソースユニットの各々の中のj番目の第3のリソースマップは、単一のリソースユニットの中の同じ時間領域位置を占有し、M個のリソースユニットの中のM個のj番目の第3のリソースマップは、アンテナポートのM個のグループとの間で1対1の対応関係にあり、
K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である。
【０２３３】
選択的に、K個のリソースユニットは、参照信号リソースセットの中の同じ周波数領域リソースを占有し、K個のリソースユニットは、目標時間周波数リソースの時間領域において連続しており、
K個のリソースユニットの各々の中のj番目の第3のリソースマップは、単一のリソースユニットの中の同じ時間領域位置を占有し、M個のリソースユニットの中のj番目の第3のリソースマップは、アンテナポートのM個のグループとの間で1対1の対応関係にあり、
K個のリソースユニットの各々の中の(j＋1)番目の第3のリソースマップは、単一のリソースユニットの中の同じ時間領域位置を占有し、M個のリソースユニットの中のM個の(j＋1)番目の第3のリソースマップは、アンテナポートのM個のグループとの間で1対1の対応関係にあり、
同じリソースユニットの中のj番目の第3のリソースマップ及び(j＋1)番目の第3のリソースマップは、異なるアンテナポートに対応しており、
0≦j＜j＋1≦N−1である。
【０２３４】
選択的に、K個のリソースユニットは、参照信号リソースセットの中の同じ周波数領域リソースを占有し、K個のリソースユニットは、参照信号リソースセットの時間領域において連続している。
【０２３５】
選択的に、K個のリソースユニットは、参照信号リソースセットの中の同じ時間領域リソースを占有し、K個のリソースユニットは、参照信号リソースセットの周波数領域において連続している。
【０２３６】
選択的に、リソースユニットは、PRBであるか、又は、リソースユニットは、PRB  pairである。
【０２３７】
選択的に、参照信号は、DMRS、CSI-RS、又はCRSである。
【０２３８】
選択的に、M個のグループの各々の中のアンテナポートの番号は連続しており、m番目のグループの中のアンテナポートの番号P(m)は、
P(m)＝[m＊Y＋α,  (m＋1)＊Y−1＋α]
であり、
0≦m≦M−1であり、αは、あらかじめ定められているオフセットである。
【０２３９】
選択的に、M個のグループの各々の中のアンテナポートの番号のうちの複数の番号は連続しており、m番目のグループの中のアンテナポートの番号P(m)は、
(外7)
2019514265.tif 000054
であり、
0≦m≦M−1であり、P(m)は、あらかじめ定められているオフセットである。
【０２４０】
選択的に、各々のリソースユニットの中のN個の第3のリソースマップは、直交周波数分割多重化OFDMシンボルの3つの対、2つの対、又は1つの対を占有する。
【０２４１】
選択的に、参照信号は、CSI-RSであり、リソースユニットは、PRB  pairであり、Y＝8、且つ、N＝3であり、
各々のリソースユニットの中のN個の第3のリソースマップは、5つのCSI-RS配置のうちのCSI-RS配置0、CSI-RS配置1、及びCSI-RS配置2によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置3によって示される時間周波数リソースを占有し、又は、
各々のリソースユニットの中の3つの第3のリソースマップは、5つのCSI-RS配置のうちのCSI-RS配置0、CSI-RS配置2、及びCSI-RS配置4によって示される時間周波数リソースを占有し、又は、
各々のリソースユニットの中の3つの第3のリソースマップは、5つのCSI-RS配置のうちのCSI-RS配置1、CSI-RS配置3、及びCSI-RS配置4によって示される時間周波数リソースを占有し、
5つのCSI-RS配置は、
CSI-RS配置0によって示される時間周波数リソースが、(k,l)＝(9,5),(9,6),(8,5),(8,6),(3,5),(3,6),(2,5),(2,6)の8つのリソースエレメントREを含み、
CSI-RS配置1によって示される時間周波数リソースが、(k,l)＝(9,9),(9,10),(8,9),(8,10),(3,9),(3,10),(2,9),(2,10)の8つのリソースエレメントREを含み、
CSI-RS配置2によって示される時間周波数リソースが、(k,l)＝(9,12),(9,13),(8,12),(8,13),(3,12),(3,13),(2,12),(2,13)の8つのリソースエレメントREを含み、
CSI-RS配置3によって示される時間周波数リソースが、(k,l)＝(11,9),(11,10),(10,9),(10,10),(5,9),(5,10),(4,9),(4,10)の8つのリソースエレメントREを含み、
CSI-RS配置4によって示される時間周波数リソースが、(k,l)＝(7,9),(7,10),(6,9),(6,10),(1,9),(1,10),(0,9),(0,10)の8つのリソースエレメントREを含む、ということを含み、
kは、PRB  pairにおけるサブキャリア番号であり、lは、PRB  pairにおけるOFDMシンボルの番号である。
【０２４２】
選択的に、OCC＝8の拡散符号を使用することによって、各々の第3のリソースマップに対応する8つのCSI-RSに対して、スペクトラム拡散が実行される。
【０２４３】
選択的に、k番目のリソースユニットの第2のリソースマップに対応するアンテナポートのN個のグループは、アンテナポートのM個のグループのうちのアンテナポートの((k  mod  M)＋β)番目のグループ、アンテナポートの(((k＋1)  mod  M)＋β)番目のグループ、…アンテナポートの(((k＋N−1)  mod  M)＋β)番目のグループであり、0≦k≦K−1であり、βは、あらかじめ定められているオフセットである。
【０２４４】
Zは、4以上の整数であり、Kは、2よりも大きな整数であり、Mは、2以上の整数であり、Nは、2以上の整数であり、Pは、2よりも大きな整数であり、Hは、2よりも大きな整数であり、Gは、2よりも大きな整数であり、Aは、1以上の整数であり、Bは、1以上の整数であり、i及びjは、整数であり、kは、0以上の整数であるということに留意すべきである。
【０２４５】
当業者は、ハードウェア又は関連するハードウェアに命令するプログラムによって、上記の複数の実施形態の複数のステップうちのすべて又はいくつかを実装することが可能であるということを理解することが可能である。プログラムは、コンピュータ読み取り可能な記憶媒体に格納されてもよい。記憶媒体は、読み取り専用メモリ、磁気ディスク、又は光ディスクを含んでもよい。
【０２４６】
上記の説明は、本発明の複数の実施形態の例に過ぎず、本発明を限定することを意図してはいない。本発明の趣旨及び原理から離れることなく行われるいずれかの修正、等価な置換、及び改良は、本発明の保護範囲に属するものとする。
【手続補正３】
【補正対象書類名】図面
【補正対象項目名】図８
【補正方法】変更
【補正の内容】
【図８】
2019514265.tif 000055
【手続補正４】
【補正対象書類名】図面
【補正対象項目名】図１３
【補正方法】変更
【補正の内容】
【図１３】
2019514265.tif 000056
【手続補正５】
【補正対象書類名】図面
【補正対象項目名】図２１
【補正方法】変更
【補正の内容】
【図２１】
2019514265.tif 000057
【手続補正６】
【補正対象書類名】図面
【補正対象項目名】図２２
【補正方法】変更
【補正の内容】
【図２２】
2019514265.tif 000058
【国際調査報告】
2019514265.tif 000059
2019514265.tif 000060
2019514265.tif 000061
2019514265.tif 000062